(57)【特許請求の範囲】
【請求項１】
放送信号を受信するステップと、
前記受信した放送信号を直交周波数分割多重（ＯＦＤＭ）方式で復調するステップと、
前記復調された放送信号から信号フレームをパースするステップと、
前記パースされた信号フレームにおけるデータをデコードするステップと、
前記デコードされたデータにおけるベースバンドパケットをベースバンド処理するステップと、
前記ベースバンドパケットから、それぞれのデータパケットにおいてカプセル化されたトランスポートストリーム（ＴＳ）パケットを有するデータパケットをデカプセル化するステップと、を有し、
前記それぞれのデータパケットのヘッダは、前記ＴＳパケットにおいてヘッダの削除が行われたことを示す第１情報を有し、
前記それぞれのデータパケットの前記ヘッダは、ヌルパケットの削除が行われたか否かを示す第２情報をさらに有する、放送信号受信方法。
【請求項２】
前記第２情報がゼロでない場合、前記ヌルパケットが挿入される、請求項１に記載の放送信号受信方法。
【請求項３】
前記第１情報に基づいて、前記ＴＳパケットにヘッダが挿入される、請求項１に記載の放送信号受信方法。
【請求項４】
前記第２情報がゼロ値である場合、前記データパケットは、ヌルパケットが削除されていない１つまたは複数のＴＳパケットを有するＴＳストリームを有し、
前記デカプセル化するステップは、前記ＴＳパケットにシンクバイトを挿入するステップをさらに有する、請求項１に記載の放送信号受信方法。
【請求項５】
放送信号を受信する受信部と、
前記受信した放送信号を直交周波数分割多重（ＯＦＤＭ）方式で復調する復調器と、
前記復調された放送信号から信号フレームをパースするフレームパーサと、
前記パースされた信号フレームにおけるデータをデコードするデコーダと、
前記デコードされたデータにおけるベースバンドパケットを処理するベースバンドプロセッサと、
前記ベースバンドパケットから、それぞれのデータパケットにおいてカプセル化されたトランスポートストリーム（ＴＳ）パケットを有するデータパケットをデカプセル化するデエンカプセレータと、を備え、
前記それぞれのデータパケットのヘッダは、前記ＴＳパケットにおいてヘッダの削除が行われたことを示す第１情報を有し、
前記それぞれのデータパケットの前記ヘッダは、ヌルパケットの削除が行われたか否かを示す第２情報をさらに有する、放送信号受信装置。
【請求項６】
前記第２情報がゼロでない場合、前記ヌルパケットが挿入される、請求項５に記載の放送信号受信装置。
【請求項７】
前記第１情報に基づいて、前記ＴＳパケットにヘッダが挿入される、請求項５に記載の放送信号受信装置。
【請求項８】
前記第２情報がゼロ値である場合、前記データパケットは、ヌルパケットが削除されていない１つまたは複数のＴＳパケットを有するＴＳストリームを有し、
前記デカプセル化することは、前記ＴＳパケットにシンクバイトを挿入することをさらに有する、請求項５に記載の放送信号受信装置。
【発明の詳細な説明】
【技術分野】
【０００１】
本発明は、放送信号送信装置、放送信号受信装置及び放送信号送受信方法に関する。
【背景技術】
【０００２】
アナログ放送信号の送信が終了すると共に、デジタル放送信号を送受信する多様な技術が開発されている。デジタル放送信号は、アナログ放送信号より多量のビデオ／オーディオデータを含むことができ、ビデオ／オーディオデータに加えて、多様なタイプの追加データをさらに含むことができる。
【発明の概要】
【発明が解決しようとする課題】
【０００３】
すなわち、デジタル放送システムは、高画質（ＨＤ；High Definition）映像、マルチチャネルオーディオ及び多様な追加サービスを提供することができる。しかし、デジタル放送のためには、多量のデータを送信するためのデータ送信効率、送受信ネットワークのロバスト性（robustness）及びモバイル受信機器（装備）（equipment）を考慮したネットワークの柔軟性が改善される必要がある。
【課題を解決するための手段】
【０００４】
本発明に係る放送信号受信方法は、放送信号を受信するステップと、受信した放送信号を直交周波数分割多重（Orthogonal Frequency Division Multiplex；ＯＦＤＭ）方式で復調するステップと、復調された放送信号から少なくとも一つの信号フレームをパース（パージング）（parse）するステップであって、一つの信号フレームは、少なくとも一つの物理パス（経路）（physical path）に対応するサービスデータを有する、ステップと、少なくとも一つの信号フレームに有されたサービスデータをデコードするステップと、デコードされたサービスデータを出力処理（output processing）するステップと、を有することができる。
【０００５】
また、本発明に係る放送信号受信方法であって、デコードされたサービスデータは、少なくとも一つのベースバンドパケットを有し、少なくとも一つのベースバンドパケットは、カプセル化された入力サービスデータを有することができる。
【０００６】
本発明に係る放送信号受信装置は、放送信号を受信する受信部と、受信した放送信号を直交周波数分割多重（Orthogonal Frequency Division Multiplex；ＯＦＤＭ）方式で復調する復調器（デモジュレータ）（demodulator）と、復調された放送信号から少なくとも一つの信号フレームをパース（parse）するフレームパーサであって、一つの信号フレームは、少なくとも一つの物理パス（physical path）に対応するサービスデータを有する、フレームパーサと、少なくとも一つの信号フレームに有されたサービスデータをデコードするデコーダと、デコードされたサービスデータを出力処理（output processing）する出力プロセッサと、を備えることができる。
【０００７】
また、本発明に係る放送信号受信装置であって、デコードされたサービスデータは、少なくとも一つのベースバンドパケットを有し、少なくとも一つのベースバンドパケットは、カプセル化された入力サービスデータを有することができる。
【発明の効果】
【０００８】
本発明は、サービス特性によってデータを処理して各サービス又はサービスコンポーネントに対するＱｏＳ（Quality of Service）を制御することによって、様々な放送サービスを提供することができる。
【０００９】
本発明は、同一のＲＦ信号帯域幅を通じて多様な放送サービスを送信することによって、送信柔軟性を実現することができる。
【００１０】
本発明は、データ送信効率を改善し、ＭＩＭＯシステムを用いて放送信号の送受信のロバスト性を増加させることができる。
【００１１】
本発明によると、モバイル受信機器で又は室内環境でも、誤りなくデジタル放送信号を受信可能な放送信号送信及び受信方法、並びにその装置を提供することができる。
【図面の簡単な説明】
【００１２】
【図１】本発明の一実施例に係る次世代（future）放送サービスに対する（関する）放送信号送信装置の構造を示す図である。
【図２】本発明の一実施例に係る入力フォ−マッティング（Input formatting）ブロックを示す図である。
【図３】本発明の他の実施例に係る入力フォ−マッティングブロックを示す図である。
【図４】本発明の他の実施例に係る入力フォ−マッティングブロックを示す図である。
【図５】本発明の一実施例に係るＢＩＣＭ（Bit Interleaved Coding & Modulation）ブロックを示す図である。
【図６】本発明の他の実施例に係るＢＩＣＭブロックを示す図である。
【図７】本発明の一実施例に係るフレーム構築（ビルディング）（Frame Building；フレーム生成）ブロックを示す図である。
【図８】本発明の一実施例に係るＯＦＤＭ（Orthogonal Frequency Division Multiplexing）生成（generation）ブロックを示す図である。
【図９】本発明の一実施例に係る次世代放送サービスに対する放送信号受信装置の構造を示す図である。
【図１０】本発明の一実施例に係るフレーム構造を示す図である。
【図１１】本発明の一実施例に係るフレームのシグナリング層の構造を示す図である。
【図１２】本発明の一実施例に係るプリアンブルシグナリングデータを示す図である。
【図１３】本発明の一実施例に係るＰＬＳ１データを示す図である。
【図１４】本発明の一実施例に係るＰＬＳ２データを示す図である。
【図１５】本発明の他の実施例に係るＰＬＳ２データを示す図である。
【図１６】本発明の一実施例に係るフレームの論理（logical）構造を示す図である。
【図１７】本発明の一実施例に係るＰＬＳ（Physical Layer Signaling）マッピングを示す図である。
【図１８】本発明の一実施例に係るＥＡＣ（Emergency Alert Channel）マッピングを示す図である。
【図１９】本発明の一実施例に係るＦＩＣ（Fast Information Channel）マッピングを示す図である。
【図２０】本発明の一実施例に係るＤＰ（Data Pipe）のタイプを示す図である。
【図２１】本発明の一実施例に係るＤＰマッピングを示す図である。
【図２２】本発明の一実施例に係るＦＥＣ（Forward Error Correction）構造を示す図である。
【図２３】本発明の一実施例に係るビットインターリーブを示す図である。
【図２４】本発明の一実施例に係るセル−ワード逆多重化（デマルチプレクシング）（demultiplexing）を示す図である。
【図２５】本発明の一実施例に係るタイムインターリーブを示す図である。
【図２６】本発明の一実施例に係るツイスト行列ブロックインターリーバの基本動作を示す図である。
【図２７】本発明の他の実施例に係るツイスト行列ブロックインターリーバの動作を示す図である。
【図２８】本発明の一実施例に係るツイスト行列ブロックインターリーバの対角線方向の読み取りパターンを示す図である。
【図２９】本発明の一実施例に係る各インターリーブ配列（アレイ）（array）からインターリーブされたＸＦＥＣＢＬＯＣＫを示す図である。
【図３０】本発明の一実施例に係るプロトコルスタックを示す図である。
【図３１】本発明の一実施例に係る放送信号送信装置に含まれたリンク層のインターフェース及び動作を示す図である。
【図３２】本発明の一実施例に係る放送信号送信装置を示す図である。
【図３３】本発明の一実施例に係るリンク層パケットの構造を示す図である。
【図３４】本発明の一実施例に係るリンク層パケットの構造を示す図である。
【図３５】本発明の一実施例に係る第一のヘッダ圧縮方法を示す図である。
【図３６】本発明の一実施例に係る第一のヘッダ圧縮モードによって圧縮されたＴＳパケットヘッダを示す図である。
【図３７】本発明の一実施例に係る第二のヘッダ圧縮方法を示す図である。
【図３８】本発明の一実施例に係る第二のヘッダ圧縮モードによって圧縮されたＴＳパケットヘッダを示す図である。
【図３９】本発明の一実施例に係る第二のヘッダ圧縮モードの圧縮方法を示す図である。
【図４０】本発明の一実施例に係る第三のヘッダ圧縮方法を示す図である。
【図４１】本発明の一実施例に係る第三のヘッダ圧縮モードによって圧縮されたＴＳパケットヘッダを示す図である。
【図４２】本発明の一実施例に係る第四のヘッダ圧縮方法を示す図である。
【図４３】本発明の一実施例に係る第一のヌル（無効）（null）パケット削除方法を示す図である。
【図４４】本発明の一実施例に係る第二のヌルパケット削除方法を示す図である。
【図４５】本発明の一実施例に係る第三のヌルパケット削除方法を示す図である。
【図４６】本発明の一実施例に係る第四のヌルパケット削除方法を示す図である。
【図４７】本発明の一実施例に係る放送信号送信装置の入力フォーマッティングブロックのモード適応（mode adaptation）ブロックを示す図である。
【図４８】本発明の一実施例に係る放送信号受信装置を示す図である。
【図４９】本発明の一実施例に係るベースバンドフレームのパケット構造を示す図である。
【図５０】本発明の一実施例に係るベースバンドフレームの構造を示す図である。
【図５１】本発明の一実施例に係るベースバンドフレームの構造を示す図である。
【図５２】本発明の他の実施例に係るベースバンドフレームのパケット構造を示す図である。
【図５３】本発明の一実施例に係るベースバンドフレーム構造をシグナリングするシグナリングフィールドを示す図である。
【図５４】本発明の一実施例に係るベースバンドフレームの構造を示す図である。
【図５５】本発明の一実施例に係る放送信号を送信する方法を示す図である。
【図５６】本発明の一実施例に係る放送信号を受信する方法を示す図である。
【発明を実施するための形態】
【００１３】
本発明に関する理解をより容易にするために含まれ、且つ本出願に含まれてその一部を構成する添付の図面は、本発明の原理を説明する詳細な説明と共に本発明の実施例を示す。
【００１４】
以下、添付の図面を参照して本発明の好ましい実施例を説明する。添付の図面を参照して以下で説明する詳細な説明は、本発明によって具現可能な実施例のみを示すよりは、本発明の例示的な実施例を説明するためのものである。次の詳細な説明は、本発明の完璧な理解を提供するために特定の詳細（細部）事項（details）を含む。しかし、本発明が、このような特定の詳細事項がなくても実行（実施）可能である（may be practiced）ことは当業者にとって自明である。
【００１５】
本発明で使用されるほとんどの用語は、本技術で広く使用されるものから選択されたが、一部の用語は、出願人によって任意に選択されたものであって、その意味は、必要に応じて次の説明で詳細に説明する。よって、本発明は、単純な名前又は意味よりは、用語の意図された意味に基づいて理解しなければならない。
【００１６】
本発明は、次世代（未来の、将来の）（future）放送サービス（broadcast services）のための放送信号を送受信する装置及び方法を提供する。本発明の実施例に係る次世代放送サービスは、地上波放送サービス、モバイル放送サービス、ＵＨＤＴＶサービスなどを含む。本発明は、一実施例により、非ＭＩＭＯ（Multiple Input Multiple Output）又はＭＩＭＯを通じて次世代放送サービスのための放送信号を処理することができる。本発明の実施例に係る非ＭＩＭＯ方式は、ＭＩＳＯ（Multiple Input Single Output）方式、ＳＩＳＯ（Single Input Single Output）方式などを含むことができる。
【００１７】
ＭＩＳＯ又はＭＩＭＯは、説明の便宜上、以下で２個のアンテナを使用するが、本発明は、２個以上のアンテナを用いるシステムに適用することができる。本発明は、特定のユースケース（使用ケース）（use case）のために要求される性能を獲得しながら、受信器の複雑度を最小化するのにそれぞれ最適化された３個の物理層（ＰＬ）プロファイル（ベース、ハンドヘルド及びアドバンスドプロファイル）を定義することができる。物理層（ＰＨＹ）プロファイルは、該当受信器が具現しなければならない全ての構成のサブセットである。
【００１８】
３個のＰＨＹプロファイルは、機能ブロックのほとんどを共有するが、特定のブロック及び／又はパラメータにおいて少し異なる。追加のＰＨＹプロファイルを将来（未来に、次世代で）（in the future）定義することができる。また、システム発展（進化）（evolution）のために、将来の（次世代）（future）プロファイルは、ＦＥＦ（Future Extension Frame）を通じて単一ＲＦチャネル内の既存のプロファイルと多重化（マルチプレクス）され（multiplexed）得る。以下では、それぞれのＰＨＹプロファイルの詳細事項について説明する。
【００１９】
１．ベースプロファイル
【００２０】
ベースプロファイルは、通常、ルーフトップ（roof-top）アンテナに接続する固定受信装置に対する主要なユースケースを示す。また、ベースプロファイルは、いずれかの場所に搬送可能であるが、相対的固定受信（比較的停止した受信）（relatively stationary reception）カテゴリに属するポータブル装置を含む。ベースプロファイルの使用は、任意の改善された具現例によってハンドヘルド装置又は車両装置に拡張可能であるが、これらのユースケースは、ベースプロファイル受信器の動作に対しては期待されない。
【００２１】
受信のターゲットＳＮＲ範囲は約１０ｄＢ〜２０ｄＢであって、これは、既存の放送システム（例えば、ＡＴＳＣ  Ａ／５３）の１５ｄＢ  ＳＮＲ受信能力を含む。受信器の複雑度及び消費電力は、ハンドヘルドプロファイルを使用するバッテリ動作ハンドヘルド装置の場合のように重要ではない。以下では、ベースプロファイルに関する重要なシステムパラメータを表１に列挙する。
【００２２】
〔表１〕
【表１】
0006453460.tif 000002
【００２３】
２．ハンドヘルドプロファイル
【００２４】
ハンドヘルドプロファイルは、バッテリ電力で動作するハンドヘルド及び車両装置に使用されるように設計された。装置は、歩行者又は車両速度で移動することができる。受信器の複雑度のみならず、消費電力はハンドヘルドプロファイルの装置の具現において非常に重要である。ハンドヘルドプロファイルのターゲットＳＮＲ範囲は約０ｄＢ〜１０ｄＢであるが、より奥の（深い）室内受信（deeper indoor reception）を対象にすると、０ｄＢ未満に到逹するように構成することができる。
【００２５】
低いＳＮＲ能力に加えて、受信器の移動度（モビリティ）（mobility）によって誘発されたドップラ効果に対する復元性（弾力性）（resilience）は、ハンドヘルドプロファイルの最も重要な性能属性である。以下では、ハンドヘルドプロファイルに対する重要なパラメータを表２に列挙する。
【００２６】
〔表２〕
【表２】
0006453460.tif 000003
【００２７】
３．アドバンスドプロファイル
【００２８】
アドバンスドプロファイルは、より多くの具現複雑度を犠牲にし、最も高いチャネル容量を提供する。このプロファイルは、ＭＩＭＯ送信及び受信の利用を要求し、ＵＨＤＴＶサービスは、このプロファイルが特別に設計されたターゲットユースケースである。また、増加した容量は、与えられた帯域幅内で増加した数のサービス、例えば、ＳＤＴＶ又はＨＤＴＶサービスを可能にする（許容する）（allow）ように使用することができる。
【００２９】
アドバンスドプロファイルのターゲットＳＮＲ範囲は、約２０ｄＢ〜３０ｄＢである。ＭＩＭＯ送信は、初期に（initially）既存の楕円偏波（elliptically-polarized）送信装置を利用できるが、将来全出力（フル電力）交差偏波送信（full-power cross-polarized transmission）に拡張される。以下では、アドバンスドプロファイルに対する重要なシステムパラメータを表３に列挙する。
【００３０】
〔表３〕
【表３】
0006453460.tif 000004
【００３１】
この場合、ベースプロファイルは、地上波放送サービス及びモバイル放送サービスの全てのためのプロファイルとして使用することができる。すなわち、ベースプロファイルは、モバイルプロファイルを含むプロファイルの概念を定義するのに使用することができる。また、アドバンスドプロファイルは、ＭＩＭＯを有するベースプロファイルのためのアドバンスドプロファイルと、ＭＩＭＯを有するハンドヘルドプロファイルのためのアドバンスドプロファイルと、に分割（分離）する（分ける）（divided）ことができる。また、３個のプロファイルは、設計者の意図によって変更可能である。
【００３２】
次の用語及び定義を本発明に適用することができる。次の用語及び定義は、設計によって変更可能である。
【００３３】
補助ストリーム：未だ定義されていない変調及びコーディングのデータを伝達（搬送）する（carrying）セルのシーケンスであって、将来の（未来）拡張（future extensions）のために、又は、放送事業者（ブロードキャスタ）（broadcasters）又はネットワークオペレータによる要求通りに使用することができる。
【００３４】
ベースデータパイプ：サービスシグナリングデータを伝達するデータパイプ
【００３５】
ベースバンドフレーム（又はＢＢＦＲＡＭＥ）：一つのＦＥＣエンコーディングプロセス（ＢＣＨ及びＬＤＰＣエンコーディング）への入力を形成するＫbchビットのセット
【００３６】
セル：ＯＦＤＭ送信の一つのキャリアによって伝達される変調値
【００３７】
コーディングブロック：ＰＬＳ１データのＬＤＰＣエンコーディングブロック及びＰＬＳ２データのＬＤＰＣエンコーディングブロックのうちの一つ
【００３８】
データパイプ：サービスデータ又は関連メタデータを伝達する物理層内の論理チャネルであって、一つ又は複数（多数）の（multiple）サービス又はサービスコンポーネントを伝達することができる。
【００３９】
データパイプ単位：フレーム内のＤＰにデータセルを割り当てる基本単位
【００４０】
データシンボル：プリアンブルシンボルでないフレーム内のＯＦＤＭシンボル（フレームシグナリングシンボル及びフレームエッジシンボルはデータシンボルに含まれる。）
【００４１】
ＤＰ＿ＩＤ：この８ビットフィールドは、ＳＹＳＴＥＭ＿ＩＤによって識別されたシステム内のＤＰを一意に（固有に）（uniquely）識別する。
【００４２】
ダミーセル：ＰＬＳシグナリング、ＤＰ又は補助ストリームに使用されない残りの容量を満たす（充填する、埋める）（fill）のに使用される擬似ランダム値を伝達するセル
【００４３】
非常警報（境界）チャネル（Emergency Alert Channel；ＥＡＳ）：ＥＡＳ情報データを伝達するフレームの一部
【００４４】
フレーム：プリアンブルから開始し、フレームエッジシンボルで終了する物理層時間スロット
【００４５】
フレーム反復単位：ＦＥＴ（ＦＥＦ）を含む同一又は異なる物理層プロファイルに属するフレームセットであって、スーパーフレーム内で８回繰り返される。
【００４６】
高速情報チャネル：サービスと対応ベースＤＰとの間のマッピング情報を伝達するフレーム内の論理チャネル
【００４７】
ＦＥＣＢＬＯＣＫ：ＤＰデータのＬＤＰＣエンコーディングビットのセット
【００４８】
ＦＦＴサイズ：特定のモードに使用される公称ＦＦＴサイズであって、基本期間（elementary period）Ｔの周期で表現されるアクティブシンボル期間Ｔｓと同一である。
【００４９】
フレームシグナリングシンボル：ＦＦＴサイズ、保護区間（guard interval）及び分散型パイロットパターンの所定の組み合わせでフレームの開始時に使用されるより高いパイロット密度を有するＯＦＤＭシンボルであって、ＰＬＳデータの一部を伝達する。
【００５０】
フレームエッジシンボル：ＦＦＴサイズ、保護区間（guard interval）及び分散型パイロットパターンの所定の組み合わせでフレームの終了時に使用されるより高いパイロット密度（pilot density）を有するＯＦＤＭシンボル
【００５１】
フレームグループ：スーパーフレーム内の同一のＰＨＹプロファイルタイプを有する全ての（all）フレームのセット
【００５２】
将来の拡張フレーム：将来の拡張のために使用可能なスーパーフレーム内の物理層時間スロットであって、プリアンブルから開始する。
【００５３】
フューチャーキャスト（future cast）ＵＴＢシステム：入力が一つ又は複数のＭＰＥＧ２−ＴＳ又はＩＰ又は一般ストリームであって、出力がＲＦ信号である提案された物理層放送システム
【００５４】
入力ストリーム：システムによってエンドユーザに伝達されるサービスのアンサンブル（集合）（ensemble）のためのデータのストリーム
【００５５】
通常（標準、ノーマル、正常）（normal）データシンボル：フレームシグナリングシンボル及びフレームエッジシンボルを除いたデータシンボル
【００５６】
ＰＨＹプロファイル：該当受信器が具現しなければならない全ての構成のサブセット
【００５７】
ＰＬＳ：ＰＬＳ１及びＰＬＳ２で構成された物理層シグナリングデータ
【００５８】
ＰＬＳ１：固定サイズ、コーディング及び変調を有するＦＳＳシンボルで伝達されるＰＬＳデータの第１セットであって、ＰＬＳ２をデコードするのに必要なパラメータのみならず、システムに関する基本情報を伝達する。
【００５９】
注（note）：フレームグループの期間（デュレーション）（duration）のために、ＰＬＳ１データは一定に維持される。
【００６０】
ＰＬＳ２：ＦＳＳシンボルで送信されるＰＬＳデータの第２セットであって、システム及びＤＰに対するより詳細な（細部的な）（detailed）ＰＬＳデータを伝達する。
【００６１】
ＰＬＳ２動的データ：フレーム別に動的に変化（change）可能な（可変）ＰＬＳ２データ
【００６２】
ＰＬＳ２静的データ：フレームグループの期間の間で静的に維持されるＰＬＳ２データ
【００６３】
プリアンブルシグナリングデータ：プリアンブルシンボルによって伝達され、システムの基本モードを識別するのに使用されるシグナリングデータ
【００６４】
プリアンブルシンボル：基本ＰＬＳデータを伝達し、フレームの先頭（初期）に（in the beginning of）配置される（位置する）（located）固定長のパイロットシンボル
【００６５】
注：プリアンブルシンボルは、主に高速初期帯域スキャン（fast initial band scan）のために使用され、システム信号、そのタイミング、周波数オフセット及びＦＦＴサイズを検出する。
【００６６】
将来の使用の（将来（次世代で）使用する）ために（for future use）リザーブ（予約）（reserved）：現在の文書では定義されないが、将来定義可能である。
【００６７】
スーパーフレーム：８個のフレーム反復単位のセット
【００６８】
時間インターリーブブロック（ＴＩブロック）：時間インターリーバメモリの一つの用途に対応する時間インターリーブが行われるセルのセット
【００６９】
ＴＩグループ：特定のＤＰのための動的容量割り当てが行われる単位であって、整数、すなわち、動的に変わる数のＸＦＥＣＢＬＯＣＫで構成される。
【００７０】
注：ＴＩグループは、一つのフレームに直接マッピングされたり、複数のフレームにマッピングされ得る。これは、一つ又は複数のＴＩブロックを含むことができる。
【００７１】
タイプ１  ＤＰ：全てのＤＰがＴＤＭ方式でマッピングされるフレームのＤＰ
【００７２】
タイプ２  ＤＰ：全てのＤＰがＦＤＭ方式でマッピングされるフレームのＤＰ
【００７３】
ＸＦＥＣＢＬＯＣＫ：一つのＬＤＰＣ  ＦＥＣＢＬＯＣＫの全てのビットを伝達するＮcellsセルのセット
【００７４】
図１は、本発明の実施例によって次世代放送サービスのための放送信号を送信する装置の構造を示す図である。
【００７５】
本発明の実施例によって次世代放送サービスのための放送信号を送信する装置は、入力フォーマッティングブロック１０００、ＢＩＣＭ（Bit Interleaved Coding & Modulation）ブロック１０１０、フレーム構築（構造）ブロック（frame building block）１０２０、ＯＦＤＭ（Orthogonal Frequency Division Multiplexing）生成ブロック１０３０、及びシグナリング（信号）生成ブロック（signaling generation block）１０４０を含むことができる。以下では、放送信号を送信する装置の各モジュールの動作を説明する。
【００７６】
ＩＰストリーム／パケット及びＭＰＥＧ２−ＴＳはメイン入力フォーマットで、他のストリームタイプは一般ストリームとして処理される。これらのデータ入力に加えて、管理情報が入力され、各入力ストリームに対する該当帯域幅のスケジューリング及び割り当てを制御する。一つ又は複数のＴＳストリーム、ＩＰストリーム及び／又は一般ストリームの入力が同時に可能である（許容される）（allowed）。
【００７７】
入力フォーマッティングブロック１０００は、各入力ストリームを一つ又は複数のデータパイプに逆多重化（デマルチプレクス）し（demultiplex）、独立コーディング及び変調がデータパイプに適用される。データパイプ（ＤＰ）は、ロバスト性の制御のための基本単位であって、ＱｏＳに影響を与える。一つ又は複数のサービス又はサービスコンポーネントは単一のＤＰによって伝達され得る。入力フォーマッティングブロック１０００の動作の詳細事項については後で説明する。
【００７８】
データパイプは、サービスデータ又は関連メタデータを伝達する物理層内の論理チャネルであって、一つ又は複数のサービス又はサービスコンポーネントを伝達することができる。
【００７９】
また、データパイプ単位は、フレーム内のＤＰにデータセルを割り当てる基本単位（ユニット）（unit）である。
【００８０】
ＢＩＣＭブロック１０１０において、パリティデータが誤り訂正（error correction）のために追加され、エンコードされたビットストリームは複素数値のコンステレーション（星状）（constellation）シンボルにマッピングされる。シンボルは、該当ＤＰに使用される特定のインターリーブの深さにわたって（を横切って）（across a specific interleaving depth）インターリーブされる。アドバンスドプロファイルに対して、ＭＩＭＯエンコーディングがＢＩＣＭブロック１０１０で行われ、追加のデータパスはＭＩＭＯ送信のための出力で追加される。ＢＩＣＭブロック１０１０の詳細事項については後で説明する。
【００８１】
フレーム構築ブロック１０２０は、入力ＤＰのデータセルをフレーム内のＯＦＤＭシンボルにマッピングすることができる。マッピングした後、周波数インターリーブは、周波数領域ダイバーシチ（多様性）（diversity）に使用され、特に、周波数選択フェージングチャネル（frequency-selective fading channels）を防止する。フレーム構築ブロック１０２０の動作の詳細事項については後で説明する。
【００８２】
各フレームの先頭にプリアンブルを挿入した後、ＯＦＤＭ生成ブロック１０３０は、保護区間としてサイクリックプリフィックス（循環前置）（cyclic prefix）を有する従来のＯＦＤＭ変調を適用することができる。アンテナ空間ダイバーシチのために、分散型ＭＩＳＯ方式が送信器に適用される。また、ＰＡＰＲ（Peak-To-Average Power Reduction）方式が時間領域で行われる。柔軟なネットワーク計画のために、この提案は、多様なＦＦＴサイズ、保護区間長さ及び該当パイロットパターンのセットを提供する。ＯＦＤＭ生成ブロック１０３０の動作に関する詳細な内容は後で説明する。
【００８３】
シグナリング生成ブロック１０４０は、各機能ブロックの動作に使用される物理層シグナリング情報を生成することができる。また、このシグナリング情報は、関心のある（対象の）（of interest）サービス（services of interest）が受信側で適切に回復されるように送信される。シグナリング生成ブロック１０４０の動作の詳細事項については後で説明する。
【００８４】
図２、図３及び図４は、本発明の実施例に係る入力フォーマッティングブロック１０００を示す。以下では、各図面に関して説明する。
【００８５】
図２は、本発明の一実施例に係る入力フォーマッティングブロックを示す図である。図２は、入力信号が単一入力ストリームであるときの入力フォーマッティングブロックを示す。
【００８６】
図２に示した入力フォーマッティングブロックは、図１を参照して説明した入力フォーマッティングブロック１０００の実施例に該当する。
【００８７】
物理層への入力は、一つ又は複数のデータストリームで構成することができる。各データストリームは一つのＤＰによって伝達される。モード適応モジュールは、入ってくる（入り込む）（incoming）データストリームをベースバンドフレーム（ＢＢＦ）のデータフィールドにスライスする（切り分ける）（slice）。システムは、３つのタイプの入力データストリーム、すなわち、ＭＰＥＧ２−ＴＳ、インターネットプロトコル（ＩＰ）及びＧＳ（Generic Stream）をサポートする。ＭＰＥＧ２−ＴＳは、固定長（１８８バイト）パケットで特徴付けられ（特性化され）（characterized）、第１バイトはＳｙｎｃ  ｂｙｔｅ（０ｘ４７）である。ＩＰストリームは、ＩＰパケットヘッダ内でシグナリングされる可変長ＩＰデータグラムパケットで構成される。システムは、ＩＰストリームのためのＩＰｖ４及びＩＰｖ６をサポートする。ＧＳは、カプセル化パケットヘッダ内でシグナリングされる可変長パケット又は固定長パケットで構成することができる。
【００８８】
（ａ）は、信号ＤＰのためのモード適応ブロック２０００及びストリーム適応ブロック２０１０を示し、（ｂ）は、ＰＬＳ信号を生成して処理する物理層シグナリング（ＰＬＳ）生成ブロック２０２０及びＰＬＳスクランブラ２０３０を示す。以下では、各ブロックの動作を説明する。
【００８９】
入力ストリームスプリッタは、入力ＴＳ、ＩＰ、ＧＳストリームを複数のサービス又はサービスコンポーネント（オーディオ、ビデオなど）ストリームに切り分ける（分離する）（split）。モード適応モジュール２０１０は、ＣＲＣエンコーダ、ＢＢ（Baseband）フレームスライサ及びＢＢフレームヘッダ挿入ブロックで構成される。
【００９０】
ＣＲＣエンコーダは、ユーザパケット（ＵＰ）レベル、すなわち、ＣＲＣ−８、ＣＲＣ−１６及びＣＲＣ−３２で誤り訂正のための３つのタイプのＣＲＣエンコーディングを提供する。計算されたＣＲＣバイトはＵＰの後に添付される。ＣＲＣ−８はＴＳストリームに使用され、ＣＲＣ−３２はＩＰストリームに使用される。ＧＳストリームがＣＲＣエンコーディングを提供しない場合、提案されたＣＲＣエンコーディングが適用されなければならない。
【００９１】
ＢＢフレームスライサは、入力を内部論理ビット（internal logical-bit）フォーマットにマッピングする。最初に受信されたビットはＭＢＳ（Most Significant Bit）として定義される。ＢＢフレームスライサは、利用可能なデータフィールド容量と同一の複数の入力ビットを割り当てる。ＢＢＦペイロードと同一の複数の入力ビットを割り当てるために、ＵＰパケットストリームはＢＢＦのデータフィールドに合わせてスライスされる。
【００９２】
ＢＢフレームヘッダ挿入ブロックは、２バイトの固定長ＢＢＦヘッダをＢＢフレームの前に挿入することができる。ＢＢＦヘッダは、ＳＴＵＦＦＩ（１ビット）、ＳＹＮＣＤ（１３ビット）及びＲＦＵ（２ビット）で構成される。固定２バイトＢＢＦヘッダに加えて、ＢＢＦは、２バイトＢＢＦヘッダの端（最後）に（at the end of）拡張フィールド（１バイト又は３バイト）を有することができる。
【００９３】
ストリーム適応ブロック２０１０は、スタッフィング（stuffing）挿入ブロック及びＢＢスクランブラで構成される。スタッフィング挿入ブロックは、スタッフィングフィールドをＢＢフレームのペイロードに挿入することができる。ストリーム適応への入力データがＢＢフレームを満たすのに十分である場合、ＳＴＵＦＦＩは「０」に設定され、ＢＢＦはスタッフィングフィールドを有さない。そうでない場合、ＳＴＵＦＦＩが「１」に設定され、スタッフィングフィールドがＢＢＦヘッダの直後に挿入される。スタッフィングフィールドは、２バイトのスタッフィングフィールドヘッダ及び可変サイズのスタッフィングデータを含む。
【００９４】
ＢＢスクランブラは、エネルギ分散（energy dispersal）のために完全な（complete）ＢＢＦをスクランブル（拡散）する。スクランブルシーケンスはＢＢＦと同時に発生する。スクランブルシーケンスは、フィードバックされたシフトレジスタによって生成される。
【００９５】
ＰＬＳ生成ブロック２０２０は、物理層シグナリング（ＰＬＳ）データを生成することができる。ＰＬＳは、受信器に物理層ＤＰにアクセスする手段を提供する。ＰＬＳデータは、ＰＬＳ１データ及びＰＬＳ２データで構成される。
【００９６】
ＰＬＳ１データは、固定サイズ、コーディング及び変調を有するフレーム内のＦＳＳシンボルで伝達されるＰＬＳデータの第１セットであって、ＰＬＳ２データをデコードするのに必要なパラメータのみならず、システムに関する基本情報を伝達する。ＰＬＳ１データは、ＰＬＳ２データの受信及びデコーディングを可能にするのに要求されるパラメータを含む基本送信パラメータを提供する。また、ＰＬＳ１データは、フレームグループの期間の間で一定に維持される。
【００９７】
ＰＬＳ２データは、ＦＳＳシンボルで送信されるＰＬＳデータの第２セットであって、システム及びＤＰに対するより詳細なＰＬＳデータを伝達する。ＰＬＳ２は、受信器に十分なデータを提供し、所望のＤＰをデコードするパラメータを含む。また、ＰＬＳ２シグナリングは、２つのタイプのパラメータ、すなわち、ＰＬＳ２静的データ（ＰＬＳ２−ＳＴＡＴデータ）及びＰＬＳ２動的データ（ＰＬＳ２−ＤＹＮデータ）で構成される。ＰＬＳ２静的データは、フレームグループの期間の間で静的に維持される（残っている）（remains）ＰＬＳ２データであり、ＰＬＳ２動的データは、フレーム別に動的に変わり得るＰＬＳ２データである。
【００９８】
ＰＬＳデータの詳細事項については後で説明する。
【００９９】
ＰＬＳスクランブラ２０３０は、エネルギ分散のために生成されたＰＬＳデータをスクランブルすることができる。
【０１００】
上述したブロックは、省略したり、類似又は同一の機能を有するブロックに置き換え（取り替え）ることができる。
【０１０１】
図３は、本発明の他の実施例に係る入力フォーマッティングブロックを示す図である。
【０１０２】
図３に示した入力フォーマッティングブロックは、図１を参照して説明した入力フォーマッティングブロック１０００の実施例に該当する。
【０１０３】
図３は、入力信号が複数の入力ストリームに対応するときの入力フォーマッティングブロックのモード適応ブロックを示す。
【０１０４】
複数の入力ストリームを処理する入力フォーマッティングブロックのモード適応ブロックは、独立して複数の入力ストリームを処理することができる。
【０１０５】
図３を参照すると、複数の入力ストリームをそれぞれ処理するモード適応ブロックは、入力ストリームスプリッタ３０００、入力ストリーム同期化器（synchronizer）３０１０、遅延補償（補償遅延）（compensating delay block）ブロック３０２０、ヌル（null）パケット削除ブロック３０３０、ヘッダ（ヘッド）（head）圧縮ブロック３０４０、ＣＲＣエンコーダ３０５０、ＢＢフレームスライサ３０６０及びＢＢ（フレーム）ヘッダ挿入ブロック３０７０を含むことができる。以下では、モード適応ブロックの各ブロックを説明する。
【０１０６】
ＣＲＣエンコーダ３０５０、ＢＢフレームスライサ３０６０及びＢＢヘッダ挿入ブロック３０７０の動作は、図２を参照して説明したＣＲＣエンコーダ、ＢＢフレームスライサ及びＢＢヘッダ挿入ブロックに対応するので、これらに関する説明は省略する。
【０１０７】
入力ストリームスプリッタ３０００は、入力ＴＳ、ＩＰ  ＧＳストリームを複数のサービス又はサービスコンポーネント（オーディオ、ビデオなど）ストリームに切り分けることができる。
【０１０８】
入力ストリーム同期化器３０１０はＩＳＳＹと称することができる。ＩＳＳＹは、任意の入力データフォーマットに対する一定のエンド−ツー−エンド送信遅延及びＣＢＲ（Constant Bit Rate）を保証する適切な手段を提供することができる。ＩＳＳＹは、常にＴＳを伝達する複数のＤＰの場合に使用され、選択的に、ＧＳストリームを伝達するＤＰに使用される。
【０１０９】
遅延補償ブロック３０２０は、ＩＳＳＹ情報の挿入後に切り分けられたＴＳパケットストリームを遅延させ、受信器内の追加のメモリを要求せずにＴＳパケット再結合メカニズムを可能にすることができる。
【０１１０】
ヌルパケット削除ブロック３０３０は、ＴＳ入力ストリームケースにのみ使用される。任意のＴＳ入力ストリーム又は切り分けられたＴＳストリームは、ＣＢＲ  ＴＳストリームにおいてＶＢＲ（Variable Bit-Rate）サービスを収容する（accommodate）ために存在する複数のヌルパケットを有することができる。この場合、不要な送信オーバーヘッドを避けるために、ヌルパケットが識別され、送信されない。受信器において、除去されたヌルパケットは、送信時に挿入されたＤＮＰ（Deleted Null-Packet）カウンタを参照し、本来あった正確な場所に再挿入され、一定のビットレートを保証し、タイムスタンプ（ＰＣＲ）アップデートの必要性を避けることができる。
【０１１１】
ヘッダ圧縮ブロック３０４０は、パケットヘッダ圧縮を提供し、ＴＳ又はＩＰ入力ストリームに対する送信効率を増加させることができる。受信器がヘッダの所定部分に対する先験的情報（a priori information）を有し得るので、この既知の情報は送信器で削除され得る。
【０１１２】
トランスポート（送信）ストリーム（Transport Stream）に対して、受信器は、Ｓｙｎｃ  ｂｙｔｅ構成（０ｘ４７）及びパケット長さ（１８８バイト）に関する先験的情報を有する。入力ＴＳストリームが一つのＰＩＤを有する内容（コンテンツ）（content）を伝達すると、すなわち、一つのサービスコンポーネント（ビデオ、オーディオなど）又はサービスサブコンポーネント（ＳＶＣベース層、ＳＶＣエンハンスメント（インヘンスメント）（enhancement）層、ＭＶＣベースビュー又はＭＶＣ従属ビュー）に対してのみ、ＴＳパケットヘッダ圧縮を（選択的に）送信ストリームに適用することができる。入力ストリームがＩＰストリームである場合、ＩＰパケットヘッダ圧縮が選択的に使用される。上述したブロックは、省略したり、類似又は同一の機能を有するブロックに置き換えることができる。
【０１１３】
図４は、本発明の他の実施例に係る入力フォーマッティングブロックを示す図である。
【０１１４】
図４に示した入力フォーマッティングブロックは、図１を参照して説明した入力フォーマッティングブロック１０００の実施例に該当する。
【０１１５】
図４は、入力信号が複数の入力ストリームに対応するときの入力フォーマッティングモジュールのストリーム適応ブロックを示す。
【０１１６】
図４を参照すると、複数の入力ストリームをそれぞれ処理するモード適応ブロックは、スケジューラ４０００、１フレーム遅延ブロック４０１０、スタッフィング挿入ブロック４０２０、帯域内（インバンド）（in-band）シグナリング４０３０、ＢＢフレームスクランブラ４０４０、物理層シグナリング（ＰＬＳ）生成ブロック４０５０及びＰＬＳスクランブラ４０６０を含むことができる。以下では、ストリーム適応ブロックのそれぞれのブロックを説明する。
【０１１７】
スタッフィング挿入ブロック４０２０、ＢＢフレームスクランブラ４０４０、ＰＬＳ生成ブロック４０５０及びＰＬＳスクランブラ４０６０の動作は、図２を参照して説明したスタッフィング挿入ブロック、ＢＢスクランブラ、ＰＬＳ生成ブロック及びＰＬＳスクランブラに対応するので、これらに関する説明は省略する。
【０１１８】
スケジューラ４０００は、それぞれのＤＰのＦＥＣＢＬＯＣＫの量から全体の（entire）フレームにわたった全体の（overall）セル割り当てを決定することができる。ＰＬＳ、ＥＡＣ及びＦＩＣに対する割り当てを含めて、スケジューラは、ＰＬＳ２−ＤＹＮデータの値を生成し、これは、フレームのＦＳＳ内の帯域内シグナリング又はＰＬＳセルとして送信される。ＦＥＣＢＬＯＣＫ、ＥＡＣ及びＦＩＣの詳細事項については後で説明する。
【０１１９】
１フレーム遅延ブロック４０１０は、入力データを１送信フレームだけ遅延させ、次のフレームに関するスケジューリング情報を、ＤＰに挿入される帯域内シグナリング情報に対する現在のフレームを通じて送信させることができる。
【０１２０】
帯域内シグナリング４０３０は、ＰＬＳ２データの遅延されていない部分をフレームのＤＰに挿入することができる。
【０１２１】
上述したブロックは、省略したり、類似又は同一の機能を有するブロックに置き換えることができる。
【０１２２】
図５は、本発明の実施例に係るＢＩＣＭブロックを示す図である。
【０１２３】
図５に示したＢＩＣＭブロックは、図１を参照して説明したＢＩＣＭブロック１０１０の実施例に該当する。
【０１２４】
上述したように、本発明の実施例によって次世代放送サービスのための放送信号を送信する装置は、地上波放送サービス、モバイル放送サービス、ＵＨＤＴＶサービスなどを提供することができる。
【０１２５】
ＱｏＳは、本発明の実施例によって次世代放送サービスのための放送信号を送信する装置によって提供されるサービスの特性に依存するので、各サービスに対応するデータは、異なる方式を通じて処理される必要がある。よって、本発明の実施例に係るＢＩＣＭブロックは、ＳＩＳＯ、ＭＩＳＯ及びＭＩＭＯ方式を、データパスにそれぞれ対応するデータパイプに独立して適用することによって、それに（自体に）入力されたＤＰを独立して処理することができる。結果的に、本発明の実施例によって次世代放送サービスのための放送信号を送信する装置は、それぞれのＤＰを通じて送信されるそれぞれのサービス又はサービスコンポーネントに対するＱｏＳを制御することができる。
【０１２６】
（ａ）は、ベースプロファイル及びハンドヘルドプロファイルによって共有されたＢＩＣＭブロックを示し、（ｂ）は、アドバンスドプロファイルのＢＩＣＭブロックを示す。
【０１２７】
ベースプロファイル及びハンドヘルドプロファイルによって共有されたＢＩＣＭブロック並びに（及び）アドバンスドプロファイルによって共有されたＢＩＣＭブロックは、各ＤＰを処理する複数の処理ブロックを含むことができる。
【０１２８】
以下では、ベースプロファイル及びハンドヘルドプロファイルのためのＢＩＣＭブロック、並びに（及び）アドバンスドプロファイルのためのＢＩＣＭブロックのそれぞれの処理ブロックを説明する。
【０１２９】
ベースプロファイル及びハンドヘルドプロファイルのためのＢＩＣＭブロックの処理ブロック５０００は、データＦＥＣエンコーダ５０１０、ビットインターリーバ５０２０、コンステレーション（星状）マッパ５０３０、ＳＳＤ（Signal Space Diversity）エンコーディングブロック５０４０及び時間インターリーバ５０５０を含むことができる。
【０１３０】
データＦＥＣエンコーダ５０１０は、入力ＢＢＦに対してＦＥＣエンコーディングを行い、アウタコーディング（ＢＣＨ）及びインナコーディング（ＬＤＰＣ）を用いてＦＥＣＢＬＯＣＫ手続を生成することができる。アウタコーディング（ＢＣＨ）は選択的なコーディング方法である。データＦＥＣエンコーダ５０１０の動作の詳細事項については後で説明する。
【０１３１】
ビットインターリーバ５０２０は、データＦＥＣＴエンコーダ５０１０の出力をインターリーブし、効率的に具現可能な構造を提供しながらＬＤＰＣコード及び変調方式の組み合わせで最適化された性能を実現（達成）する（achieve）ことができる。ビットインターリーバ５０２０の動作の詳細事項については後で説明する。
【０１３２】
コンステレーションマッパ５０３０は、ＱＰＳＫ、ＱＡＭ−１６、不均一（non-uniform）ＱＡＭ（ＮＵＱ−６４、ＮＵＱ−２５６、ＮＵＱ−１０２４）又は不均一コンステレーション（ＮＵＣ−１６、ＮＵＣ−６４、ＮＵＣ−２５６、ＮＵＣ−１０２４）を用いて、ベース及びハンドヘルドプロファイル内のビットインターリーバ５０２０からの各セルワード並びに（及び）アドバンスドプロファイル内のセル−ワードデマルチプレクサ５０１０−１からのセルワードを変調し、電力正規化コンステレーションポイントを提供することができる。このコンステレーションマッピングはＤＰに対してのみ適用される。ＱＡＭ−１６及びＮＵＱは方形（square shaped）であるが、ＮＵＣは任意の形状を有する。それぞれのコンステレーションが９０度の任意の倍数で回転すると、回転したコンステレーションは正確に元の（本来の）（original）コンステレーションと重畳する。この「回転感覚（rotation-sense）対称特性は、実数成分及び虚数成分の平均電力及び容量を互いに同一にする。ＮＵＱ及びＮＵＣは、各コードレートに対して特別に定義され、使用される特定の一つがＰＬＳ２データで使用（提出）された（used）パラメータ（ＤＰ＿ＭＯＤ）によってシグナリングされる。
【０１３３】
ＳＳＤエンコーディングブロック５０４０は、２（２Ｄ）、３（３Ｄ）及び４（４Ｄ）次元でセルをプリコーディングし、異なるフェージング条件下で受信ロバスト性を増加させることができる。
【０１３４】
時間インターリーバ５０５０はＤＰレベルで動作し得る。時間インターリーブ（ＴＩ）のパラメータは、各ＤＰに対して異なるように（形に）（differently）設定することができる。時間インターリーバ５０５０の動作の詳細事項については後で説明する。
【０１３５】
アドバンスドプロファイルのためのＢＩＣＭブロックの処理ブロック５０００−１は、データＦＥＣエンコーダ、ビットインターリーバ、コンステレーションマッパ及び時間インターリーバを含むことができる。
【０１３６】
しかし、処理ブロック５０００−１は、処理ブロック５０００と区別され、セル−ワードデマルチプレク（キ）サ５０１０−１及びＭＩＭＯエンコーディングブロック５０２０−１をさらに含む。
【０１３７】
また、処理ブロック５０００−１のデータＦＥＣエンコーダ、ビットインターリーバ、コンステレーションマッパ及び時間インターリーバの動作は、上述したデータＦＥＣエンコーダ５０１０、ビットインターリーバ５０２０、コンステレーションマッパ５０３０及び時間インターリーバ５０５０に対応するので、これらに関する説明は省略する。
【０１３８】
セル−ワードデマルチプレクサ５０１０−１は、アドバンスドプロファイルのＤＰに使用され、単一セル−ワードストリームをＭＩＭＯ処理のためのデュアルセル−ワードストリームに切り分ける。セル−ワードデマルチプレクサ５０１０−１の動作の詳細事項については後で説明する。
【０１３９】
ＭＩＭＯエンコーディングブロック５０２０−１は、ＭＩＭＯエンコーディング方式を用いてセル−ワードデマルチプレクサ５０１０−１の出力を処理することができる。ＭＩＭＯエンコーディング方式は、放送信号の送信のために最適化された。ＭＩＭＯ技術は、容量を増加させる優れた方式であるが、チャネル特性に依存する。特に、ブロードキャスト（放送）（broadcasting）に対して、異なる信号伝播特性によって誘発された２個のアンテナ間で受信された信号電力の差又はチャネルの強いＬＯＳ成分は、ＭＩＭＯから容量利得（capacity gain）を得ることを困難にし得る。提案されたＭＩＭＯエンコーディング方式は、ＭＩＭＯ出力信号のうち一つの回転ベース（基盤）（rotation-based）プリコーディング及び位相ランダム化を用いてこの問題を克服する。
【０１４０】
ＭＩＭＯエンコーディングは、送信器及び受信器で少なくとも２個のアンテナを必要とする２ｘ２  ＭＩＭＯシステムを対象（目的）とする（intended for）ことができる。この提案において、２つのＭＩＭＯエンコーディングモード、すなわち、ＦＲ−ＳＭ（Full-Rate Spatial Multiplexing）及びＦＲＦＤ−ＳＭ（Full-Rate Full-Diversity Spatial Multiplexing）が定義される。ＦＲ−ＳＭエンコーディングは、受信器側で比較的小さい複雑度の増加と共に容量の増加を提供するが、ＦＲＦＤ−ＳＭエンコーディングは、受信器側で大きい複雑度の増加と共に、容量の増加及び追加のダイバーシチ利得を提供する。提案されたＭＩＭＯエンコーディング方式は、アンテナ極性構成（antenna polarity configuration）に対する制限を有さない。
【０１４１】
ＭＩＭＯ処理は、アドバンスドプロファイルフレームのために要求することができ、これは、アドバンスドプロファイルフレーム内の全てのＤＰがＭＩＭＯエンコーダによって処理されることを意味する。ＭＩＭＯ処理はＤＰレベルで適用することができる。コンステレーションマッパ出力（constellation mapper output）（ＮＵＱ）のペア（ｅ1,i及びｅ2,i）は、ＭＩＭＯエンコーダの入力に供給することができる。ＭＩＭＯエンコーダ出力のペア（ｇ1,i及びｇ2,i）は、それぞれのＴＸアンテナのＯＦＤＭシンボル（ｌ）及び同一のキャリア（ｋ）によって送信され得る。
【０１４２】
上述したブロックは、省略したり、類似又は同一の機能を有するブロックに置き換えることができる。
【０１４３】
図６は、本発明の他の実施例に係るＢＩＣＭブロックを示す図である。
【０１４４】
図６に示したＢＩＣＭブロックは、図１を参照して説明したＢＩＣＭブロック１０１０の実施例に該当する。
【０１４５】
図６は、物理層シグナリング（ＰＬＳ）、非常警報チャネル（ＥＡＣ）及び高速情報チャネル（ＦＩＣ）の保護のためのＢＩＣＭブロックを示す。ＥＡＣは、ＥＡＳ情報を伝達するフレームの一部であって、ＦＩＣは、サービスと該当ベースＤＰとの間のマッピング情報を伝達するフレーム内の論理チャネルである。ＥＡＣ及びＦＩＣの詳細事項については後で説明する。
【０１４６】
図６を参照すると、ＰＬＳ、ＥＡＣ及びＦＩＣの保護のためのＢＩＣＭブロックは、ＰＬＳ  ＦＥＣエンコーダ６０００、ビットインターリーバ６０１０、コンステレーション（星状）マッパ６０２０を含むことができる。
【０１４７】
また、ＰＬＳ  ＦＥＣエンコーダ６０００は、スクランブラ、ＢＣＨエンコーディング／ゼロ挿入ブロック、ＬＤＰＣエンコーディングブロック及びＬＤＰＣパリティパ（ファ）ンクチャリングブロックを含むことができる。以下では、ＢＩＣＭブロックの各ブロックを説明する。
【０１４８】
ＰＬＳ  ＦＥＣエンコーダ６０００は、スクランブルされたＰＬＳ  １／２データ、ＥＡＣ及びＦＩＣセクションをエンコードすることができる。
【０１４９】
スクランブラは、ＢＣＨエンコーディング及び短縮及びパンクチャされたＬＤＰＣエンコーディングの前に（before BCH encoding and shortened and punctured LDPC encoding）、ＰＬＳ１データ及びＰＬＳ２データをスクランブルすることができる。
【０１５０】
ＢＣＨエンコーディング／ゼロ挿入ブロックは、ＰＬＳ保護のために短縮されたＢＣＨコードを用いてスクランブルされたＰＬＳ  １／２データに対してアウタエンコーディングを行い、ＢＣＨエンコーディング後にゼロビットを挿入することができる。ＰＬＳ１データに対してのみ、ＬＤＰＣエンコーディングの前にゼロ挿入の出力ビットが並べ替えられ（パーミュートされ）（permuted）得る。
【０１５１】
ＬＤＰＣエンコーディングブロックは、ＬＤＰＣコードを用いてＢＣＨエンコーディング／ゼロ挿入ブロックの出力をエンコードすることができる。完全なコーディングブロック（Ｃldpc）を生成するために、パリティビット（Ｐldpc）がそれぞれのゼロ挿入ＰＬＳ情報ブロック（Ｉldpc）からシステマティックに（組織的に）（systematically）エンコードされ、その後に添付される。
【０１５２】
〔数式１〕
【数１】
0006453460.tif 000005
【０１５３】
ＰＬＳ１及びＰＬＳ２に対するＬＤＰＣコードパラメータは、次の表４の通りである。
【０１５４】
〔表４〕
【表４】
0006453460.tif 000006
【０１５５】
ＬＤＰＣパリティパンクチャリングブロックは、ＰＬＳ１データ及びＰＬＳ２データに対してパンクチャリングを行うことができる。
【０１５６】
ＰＬＳ１データ保護（data protection）に短縮（shortening）が適用されると、任意のＬＤＰＣパリティビットは、ＬＤＰＣエンコーディング後にパンクチャされる。また、ＰＬＳ２データの保護のために、ＰＬＳ２のＬＤＰＣパリティビットはＬＤＰＣエンコーディング後にパンクチャされる。これらのパンクチャされたビットは送信されない。
【０１５７】
ビットインターリーバ６０１０は、それぞれ短縮及びパンクチャされたＰＬＳ１データ及びＰＬＳ２データをインターリーブする。
【０１５８】
コンステレーションマッパ６０２０は、ビットインターリーブされたＰＬＳ１データ及びＰＬＳ２データをコンステレーションにマッピングすることができる。
【０１５９】
上述したブロックは、省略したり、類似又は同一の機能を有するブロックに置き換えることができる。
【０１６０】
図７は、本発明の一実施例に係るフレーム構築ブロックを示す図である。
【０１６１】
図７に示したフレーム構築ブロックは、図１を参照して説明したフレーム構築（ビルディング）ブロック１０２０の実施例に該当する。
【０１６２】
図７を参照すると、フレーム構築ブロックは、遅延補償（delay compensation）ブロック７０００、セルマッパ７０１０及び周波数インターリーバ７０２０を含むことができる。以下では、フレーム構築ブロックのそれぞれのブロックを説明する。
【０１６３】
遅延補償ブロック７０００は、データパイプと対応するＰＬＳデータとの間のタイミングを調節し、送信端で時間が共に合う（合わせられる）ように保証することができる。ＰＬＳデータは、入力フォーマッティングブロック及びＢＩＣＭブロックによって誘発されたデータパイプの遅延を処理することによって、データパイプと同一の量だけ遅延される。ＢＩＣＭブロックの遅延は、主に時間インターリーバ５０５０による。帯域内シグナリングデータは、次のＴＩグループの情報を伝達し、シグナリングされるＤＰより一つのフレームだけ速く伝達される。よって、遅延補償ブロックは、帯域内シグナリングデータを遅延させる。
【０１６４】
セルマッパ７０１０は、ＰＬＳ、ＥＡＣ、ＦＩＣ、ＤＰ、補助ストリーム及びダミーセルをフレーム内のＯＦＤＭシンボルのアクティブキャリアにマッピングすることができる。セルマッパ７０１０の基本機能は、もしあれば、ＤＰ、ＰＬＳセル及びＥＡＣ／ＦＩＣセル（ＤＰ、ＰＬＳセル及びＥＡＣ／ＦＩＣセルのいずれかがあれば、これらのセル）（the DPs, PLS cells, and EAC/FIC cells, if any）のそれぞれに対してＴＩによって生成されたデータセルを、フレーム内のＯＦＤＭシンボルのそれぞれに対応するアクティブＯＦＤＭセルの配列にマッピングすることである。サービスシグナリングデータ（ＰＳＩ（Program Specific Information）／ＳＩ））は、データパイプによって個別に集めて送信することができる。セルマッパは、スケジューラによって生成された動的情報及びフレーム構造の構成（設定）（configuration）によって動作する。フレームの詳細事項については後で説明する。
【０１６５】
周波数インターリーバ７０２０は、セルマッパ７０１０から受信したデータセルをランダムにインターリーブし、周波数ダイバーシチを提供することができる。また、周波数インターリーバ７０２０は、異なるインターリーブシード（interleaving-seed）順序（オーダ）（order）を用いて、２個のシーケンシャル（順次的な）（sequential）ＯＦＤＭシンボルで構成されるＯＦＤＭシンボルペアに対して動作し、単一フレーム内の最大のインターリーブ利得を得ることができる。周波数インターリーバ７０２０の動作の詳細事項については後で説明する。
【０１６６】
上述したブロックは、省略したり、類似又は同一の機能を有するブロックに置き換えることができる。
【０１６７】
図８は、本発明の実施例に係るＯＦＤＭ生成ブロックを示す図である。
【０１６８】
図８に示したＯＦＤＭ生成ブロックは、図１を参照して説明したＯＦＤＭ生成ブロック１０３０の実施例に該当する。
【０１６９】
ＯＦＤＭ生成ブロックは、フレーム構築ブロックによって生成されたセルによってＯＦＤＭキャリアを変調し、パイロットを挿入し、送信される時間領域信号を生成する。また、このブロックは、保護区間を順次挿入し、ＰＡＰＲ（Peak-To-Average Power Ratio）減少（reduction）処理を適用して最終ＲＦ信号を生成する。
【０１７０】
図８を参照すると、フレーム構築ブロックは、パイロット及びリザーブ（予約）トーン挿入ブロック８０００、２Ｄ−ｅＳＦＮエンコーディングブロック８０１０、ＩＦＦＴ（Inverse Fast Fourier Transform）ブロック８０２０、ＰＡＰＲ減少ブロック８０３０、保護区間挿入ブロック８０４０、プリアンブル挿入ブロック８０５０、他のシステム挿入ブロック８０６０及びＤＡＣブロック８０７０を含むことができる。以下では、フレーム構築ブロックのそれぞれのブロックを説明する。
【０１７１】
パイロット及びリザーブトーン挿入ブロック８０００は、パイロット及びリザーブトーンを挿入することができる。
【０１７２】
ＯＦＤＭシンボル内の多様なセルは、パイロットとして知られた基準（参照）（reference）情報で変調され、パイロットは、受信器で先験的に知られた送信値を有する。パイロットセルの情報は、分散されたパイロット、反復パイロット（continual pilot）、エッジパイロット、ＦＳＳ（Frame Signaling Symbol）パイロット及びＦＥＳ（Frame Edge Symbol）パイロットで構成される。それぞれのパイロットは、パイロットタイプ及びパイロットパターンによって特定のブーストパワー（ブースティング電力）レベルで送信される。パイロット情報の値は、任意の与えられたシンボル上のそれぞれの送信されたキャリアに対する一連の値である基準シーケンスから導出される。パイロットは、フレーム同期化、周波数同期化、時間同期化、チャネル推定及び送信モード識別に使用することができ、また、位相雑音をフォローする（following）のに使用することができる。
【０１７３】
基準シーケンスから取得された基準情報は、フレームのプリアンブル、ＦＳＳ及びＦＥＳを除いた全てのシンボルにおいて（in every symbol）分散されたパイロットセルで送信される。反復パイロットは、フレームの全てのシンボルに挿入される。反復パイロットの数及び位置は、ＦＦＴサイズ及び分散されたパイロットパターンに依存する。エッジキャリアは、プリアンブルシンボルを除いた全てのシンボル内のエッジパイロットである。これらは、スペクトルのエッジまで周波数補間を可能にするために挿入される。ＦＳＳパイロットはＦＳＳに挿入され、ＦＥＳパイロットはＦＥＳに挿入される。これらは、フレームのエッジまで時間補間を可能にするために挿入される。
【０１７４】
本発明の実施例に係るシステムは、ＳＦＮネットワークをサポートし、分散型ＭＩＳＯ方式は、選択的に非常にロバストな送信モードをサポートするのに使用される。２Ｄ−ｅＳＦＮは、複数のＴＸアンテナを用いる分散型ＭＩＳＯ方式であって、それぞれのＴＸアンテナはＳＦＮネットワーク内の異なる送信側に配置される。
【０１７５】
２Ｄ−ｅＳＦＮエンコーディングブロック８０１０は、ＳＦＮ構成で時間及び周波数ダイバーシチを生成するために２Ｄ−ｅＳＦＮ処理を行い、複数の送信器から送信された信号の位相を歪曲する（distorts the phase）ことができる。そのため、長い時間の間の低いフラットフェージング又は深いフェージングによるバーストエラーを緩和することができる。
【０１７６】
ＩＦＦＴブロック８０２０は、ＯＦＤＭ変調方式を用いて２Ｄ−ｅＳＦＮエンコーディングブロック８０１０からの出力を変調することができる。パイロットとして（又はリザーブトーンとして）指定されていないデータシンボル内の任意のセルは、周波数インターリーバからのデータセルのうち一つを伝達する。セルはＯＦＤＭキャリアにマッピングされる。
【０１７７】
ＰＡＰＲ減少ブロック８０３０は、時間領域内の多様なＰＡＰＲ減少アルゴリズムを用いて入力信号に対するＰＡＰＲ減少を行うことができる。
【０１７８】
保護区間挿入ブロック８０４０は保護区間を挿入することができ、プリアンブル挿入ブロック８０５０は信号の前にプリアンブルを挿入することができる。プリアンブルの構造の詳細事項については後で説明する。
【０１７９】
他のシステム挿入ブロック８０６０は、時間領域で複数の放送送受信システムの信号を多重化し、放送サービスを提供する２個以上の異なる放送送信／受信システムのデータが同一のＲＦ信号帯域幅で同時に送信され得る。この場合、２個以上の異なる放送送受信システムは、異なる放送サービスを提供するシステムを称する。異なる放送サービスは、地上波放送サービス、モバイル放送サービスなどを称する。それぞれの放送サービスと関連するデータは、異なるフレームを通じて送信され得る。
【０１８０】
ＤＡＣブロック８０７０は、入力デジタル信号をアナログ信号に変換し、アナログ信号を出力することができる。ＤＡＣブロック８０７０から出力された信号は、物理層プロファイルによって複数の出力アンテナを介して送信され得る。本発明の実施例に係るＴＸアンテナは、垂直又は水平極性（polarity）を有することができる。
【０１８１】
上述したブロックは、省略したり、類似又は同一の機能を有するブロックに置き換えることができる。
【０１８２】
図９は、本発明の実施例によって次世代放送サービスのための放送信号を受信する装置の構造を示す図である。
【０１８３】
本発明の実施例によって次世代放送サービスのための放送信号を受信する装置は、図１を参照して説明した次世代放送サービスのために放送信号を送信する装置に対応し得る。
【０１８４】
本発明の実施例によって次世代放送サービスのための放送信号を受信する装置は、同期化及び復調モジュール９０００、フレームパージングモジュール９０１０、デマッピング及びデコーディングモジュール９０２０、出力プロセッサ９０３０及びシグナリングデコーディングモジュール９０４０を含むことができる。以下では、放送信号を受信する装置の各モジュールの動作を説明する。
【０１８５】
同期化及び復調モジュール９０００は、ｍ個のＲｘアンテナを介して入力信号を受信し、放送信号を受信する装置に対応するシステムに対して信号検出及び同期化を行い、放送信号を送信する装置によって行われる手続の逆の手続に対応する復調を行うことができる。
【０１８６】
フレームパージングモジュール９０１０（９１００）は、入力信号フレームをパースし、ユーザによって選択されたサービスが送信されるデータを抽出することができる。放送信号を送信する装置がインターリーブを行うと、フレームパージングモジュール９０１０（９１００）は、インターリーブの逆の手続に対応するデインターリーブを行うことができる。この場合、抽出される必要がある信号及びデータの位置は、シグナリングデコーディングモジュール９０４０（９４００）から出力されたデータをデコードし、放送信号を送信する装置によって生成されたシグナリング情報を復元（回復）する（restore）ことによって得ることができる。
【０１８７】
デマッピング及びデコーディングモジュール９０２０（９２００）は、入力信号をビット領域データに変換した後、必要に応じてデインターリーブを行うことができる。デマッピング及びデコーディングモジュール９０２０（９２００）は、送信効率のために適用されたマッピングに対してデマッピングを行い、デコーディングを通じて送信チャネルに対して生成された誤りを訂正することができる。この場合、デマッピング及びデコーディングモジュール９０２０（９２００）は、シグナリングデコーディングモジュール９０４０（９４００）から出力されたデータをデコードすることによって、デマッピング及びデコーディングに必要な送信パラメータを得ることができる。
【０１８８】
出力プロセッサ９０３０（９３００）は、放送信号を送信し、送信効率を改善する装置によって適用される多様な圧縮／信号処理手続の逆の手続を行うことができる。この場合、出力プロセッサ９０３０（９３００）は、シグナリングデコーディングモジュール９０４０（９４００）から出力されたデータから必要な制御情報を得ることができる。出力プロセッサ９０３０（８３００）の出力は、放送信号を送信する装置に入力される信号に対応し、ＭＰＥＧ−ＴＳ、ＩＰストリーム（ｖ４又はｖ６）及び一般ストリームであり得る。
【０１８９】
シグナリングデコーディングモジュール９０４０（９４００）は、同期化及び復調モジュール９０００によって復調された信号からＰＬＳ情報を得ることができる。上述したように、フレームパージングモジュール９０１０（９１００）、デマッピング及びデコーディングモジュール９０２０（９２００）及び出力プロセッサ９０３０（９３００）は、シグナリングデコーディングモジュール９０４０（９４００）から出力されたデータを用いてその機能を実行することができる。
【０１９０】
図１０は、本発明の実施例に係るフレーム構造を示す図である。
【０１９１】
図１０は、スーパーフレーム内のフレームタイプ及びＦＲＵの例示的な構成を示す。（ａ）は、本発明の実施例に係るスーパーフレームを示し、（ｂ）は、本発明の実施例に係るＦＲＵ（Frame Repetition Unit）を示し、（ｃ）は、ＦＲＵ内の可変ＰＨＹプロファイルのフレームを示し、（ｄ）はフレームの構造を示す。
【０１９２】
スーパーフレームは８個のＦＲＵで構成することができる。ＦＲＵは、フレームのＴＤＭのための基本多重化（マルチプレキシング）（multiplexing）単位であって、スーパーフレーム内で８回繰り返される。
【０１９３】
ＦＲＵ内の各フレームは、ＰＨＹプロファイル（ベース、ハンドヘルド、アドバンスド）及びＦＥＴのうちの一つに属する。ＦＲＵ内のフレームの最大許容数は４であり、与えられたＰＨＹプロファイルは、ＦＲＵ（例えば、ベース、ハンドヘルド、アドバンスド）で０回（倍）（times）から４回までの任意の回数だけ表れ得る。ＰＨＹプロファイルの定義は、必要であれば、プリアンブル内のＰＨＹ＿ＰＲＯＦＩＬＥのリザーブ値を用いて拡張することができる。
【０１９４】
ＦＥＴ部分は、含まれるならば、ＦＲＵの端に挿入される。ＦＥＴがＦＲＵに含まれると、スーパーフレームにおけるＦＥＴの最小数は８である。ＦＥＴ部分が互いに隣接することは推薦されない。
【０１９５】
また、一つのフレームは、複数のＯＦＤＭシンボルとプリアンブルとに分割される。（ｄ）に示したように、フレームは、プリアンブル、一つ又は複数のフレームシグナリングシンボル（ＦＳＳ）、通常データシンボル及びフレームエッジシンボル（ＦＥＳ）を含む。
【０１９６】
プリアンブルは、高速フューチャーキャストＵＴＢシステム信号の検出が可能であり、信号の効率的な送受信のための基本送信パラメータのセットを提供する特殊シンボルである。プリアンブルの詳細説明については後で説明する。
【０１９７】
ＦＳＳの主要な目的はＰＬＳデータを伝達することにある。高速同期化及びチャネル推定、及びＰＬＳデータの高速デコーディングのために、ＦＳＳは、通常データシンボルより密度の高い（密集した）（more dense）パイロットパターンを有する。ＦＥＳは、正確にＦＳＳと同一のパイロットを有し、これは、ＦＥＳの直前のシンボルに対して外挿せず、ＦＥＳ内の周波数専用補間及び時間補間を可能にする。
【０１９８】
図１１は、本発明の実施例に係るフレームのシグナリング層構造を示す図である。
【０１９９】
図１１は、３つの主要部分、すなわち、プリアンブルシグナリングデータ１１０００、ＰＬＳ１データ１１０１０及びＰＬＳ２データ１１０２０に切り分けられたシグナリング層構造を示す。全てのフレームでプリアンブルシンボルによって伝達されるプリアンブルの目的は、そのフレームの送信タイプ及び基本送信パラメータを指示することにある。ＰＬＳ１は、受信器がＰＬＳ２データにアクセスし、ＰＬＳ２データをデコードするようにし、これは、関心のあるＤＰにアクセスするパラメータを含む。ＰＬＳ２は、全てのフレームで伝達され、２個の主要部分、すなわち、ＰＬＳ２−ＳＴＡＴデータとＰＬＳ２−ＤＹＮデータとに切り分けられる。ＰＬＳ２データの静的及び動的部分には、必要であればパディングが後に来る（続く）（followed by）。
【０２００】
図１２は、本発明の実施例に係るプリアンブルシグナリングデータを示す図である。
【０２０１】
プリアンブルシグナリングデータは、フレーム構造内で受信器がＰＬＳデータにアクセスし、ＤＰをトレースできるようにする（させる）のに必要な情報の２１ビットを伝達する。プリアンブルシグナリングの詳細事項は次の通りである。
【０２０２】
ＰＨＹ＿ＰＲＯＦＩＬＥ：この３ビットフィールドは、現在のフレームのＰＨＹプロファイルタイプを示す。異なるＰＨＹプロファイルタイプのマッピングは、以下の表５に与えられる。
【０２０３】
〔表５〕
【表５】
0006453460.tif 000007
【０２０４】
ＦＦＴ＿ＳＩＺＥ：この２ビットフィールドは、以下の表６に記載したように、フレームグループ内の現在のフレームのＦＦＴサイズを示す。
【０２０５】
〔表６〕
【表６】
0006453460.tif 000008
【０２０６】
ＧＩ＿ＦＲＡＣＴＩＯＮ：この３ビットフィールドは、以下の表７に記載したように、現在のスーパーフレーム内の保護区間の分数（fraction）値を示す。
【０２０７】
〔表７〕
【表７】
0006453460.tif 000009
【０２０８】
ＥＡＣ＿ＦＬＡＧ：この１ビットフィールドは、ＥＡＣが現在のフレームで提供されるか否かを示す。このフィールドが「１」に設定されると、ＥＡＳ（Emergency Alert Service）が現在のフレームで提供される。このフィールドが「０」に設定されると、ＥＡＳが現在のフレームで伝達されない。このフィールドは、スーパーフレーム内で動的に切り替えられ（スイッチされ）（switched）得る。
【０２０９】
ＰＩＬＯＴ＿ＭＯＤＥ：この１ビットフィールドは、パイロット（プロファイル）モードが現在のフレームグループ内の現在のフレームに対してモバイルモードであるか、それとも固定モードであるかを指示する。このフィールドが「０」に設定されると、モバイルパイロットモードが使用される。フィールドが「１」に設定されると、固定パイロットモードが使用される。
【０２１０】
ＰＡＰＲ＿ＦＬＡＧ：この１ビットフィールドは、ＰＡＰＲ減少が現在のフレームグループ内の現在のフレームに使用されるか否かを指示する。このフィールドが「１」に設定されると、ＰＡＰＲ減少にトーンリザーブ（tone reservation）が使用される。このフィールドが「０」に設定されると、ＰＡＰＲ減少が使用されない。
【０２１１】
ＦＲＵ＿ＣＯＮＦＩＧＵＲＥ：この３ビットフィールドは、現在のスーパーフレーム内に存在するＦＲＵ（Frame Repetition Unit）のＰＨＹプロファイルタイプ構成を示す。現在のスーパーフレームで伝達される全ての（all）プロファイルタイプは、現在のスーパーフレーム内の全てのフレーム内のこのフィールドで識別される。３ビットフィールドは、以下の表８に示したように、各プロファイルに対する異なる定義を有する。
【０２１２】
〔表８〕
【表８】
0006453460.tif 000010
【０２１３】
ＲＥＳＥＲＶＥＤ：この７ビットフィールドは、将来の使用のためにリザーブされる。
【０２１４】
図１３は、本発明の実施例に係るＰＬＳ１データを示す図である。
【０２１５】
ＰＬＳ１データは、ＰＬＳ２の受信及びデコーディングを可能にするのに必要なパラメータを含む基本送信パラメータを提供する。上述したように、ＰＬＳ１データは、一つのフレームグループ全体の（entire）期間の間に変更されない。ＰＬＳ１データのシグナリングフィールドの詳細な定義は次の通りである。
【０２１６】
ＰＲＥＡＭＢＬＥ＿ＤＡＴＡ：この２０ビットフィールドは、ＥＡＣ＿ＦＬＡＧを除いたプリアンブルシグナリングデータのコピー（写本）（copy）である。
【０２１７】
ＮＵＭ＿ＦＲＡＭＥ＿ＦＲＵ：この２ビットフィールドは、ＦＲＵ当たりのフレームの数を示す。
【０２１８】
ＰＡＹＬＯＡＤ＿ＴＹＰＥ：この３ビットフィールドは、フレームグループで伝達されるペイロードデータのフォーマットを指示する。ＰＡＹＬＯＡＤ＿ＴＹＰＥは、表９に示したようにシグナリングされる。
【０２１９】
〔表９〕
【表９】
0006453460.tif 000011
【０２２０】
ＮＵＭ＿ＦＳＳ：この２ビットフィールドは、現在のフレーム内のＦＳＳシンボルの数を示す。
【０２２１】
ＳＹＳＴＥＭ＿ＶＥＲＳＩＯＮ：この８ビットフィールドは、送信された信号フォーマットのバージョンを示す。ＳＹＳＴＥＭ＿ＶＥＲＳＩＯＮは、２個の４ビットフィールド、すなわち、メジャーバージョンとマイナーバージョンとに分割される。
【０２２２】
メジャーバージョン：ＳＹＳＴＥＭ＿ＶＥＲＳＩＯＮフィールドのＭＳＢ４ビットは、メジャーバージョン情報を示す。メジャーバージョンフィールドの変化は、非下位互換（non-backward-compatible）の変化を示す。デフォルト値は「００００」である。この標準に記載したバージョンにおいて、値は「００００」に設定される。
【０２２３】
マイナーバージョン：ＳＹＳＴＥＭ＿ＶＥＲＳＩＯＮのＬＳＢ４ビットは、マイナーバージョン情報を示す。マイナーバージョンフィールドの変化は下位互換（性）である。
【０２２４】
ＣＥＬＬ＿ＩＤ：これは、ＡＴＳＣネットワークで地理的なセルを一意に識別する１６ビットフィールドである。ＡＴＳＣセルカバレッジ領域は、フューチャーキャストＵＴＢシステムに使用される周波数の数に依存し、一つ又は複数の周波数で構成することができる。ＣＥＬＬ＿ＩＤの値が知られていないか、特定されていない場合、このフィールドは「０」に設定される。
【０２２５】
ＮＥＴＷＯＲＫ＿ＩＤ：これは、現在のＡＴＳＣネットワークを一意に識別する１６ビットフィールドである。
【０２２６】
ＳＹＳＴＥＭ＿ＩＤ：この１６ビットフィールドは、ＡＴＳＣネットワーク内のフューチャーキャストＵＴＢシステムを一意に識別する。フューチャーキャストＵＴＢシステムは、入力が一つ又は複数の入力ストリーム（ＴＳ、ＩＰ、ＧＳ）であって、出力がＲＦ信号である地上波放送システムである。フューチャーキャストＵＴＢシステムは、もしあれば、一つ又は複数のＰＨＹプロファイル及びＦＥＴを伝達する。同一のフューチャーキャストＵＴＢシステムは、異なる入力ストリームを伝達することができ、異なる地理的領域で異なるＲＦ周波数を使用してローカルサービス挿入を可能にする。フレーム構造及びスケジューリングは、一ヵ所（一つの場所）で（in one place）制御され、フューチャーキャストＵＴＢシステム内で全ての（all）送信に対して同一である。一つ又は複数のフューチャーキャストＵＴＢシステムは、全て同一の物理層構造及び構成を有することを意味する同一のＳＹＳＴＥＭ＿ＩＤを有することができる。
【０２２７】
次のループは、各フレームタイプのＦＲＵ構成及び長さを指示するのに使用されるＦＲＵ＿ＰＨＹ＿ＰＲＯＦＩＬＥ、ＦＲＵ＿ＦＲＡＭＥ＿ＬＥＮＧＴＨ、ＦＲＵ＿ＧＩ＿ＦＲＡＣＴＩＯＮ及びＲＥＳＥＲＶＥＤで構成される。ループのサイズは固定であり、４個のＰＨＹプロファイル（ＦＥＴを含む）がＦＲＵ内でシグナリングされる。ＮＵＭ＿ＦＲＡＭＥ＿ＦＲＵが４より小さいと、使用されないフィールドはゼロで満たされる。
【０２２８】
ＦＲＵ＿ＰＨＹ＿ＰＲＯＦＩＬＥ：この３ビットフィールドは、関連（連関）した（associated）ＦＲＵの（ｉ＋１）番目（ｉは、ループインデックスである）のフレームのＰＨＹプロファイルタイプを示す。このフィールドは、表８に示したように、（表８に示したのと）同一のシグナリングフォーマット（the same signaling format as shown in the table 8）を使用する。
【０２２９】
ＦＲＵ＿ＦＲＡＭＥ＿ＬＥＮＧＴＨ：この２ビットフィールドは、関連したＦＲＵの（ｉ＋１）番目のフレームの長さを示す。ＦＲＵ＿ＧＩ＿ＦＲＡＣＴＩＯＮと共にＦＲＵ＿ＦＲＡＭＥ＿ＬＥＮＧＴＨを用いて、フレーム期間の正確な値を得ることができる。
【０２３０】
ＦＲＵ＿ＧＩ＿ＦＲＡＣＴＩＯＮ：この３ビットフィールドは、関連したＦＲＵの（ｉ＋１）番目のフレームの保護区間の分数値を示す。ＦＲＵ＿ＧＩ＿ＦＲＡＣＴＩＯＮは、表７によってシグナリングされる。
【０２３１】
ＲＥＳＥＲＶＥＤ：この４ビットフィールドは将来の使用のためにリザーブされる。
【０２３２】
次のフィールドは、ＰＬＳ２データをデコードするパラメータを提供する。
【０２３３】
ＰＬＳ２＿ＦＥＣ＿ＴＹＰＥ：この２ビットフィールドは、ＰＬＳ２の保護によって使用されるＦＥＣタイプを示す。ＦＥＣタイプは、表１０によってシグナリングされる。ＬＤＰＣコードの詳細事項については後で説明する。
【０２３４】
〔表１０〕
【表１０】
0006453460.tif 000012
【０２３５】
ＰＬＳ２＿ＭＯＤ：この３ビットフィールドは、ＰＬＳ２によって使用される変調タイプを示す。変調タイプは、表１１によってシグナリングされる。
【０２３６】
〔表１１〕
【表１１】
0006453460.tif 000013
【０２３７】
ＰＬＳ２＿ＳＩＺＥ＿ＣＥＬＬ：この１５ビットフィールドは、現在のフレームグループで伝達されるＰＬＳ２に対するフルコーディングブロック（full coded blocks）の集合（collection）のサイズ（ＱＡＭセルの数として特定される）（Ctotal_partial_block）を示す。この値は、現在のフレームグループ全体の期間の間で一定である。
【０２３８】
ＰＬＳ２＿ＳＴＡＴ＿ＳＩＺＥ＿ＢＩＴ：この１４ビットフィールドは、現在のフレームグループに対するＰＬＳ２−ＳＴＡＴのビットサイズを示す。この値は、現在のフレームグループの全体の期間の間で一定である。
【０２３９】
ＰＬＳ２＿ＤＹＮ＿ＳＩＺＥ＿ＢＩＴ：この１４ビットフィールドは、現在のフレームグループに対するＰＬＳ２−ＤＹＮのビットサイズを示す。この値は、現在のフレームグループの全体の期間の間で一定である。
【０２４０】
ＰＬＳ２＿ＲＥＰ＿ＦＬＡＧ：この１ビットフラグは、現在のフレームグループでＰＬＳ２反復モードが使用されるか否かを示す。このフィールドが値「１」に設定されると、ＰＬＳ２反復モードが活性化される。このフィールドが値「０」に設定されると、ＰＬＳ２反復モードが非活性化される。
【０２４１】
ＰＬＳ２＿ＲＥＰ＿ＳＩＺＥ＿ＣＥＬＬ：この１５ビットフィールドは、ＰＬＳ２反復が使用されるとき、現在のフレームグループの全ての（every）フレームで伝達されるＰＬＳ２に対する部分コーディングブロック（partial coded blocks）の集合（collection）のサイズ（ＱＡＭセルの数として特定される）（Ctotal_partial_block）を示す。反復が使用されない場合、このフィールドの値は０と同一である。この値は、現在のフレームグループの全体の期間の間で一定である。
【０２４２】
ＰＬＳ２＿ＮＥＸＴ＿ＦＥＣ＿ＴＹＰＥ：この２ビットフィールドは、次のフレームグループの全てのフレームで伝達されるＰＬＳ２に使用されるＦＥＣタイプを示す。ＦＥＣタイプは、表１０によってシグナリングされる。
【０２４３】
ＰＬＳ２＿ＮＥＸＴ＿ＭＯＤ：この３ビットフィールドは、次のフレームグループの全てのフレームで伝達されるＰＬＳ２に使用される変調タイプを示す。変調タイプは、表１１によってシグナリングされる。
【０２４４】
ＰＬＳ２＿ＮＥＸＴ＿ＲＥＰ＿ＦＬＡＧ：この１ビットフィールドは、次のフレームグループでＰＬＳ２反復モードが使用されるか否かを示す。このフィールドが値「１」に設定されると、ＰＬＳ２反復モードが活性化される。このフィールドが値「０」に設定されると、ＰＬＳ２反復モードが非活性化される。
【０２４５】
ＰＬＳ２＿ＮＥＸＴ＿ＲＥＰ＿ＳＩＺＥ＿ＣＥＬＬ：この１５ビットフィールドは、ＰＬＳ２反復が使用されるとき、次のフレームグループの全ての（every）フレームで伝達されるＰＬＳ２に対するフルコーディングブロック（full coded blocks）の集合（collection）のサイズ（ＱＡＭセルの数として特定される）（Ctotal_partial_block）を示す。次のフレームグループで反復が使用されない場合、このフィールドの値は０と同一である。この値は、現在のフレームグループで一定である。
【０２４６】
ＰＬＳ２＿ＮＥＸＴ＿ＲＥＰ＿ＳＴＡＴ＿ＳＩＺＥ＿ＢＩＴ：この１４ビットフィールドは、次のフレームグループに対するＰＬＳ２−ＳＴＡＴのビットサイズを示す。この値は、現在のフレームグループで一定である。
【０２４７】
ＰＬＳ２＿ＮＥＸＴ＿ＲＥＰ＿ＤＹＮ＿ＳＩＺＥ＿ＢＩＴ：この１４ビットフィールドは、次のフレームグループに対するＰＬＳ２−ＤＹＮのビットサイズを示す。この値は、現在のフレームグループの全体の期間の間で一定である。
【０２４８】
ＰＬＳ２＿ＡＰ＿ＭＯＤＥ：この２ビットフィールドは、現在のフレームグループ内のＰＬＳ２に追加のパリティが提供されるか否かを示す。この値は、現在のフレームグループの全体の期間の間で一定である。下記の表１２は、このフィールドの値を示す。このフィールドが「００」に設定されると、現在のフレームでＰＬＳ２に対して追加のパリティが使用されない。
【０２４９】
〔表１２〕
【表１２】
0006453460.tif 000014
【０２５０】
ＰＬＳ２＿ＡＰ＿ＳＩＺＥ＿ＣＥＬＬ：この１５ビットフィールドは、ＰＬＳ２の追加のパリティビットのサイズ（ＱＡＭセルの数として特定される）を示す。この値は、現在のフレームグループの全体の期間の間で一定である。
【０２５１】
ＰＬＳ２＿ＮＥＸＴ＿ＡＰ＿ＭＯＤＥ：この２ビットフィールドは、次のフレームグループでＰＬＳ２に追加のパリティが提供されるか否かを示す。この値は、現在のフレームグループの全体の期間の間で一定である。表１２は、このフィールドの値を定義する。
【０２５２】
ＰＬＳ２＿ＮＥＸＴ＿ＡＰ＿ＳＩＺＥ＿ＣＥＬＬ：この１５ビットフィールドは、次のフレームグループの全ての（every）フレームでのＰＬＳ２の追加のパリティビットのサイズ（ＱＡＭセルの数として特定される）を示す。この値は、現在のフレームグループの全体の期間の間で一定である。
【０２５３】
ＲＥＳＥＲＶＥＤ：この３２ビットフィールドは将来の使用のためにリザーブされる。
【０２５４】
ＣＲＣ＿３２：全体の（entire）ＰＬＳ１シグナリングに適用される３２ビットエラー検出コード
【０２５５】
図１４は、本発明の実施例に係るＰＬＳ２データを示す図である。
【０２５６】
図１４は、ＰＬＳ２データのＰＬＳ２−ＳＴＡＴデータを示す。ＰＬＳ２−ＳＴＡＴデータは、フレームグループ内で同一であるが、ＰＬＳ２−ＤＹＮデータは現在のフレームに固有の（特定された）（specific for）情報を提供する。
【０２５７】
ＰＬＳ２−ＳＴＡＴデータのフィールドの詳細事項は次の通りである。
【０２５８】
ＦＩＣ＿ＦＬＡＧ：この１ビットフィールドは、ＦＩＣが現在のフレームグループで使用されるか否かを示す。このフィールドが「１」に設定されると、ＦＩＣが現在のフレームで提供される。このフィールドが「０」に設定されると、ＦＩＣが現在のフレームで伝達されない。この値は、現在のフレームグループの全体の期間の間で一定である。
【０２５９】
ＡＵＸ＿ＦＬＡＧ：この１ビットフィールドは、現在のフレームグループで補助ストリームが使用されるか否かを示す。このフィールドが「１」に設定されると、補助ストリームが現在のフレームで提供される。このフィールドが「０」に設定されると、補助ストリームが現在のフレームで伝達されない。この値は、現在のフレームグループの全体の期間の間で一定である。
【０２６０】
ＮＵＭ＿ＤＰ：この６ビットフィールドは、現在のフレームで伝達されるＤＰの数を示す。このフィールドの値は、１〜６４の範囲内にあり、ＤＰの数はＮＵＭ＿ＤＰ＋１である。
【０２６１】
ＤＰ＿ＩＤ：この６ビットフィールドは、ＰＨＹプロファイル内でＤＰを一意に識別する。
【０２６２】
ＤＰ＿ＴＹＰＥ：この３ビットフィールドはＤＰのタイプを示す。これは、以下の表１３によってシグナリングされる。
【０２６３】
〔表１３〕
【表１３】
0006453460.tif 000015
【０２６４】
ＤＰ＿ＧＲＯＵＰ＿ＩＤ：この８ビットフィールドは、現在のＤＰが関連したＤＰグループを識別する。これは、受信器が特定のサービスと関連したサービスコンポーネントのＤＰにアクセスするのに使用することができ、これらのＤＰは同一のＤＰ＿ＧＲＯＵＰ＿ＩＤを有する。
【０２６５】
ＢＡＳＥ＿ＤＰ＿ＩＤ：この６ビットフィールドは、管理層で使用されるサービスシグナリングデータ（ＰＳＩ／ＳＩ）を伝達するＤＰを示す。ＢＡＳＥ＿ＤＰ＿ＩＤで指示されたＤＰは、サービスシグナリングデータのみを伝達する専用ＤＰ又はサービスデータと共にサービスシグナリングデータを伝達する通常ＤＰであり得る。
【０２６６】
ＤＰ＿ＦＥＣ＿ＴＹＰＥ：この２ビットフィールドは、関連したＤＰによって使用されるＦＥＣタイプを示す。ＦＥＣタイプは、以下の表１４によってシグナリングされる。
【０２６７】
〔表１４〕
【表１４】
0006453460.tif 000016
【０２６８】
ＤＰ＿ＣＯＤ：この４ビットフィールドは、関連したＤＰによって使用されるコードレートを示す。コードレートは、以下の表１５によってシグナリングされる。
【０２６９】
〔表１５〕
【表１５】
0006453460.tif 000017
【０２７０】
ＤＰ＿ＭＯＤ：この４ビットフィールドは、関連したＤＰによって使用される変調を示す。変調は、以下の表１６によってシグナリングされる。
【０２７１】
〔表１６〕
【表１６】
0006453460.tif 000018
【０２７２】
ＤＰ＿ＳＳＤ＿ＦＬＡＧ：この１ビットフィールドは、ＳＳＤモードが関連したＤＰで使用されるか否かを示す。このフィールドが値「１」に設定されると、ＳＳＤが使用される。このフィールドが値「０」に設定されると、ＳＳＤが使用されない。
【０２７３】
ＰＨＹ＿ＰＲＯＦＩＬＥがアドバンスドプロファイルを示す「０１０」と同一である場合のみに次のフィールドが表れる。
【０２７４】
ＤＰ＿ＭＩＭＯ：この３ビットフィールドは、関連したＤＰにいずれのタイプのＭＩＭＯエンコーディングプロセスが適用されるのかを示す。ＭＩＭＯエンコーディングプロセスのタイプは、表１７によってシグナリングされる。
【０２７５】
〔表１７〕
【表１７】
0006453460.tif 000019
【０２７６】
ＤＰ＿ＴＩ＿ＴＹＰＥ：この１ビットフィールドは、時間インターリーブのタイプを示す。「０」の値は、一つのＴＩグループが一つのフレームに対応し、一つ又は複数のＴＩブロックを含むことを示す。「１」の値は、一つのＴＩグループが１より多いフレームで伝達され、一つのＴＩブロックのみを含むことを示す。
【０２７７】
ＤＰ＿ＴＩ＿ＬＥＮＧＴＨ：２ビットフィールドの使用（可能な値は１、２、４、８のみである）は、次のようにＤＰ＿ＴＩ＿ＴＹＰＥフィールド内に設定された値によって決定される。
【０２７８】
ＤＰ＿ＴＩ＿ＬＥＮＧＴＨ（ＤＰ＿ＴＩ＿ＴＹＰＥ）が値「１」に設定されると、このフィールドは、ＰＩ、すなわち、各ＴＩグループがマッピングされるフレームの数を示し、ＴＩグループ当たりに一つのＴＩブロックがある（ＮＴＩ＝１）。２ビットフィールドを有する可能なＰＩ値は、以下の表１８で定義される。
【０２７９】
ＤＰ＿ＴＩ＿ＴＹＰＥが「０」に設定されると、このフィールドは、ＴＩグループ当たりのＴＩブロックの数（ＮＴＩ）を示し、フレーム当たりに一つのＴＩグループがある（ＰＩ＝１）。２ビットフィールドを有する可能なＰＩ値は、以下の表１８で定義される。
【０２８０】
〔表１８〕
【表１８】
0006453460.tif 000020
【０２８１】
ＤＰ＿ＦＲＡＭＥ＿ＩＮＴＥＲＶＡＬ：この２ビットフィールドは、関連したＤＰに対するフレームグループ内のフレーム区間（ＩJUMP）を示し、可能な値は１、２、４、８である（対応する２ビットフィールドは、それぞれ「００」、「０１」、「１０」、「１１」である）。フレームグループの全てのフレームで表れないＤＰに対して、このフィールドの値は連続するフレーム間の間隔と同一である。例えば、ＤＰがフレーム１、５、９、１３などで表れると、このフィールドは「４」に設定される。全てのフレームで表れるＤＰに対して、このフィールドは「１」に設定される。
【０２８２】
ＤＰ＿ＴＩ＿ＢＹＰＡＳＳ：この１ビットフィールドは、時間インターリーバ５０５０の利用可能性を決定する。ＤＰに対して時間インターリーブが使用されない場合、これは「１」に設定される。時間インターリーブが使用される場合、これは「０」に設定される。
【０２８３】
ＤＰ＿ＦＩＲＳＴ＿ＦＲＡＭＥ＿ＩＤＸ：この５ビットフィールドは、現在ＤＰが発生するスーパーフレームの第１の（１番目の、最初の）（first）フレームのインデックスを示す。ＤＰ＿ＦＩＲＳＴ＿ＦＲＡＭＥ＿ＩＤＸの値は０〜３１の範囲内にある。
【０２８４】
ＤＰ＿ＮＵＭ＿ＢＬＯＣＫ＿ＭＡＸ：この１０ビットフィールドは、このＤＰに対するＤＰ＿ＮＵＭ＿ＢＬＯＣＫＳの最大値を示す。このフィールドの値は、ＤＰ＿ＮＵＭ＿ＢＬＯＣＫＳと同一の範囲を有する。
【０２８５】
ＤＰ＿ＰＡＹＬＯＡＤ＿ＴＹＰＥ：この２ビットフィールドは、与えられたＤＰによって伝達されるペイロードデータのタイプを示す。ＤＰ＿ＰＡＹＬＯＡＤ＿ＴＹＰＥは、以下の表１９によってシグナリングされる。
【０２８６】
〔表１９〕
【表１９】
0006453460.tif 000021
【０２８７】
ＤＰ＿ＩＮＢＡＮＤ＿ＭＯＤＥ：この２ビットフィールドは、現在のＤＰが帯域内シグナリング情報を伝達するか否かを示す。帯域内シグナリングタイプは、以下の表２０によってシグナリングされる。
【０２８８】
〔表２０〕
【表２０】
0006453460.tif 000022
【０２８９】
ＤＰ＿ＰＲＯＴＯＣＯＬ＿ＴＹＰＥ：この２ビットフィールドは、与えられたＤＰによって伝達されるペイロードのプロトコルタイプを示す。入力ペイロードタイプが選択されると、以下の表２１によってシグナリングされる。
【０２９０】
〔表２１〕
【表２１】
0006453460.tif 000023
【０２９１】
ＤＰ＿ＣＲＣ＿ＭＯＤＥ：この２ビットフィールドは、入力フォーマッティングブロックでＣＲＣエンコーディングが使用されるか否かを示す。ＣＲＣモードは、以下の表２２によってシグナリングされる。
【０２９２】
〔表２２〕
【表２２】
0006453460.tif 000024
【０２９３】
ＤＮＰ＿ＭＯＤＥ：この２ビットフィールドは、ＤＰ＿ＰＡＹＬＯＡＤ＿ＴＹＰＥがＴＳ（「００」）に設定されるとき、関連したＤＰによって使用されるヌルパケット削除モードを示す。ＤＮＰ＿ＭＯＤＥは、以下の表２３によってシグナリングされる。ＤＰ＿ＰＡＹＬＯＡＤ＿ＴＹＰＥがＴＳ（「００」）でない場合、ＤＮＰ＿ＭＯＤＥは値「００」に設定される。
【０２９４】
〔表２３〕
【表２３】
0006453460.tif 000025
【０２９５】
ＩＳＳＹ＿ＭＯＤＥ：この２ビットフィールドは、ＤＰ＿ＰＡＹＬＯＡＤ＿ＴＹＰＥがＴＳ（「００」）に設定されるとき、関連したＤＰによって使用されるＩＳＳＹモードを示す。ＩＳＳＹ＿ＭＯＤＥは、以下の表２４によってシグナリングされる。ＤＰ＿ＰＡＹＬＯＡＤ＿ＴＹＰＥがＴＳ（「００」）でない場合、ＩＳＳＹ＿ＭＯＤＥは値「００」に設定される。
【０２９６】
〔表２４〕
【表２４】
0006453460.tif 000026
【０２９７】
ＨＣ＿ＭＯＤＥ＿ＴＳ：この２ビットフィールドは、ＤＰ＿ＰＡＹＬＯＡＤ＿ＴＹＰＥがＴＳ（「００」）に設定されるとき、関連したＤＰによって使用されるＴＳヘッダ圧縮モードを示す。ＨＣ＿ＭＯＤ＿ＴＳは、以下の表２５によってシグナリングされる。
【０２９８】
〔表２５〕
【表２５】
0006453460.tif 000027
【０２９９】
ＨＣ＿ＭＯＤＥ＿ＩＰ：この２ビットフィールドは、ＤＰ＿ＰＡＹＬＯＡＤ＿ＴＹＰＥがＩＰ（「０１」）に設定されるときのＩＰヘッダ圧縮モードを示す。ＨＣ＿ＭＯＤＥ＿ＩＰは、以下の表２６によってシグナリングされる。
【０３００】
〔表２６〕
【表２６】
0006453460.tif 000028
【０３０１】
ＰＩＤ：この１３ビットフィールドは、ＤＰ＿ＰＡＹＬＯＡＤ＿ＴＹＰＥがＴＳ（「００」）に設定され、ＨＣ＿ＭＯＤＥ＿ＴＳが「０１」又は「１０」に設定されるときのＴＳヘッダ圧縮のためのＰＩＤ番号を示す。
【０３０２】
ＲＥＳＥＲＶＥＤ：この８ビットフィールドは、将来の使用のためにリザーブされる。
【０３０３】
ＦＩＣ＿ＦＬＡＧが「１」と同一である場合のみに次のフィールドが表れる。
【０３０４】
ＦＩＣ＿ＶＥＲＳＩＯＮ：この８ビットフィールドは、ＦＩＣのバージョン番号を示す。
【０３０５】
ＦＩＣ＿ＬＥＮＧＴＨ＿ＢＹＴＥ：この１３ビットフィールドは、ＦＩＣのバイト長を示す。
【０３０６】
ＲＥＳＥＲＶＥＤ：この８ビットフィールドは、将来の使用のためにリザーブされる。
【０３０７】
ＡＵＸ＿ＦＬＡＧが「１」と同一である場合のみに次のフィールドが表れる。
【０３０８】
ＮＵＭ＿ＡＵＸ：この４ビットフィールドは、補助ストリームの数を示す。ゼロは、補助ストリームが使用されないことを意味する。
【０３０９】
ＡＵＸ＿ＣＯＮＦＩＧ＿ＲＦＵ：この８ビットフィールドは、将来の使用のためにリザーブされる。
【０３１０】
ＡＵＸ＿ＳＴＲＥＡＭ＿ＴＹＰＥ：この４ビットフィールドは、現在の補助ストリームのタイプを示すための将来の使用のためにリザーブされる。
【０３１１】
ＵＸ＿ＰＲＩＶＡＴＥ＿ＣＯＮＦＩＧ：この２８ビットフィールドは、補助ストリームをシグナリングするための将来の使用のためにリザーブされる。
【０３１２】
図１５は、本発明の他の実施例に係るＰＬＳ２データを示す図である。
【０３１３】
図１５は、ＰＬＳ２データのＰＬＳ２−ＤＹＮデータを示す。ＰＬＳ２−ＤＹＮデータの値は、一つのフレームグループの期間の間で変化可能（可変）であり、フィールドのサイズは一定に維持される。
【０３１４】
ＰＬＳ２−ＤＹＮデータのフィールドの詳細事項は次の通りである。
【０３１５】
ＦＲＡＭＥ＿ＩＮＤＥＸ：この５ビットフィールドは、スーパーフレーム内の現在のフレームのフレームインデックスを示す。スーパーフレームの第１フレームのインデックスは「０」に設定される。
【０３１６】
ＰＬＳ＿ＣＨＡＮＧＥ＿ＣＯＵＮＴＥＲ：この４ビットフィールドは、構成が変更される前のスーパーフレームの数を示す。構成において、変更された後のスーパーフレームは、このフィールド内でシグナリングされる値によって指示される。このフィールドが値「００００」に設定されると、スケジュールされた変化が予想されないことを意味し、値「１」は、次のスーパーフレームで変化があることを意味する。
【０３１７】
ＦＩＣ＿ＣＨＡＮＧＥ＿ＣＯＵＮＴＥＲ：この４ビットフィールドは、構成（すなわち、ＦＩＣの内容）が変更される前のスーパーフレームの数を示す。構成において、変更された後のスーパーフレームは、このフィールド内でシグナリングされる値によって指示される。このフィールドが値「００００」に設定されると、スケジュールされた変化が予想されないことを意味し、値「０００１」は、次のスーパーフレームで変化があることを意味する。
【０３１８】
ＲＥＳＥＲＶＥＤ：この１６ビットフィールドは、将来の使用のためにリザーブされる。
【０３１９】
ＮＵＭ＿ＤＰに亙る（を通じて）ループにおいて、次のフィールドが表れ、これは、現在のフレームで伝達されるＤＰと関連したパラメータを示す。
【０３２０】
ＤＰ＿ＩＤ：この６ビットフィールドは、ＰＨＹプロファイル内のＤＰを一意に指示する。
【０３２１】
ＤＰ＿ＳＴＡＲＴ：この１５ビット（又は１３ビット）フィールドは、ＤＰＵアドレッシング方式を用いて第１ＤＰの開始位置を示す。ＤＰ＿ＳＴＡＲＴフィールドは、以下の表２７に示したように、ＰＨＹプロファイル及びＦＦＴサイズによって異なる長さを有する。
【０３２２】
〔表２７〕
【表２７】
0006453460.tif 000029
【０３２３】
ＤＰ＿ＮＵＭ＿ＢＬＯＣＫ：この１０ビットフィールドは、現在のＤＰに対する現在のＴＩグループ内のＦＥＣブロックの数を示す。ＤＰ＿ＮＵＭ＿ＢＬＯＣＫの値は０〜１０２３の範囲内にある。
【０３２４】
ＲＥＳＥＲＶＥＤ：この８ビットフィールドは、将来の使用のためにリザーブされる。
【０３２５】
次のフィールドは、ＥＡＣと関連したＦＩＣパラメータを示す。
【０３２６】
ＥＡＣ＿ＦＬＡＧ：この１ビットフィールドは、現在のフレーム内のＥＡＣの存在を示す。このビットは、プリアンブル内のＥＡＣ＿ＦＬＡＧと同一の値である。
【０３２７】
ＥＡＳ＿ＷＡＫＥ＿ＵＰ＿ＶＥＲＳＩＯＮ＿ＮＵＭ：この８ビットフィールドは、ウェイクアップ指示（wake-up indication）のバージョン番号を示す。
【０３２８】
ＥＡＣ＿ＦＬＡＧフィールドが「１」と同一である場合、次の１２ビットは、ＥＡＣ＿ＬＥＮＧＴＨ＿ＢＹＴＥフィールドに対して割り当てられる。ＥＡＣ＿ＦＬＡＧフィールドが「０」と同一である場合、次の１２ビットは、ＥＡＣ＿ＣＯＵＮＴＥＲに割り当てられる。
【０３２９】
ＥＡＣ＿ＬＥＮＧＴＨ＿ＢＹＴＥ：この１２ビットフィールドは、ＥＡＣのバイト長を示す。
【０３３０】
ＥＡＣ＿ＣＯＵＮＴＥＲ：この１２ビットフィールドは、ＥＡＣが到着（到逹）する（arrives）フレームの前のフレームの数を示す。
【０３３１】
ＡＵＸ＿ＦＬＡＧフィールドが「１」と同一である場合にのみ次のフィールドが表れる。
【０３３２】
ＡＵＸ＿ＰＲＩＶＡＴＥ＿ＤＹＮ：この４８ビットフィールドは、補助ストリームをシグナリングするための将来の使用のためにリザーブされる。このフィールドの意味は、構成可能なＰＬＳ２−ＳＴＡＴ内のＡＵＸ＿ＳＴＲＥＡＭ＿ＴＹＰＥの値に依存する。
【０３３３】
ＣＲＣ＿３２：全体のＰＬＳ２に適用される３２ビットエラー検出コード。
【０３３４】
図１６は、本発明の実施例に係るフレームの論理構造を示す図である。
【０３３５】
上述したように、ＰＬＳ、ＥＡＣ、ＦＩＣ、ＤＰ、補助ストリーム及びダミーセルは、フレーム内のＯＦＤＭシンボルのアクティブキャリアにマッピングされる。ＰＬＳ１及びＰＬＳ２は、まず、一つ又は複数のＦＳＳにマッピングされる。その後、もしあれば、ＥＡＣセルがＰＬＳフィールドの直後にマッピングされ、その後、もしあれば、ＦＩＣセルがマッピングされる。もしあれば、ＤＰは、ＰＬＳ又はＥＡＣ、ＦＩＣの後にマッピングされる。まず、タイプ１  ＤＰが後に来た（続いた）（follows）後、タイプ２  ＤＰが後に来る。ＤＰのタイプの詳細事項については後で説明する。任意の場合、ＤＰは、ＥＡＳのための任意の特殊データ又はサービスシグナリングデータを伝達することができる。もしあれば、補助ストリーム又は各ストリームがＤＰの後に来た後、ダミーセルが後に来る。これら全てを上述した順序、すなわち、ＰＬＳ、ＥＡＣ、ＦＩＣ、ＤＰ、補助ストリーム及びダミーデータセルの順にマッピングすることは、フレーム内のセル容量を正確に満たす。
【０３３６】
図１７は、本発明の実施例に係るＰＬＳマッピングを示す図である。
【０３３７】
ＰＬＳセルは、ＦＳＳのアクティブキャリアにマッピングされる。ＰＬＳによって占有されたセルの数に依存して、一つ又は複数のシンボルがＦＳＳとして指定され、ＦＳＳの数（ＮFSS）は、ＰＬＳ１内のＮＵＭ＿ＦＳＳによってシグナリングされる。ＦＳＳは、ＰＬＳセルを伝達する特殊（スペシャル）シンボル（special symbol）である。ロバスト性及びレイテンシ（latency）はＰＬＳの重要な問題であるので、ＦＳＳは、ＦＳＳ内の周波数専用補間（frequency-only interpolation）及び高速同期化を可能にするより高い密度のパイロットを有する。
【０３３８】
ＰＬＳセルは、図１７の例に示したように、トップダウン（top-down）方式でＮFSS個のＦＳＳのアクティブキャリアにマッピングされる。ＰＬＳ１セルは、セルインデックスの増加順に第１ＦＳＳの第１セルから先にマッピングされる。ＰＬＳ２セルは、ＰＬＳ１の最後のセルの直後にマッピングされ、第１ＦＳＳの最後のセルインデックスまでマッピングが下方向（下向き）に（downward）継続される。要求されるＰＬＳセルの総数が一つのＦＳＳのアクティブキャリアの数を超えると、マッピングは、次のＦＳＳに進み（進行し）（proceeds）、第１ＦＳＳと正確に同一の方式で継続される。
【０３３９】
ＰＬＳマッピングの完了後、ＤＰが次に伝達される。ＥＡＣ、ＦＩＣ又はＥＡＣ及びＦＩＣが現在のフレームに存在すると、これらはＰＬＳと「通常」ＤＰとの間に配置される。
【０３４０】
図１８は、本発明の実施例に係るＥＡＣマッピングを示す図である。
【０３４１】
ＥＡＣは、ＥＡＳメッセージを伝達する専用チャネルであって、ＥＡＳに対するＤＰにリンクされる。ＥＡＳサポートは提供されるが、ＥＡＣ自体は、全てのフレームに存在することもあり、全てのフレームに存在しないこともある。もしあれば、ＥＡＣはＰＬＳ２セルの直後にマッピングされる。ＥＡＣは、ＰＬＳセル以外に、ＦＩＣ、ＤＰ、補助ストリーム及びダミーセルのうちいずれかの後に（いずれの後にも）来ない（not preceded by any of the FIC, DPs, auxiliary streams or dummy cells other than the PLS cells）。ＥＡＣセルをマッピングする順序はＰＬＳと正確に同一である。
【０３４２】
ＥＡＣセルは、図１８に示したように、セルインデックスの増加順にＰＬＳ２の次のセルからマッピングされる。ＥＡＳメッセージサイズによって、ＥＡＣセルは、図１８に示したようにいくつかのシンボルを占有する。
【０３４３】
ＥＡＣセルは、ＰＬＳ２の最後のセルの直後にマッピングされ、マッピングは、最後のＦＳＳの最後のセルインデックスまで下方向に継続される。要求されるＥＡＣの総数が最後のＦＳＳの残りのアクティブキャリアの数を超えると、マッピングは次のシンボルに進み、ＦＳＳと正確に同一の方式で継続される。この場合のマッピングのための次のシンボルは通常データシンボルであって、これは、ＦＳＳより多くのアクティブキャリアを有する。
【０３４４】
ＥＡＣマッピングの完了後、もし存在すれば、ＦＩＣが次に伝達される。（ＰＬＳ２フィールドでシグナリングされることによって）ＦＩＣが送信されないと、ＤＰはＥＡＣの最後のセルの直後にマッピングされる。
【０３４５】
図１９は、本発明の実施例に係るＦＩＣマッピングを示す図である。
【０３４６】
（ａ）は、ＥＡＣがないＦＩＣの例示的なマッピングを示し、（ｂ）は、ＥＡＣがあるＦＩＣの例示的なマッピングを示す。
【０３４７】
ＦＩＣは、高速サービス獲得及びチャネルスキャンを可能にする層間（cross-layer）情報に対する専用チャネルである。この情報は、主に各ブロードキャスタのＤＰとサービスとの間の情報を結合するチャネルを含む。高速スキャンのために、受信器は、ＦＩＣをデコードし、ブロードキャスタＩＤ、サービスの数及びＢＡＳＥ＿ＤＰ＿ＩＤなどの情報を得ることができる。高速サービスの獲得のために、ＦＩＣに加えて、ベースＤＰがＢＡＳＥ＿ＤＰ＿ＩＤを用いてデコードされ得る。伝達される内容以外に、ベースＤＰは、通常ＤＰと正確に同一の方式でエンコードされ、フレームにマッピングされる。そのため、ベースＤＰに対して追加の説明が要求されない。ＦＩＣデータが生成されて管理層で消費される。ＦＩＣデータの内容は、管理層の説明書に記載した通りである。
【０３４８】
ＦＩＣデータは選択的であり、ＦＩＣの使用は、ＰＬＳ２の静的部分内のＦＩＣ＿ＦＬＡＧパラメータによってシグナリングされる。ＦＩＣが使用されると、ＦＩＣ＿ＦＬＡＧが「１」に設定され、ＦＩＣのためのシグナリングフィールドはＰＬＳ２の静的部分に定義される。このフィールドでは、ＦＩＣ＿ＶＥＲＳＩＯＮ及びＦＩＣ＿ＬＥＮＧＴＨ＿ＢＹＴＥがシグナリングされる。ＦＩＣは、ＰＬＳ２と同一の変調、コーディング及び時間インターリーブパラメータを用いる。ＦＩＣは、ＰＬＳ２＿ＭＯＤＥ及びＰＬＳ２＿ＦＥＣなどの同一のシグナリングパラメータを共有する。もしあれば、ＦＩＣデータは、ＰＬＳ２、又は、もしあれば、ＥＡＣの直後にマッピングされる。ＦＩＣは、任意の通常ＤＰ、補助ストリーム又はダミーセルの後にマッピングされない。ＦＩＣセルをマッピングする方法はＥＡＣと正確に同一であり、これはＰＬＳと同一である。
【０３４９】
ＰＬＳの後にＥＡＣがない場合、ＦＩＣセルは、（ａ）の例に示したように、セルインデックスの増加順にＰＬＳ２の次のセルからマッピングされる。ＦＩＣデータサイズによって、ＦＩＣセルは、（ｂ）に示したように、いくつかのシンボルにまたがって（わたって）（over）マッピングされ得る。
【０３５０】
ＦＩＣセルは、ＰＬＳ２の最後のセルの直後にマッピングされ、マッピングは、最後のＦＳＳの最後のセルインデックスまで下方向に継続される。要求されるＦＩＣセルの総数が最後のＦＳＳの残りのアクティブキャリアの数を超えると、マッピングは次のシンボルに進み、ＦＳＳと正確に同一の方式で継続される。この場合のマッピングのための次のシンボルは、ＦＳＳより多くのアクティブキャリアを有する通常データシンボルである。
【０３５１】
ＥＡＳメッセージが現在のフレームで送信されると、ＥＡＣはＦＩＣに先行し、ＦＩＣセルは、（ｂ）に示したように、セルインデックスの増加順にＥＡＣの次のセルからマッピングされる。
【０３５２】
ＦＩＣマッピングの完了後、一つ又は複数のＤＰがマッピングされ、その後、もしあれば、補助ストリーム及びダミーセルがマッピングされる。
【０３５３】
図２０は、本発明の実施例に係るＤＰのタイプを示す図である。
【０３５４】
図２０の（ａ）はタイプ１  ＤＰを示し、（ｂ）はタイプ２  ＤＰを示す。
【０３５５】
先行チャネル、すなわち、ＰＬＳ、ＥＡＣ及びＦＩＣがマッピングされた後、ＤＰのセルがマッピングされる。ＤＰは、マッピング方法によって２つのタイプのうちの一つに分類される。
【０３５６】
タイプ１  ＤＰ：ＤＰは、ＴＤＭによってマッピングされる。
【０３５７】
タイプ２  ＤＰ：ＤＰは、ＦＤＭによってマッピングされる。
【０３５８】
ＤＰのタイプは、ＰＬＳ２の静的部分でＤＰ＿ＴＹＰＥフィールドによって指示される。図２０は、タイプ１  ＤＰ及びタイプ２  ＤＰのマッピングの順序を示す。タイプ１  ＤＰは、まず、セルインデックスの増加順にマッピングされ、最後のセルインデックスに到逹した後、シンボルインデックスが１ずつ増加する。次のシルボル内で、ＤＰは、ｐ＝０からセルインデックスの増加順に継続してマッピングされる。一つのフレームで共にマッピングされた複数のＤＰで、タイプ１  ＤＰのそれぞれは、ＤＰのＴＤＭ多重化と同様に（類似する形に）（similar to）時間でグループ化される。
【０３５９】
タイプ２  ＤＰは、まず、シンボルインデックスの増加順にマッピングされ、フレームの最後のＯＦＤＭシンボルに到逹した後、セルインデックスは１ずつ増加し、シンボルインデックスは第１の利用可能なシンボルに後退し、そのシンボルインデックスから増加する。一つのフレームで複数のＤＰを共にマッピングした後、タイプ２  ＤＰのそれぞれは、ＤＰのＦＤＭ多重化と同様に周波数でグループ化される。
【０３６０】
一つの制限が必要であれば、すなわち、タイプ１  ＤＰが常にタイプ２  ＤＰに先行すると、タイプ１  ＤＰ及びタイプ２  ＤＰはフレーム内で共存し得る。タイプ１及びタイプ２  ＤＰを伝達するＯＦＤＭセルの総数は、ＤＰの送信のために利用可能なＯＦＤＭセルの総数を超えることができない。
【０３６１】
〔数式２〕
【数２】
0006453460.tif 000030
【０３６２】
ここで、ＤDP1は、タイプ１  ＤＰによって占有されるＯＦＤＭセルの数であり、ＤDP2は、タイプ２  ＤＰによって占有されるＯＦＤＭセルの数である。ＰＬＳ、ＥＡＣ、ＦＩＣは、いずれもタイプ１  ＤＰと同一の方式でマッピングされるので、これらは全て「タイプ１のマッピング規則」に従う。そのため、タイプ１のマッピングは、常にタイプ２のマッピングより先行する。
【０３６３】
図２１は、本発明の実施例に係るＤＰマッピングを示す図である。
【０３６４】
（ａ）は、タイプ１  ＤＰをマッピングするためのＯＦＤＭセルのアドレッシングを示し、（ｂ）は、タイプ２  ＤＰをマッピングするためのＯＦＤＭセルのアドレッシングを示す。
【０３６５】
タイプ１  ＤＰ（０，ＤDP1−１）をマッピングするためのＯＦＤＭセルのアドレッシングは、タイプ１  ＤＰのアクティブデータセルのために定義される。アドレッシング方式は、タイプ１  ＤＰのそれぞれに対するＴＩからのセルがアクティブデータセルに割り当てられる順序を定義する。また、これは、ＰＬＳ２の動的部分内のＤＰの位置をシグナリングするのに使用される。
【０３６６】
ＥＡＣ及びＦＩＣなしで、アドレス０は、最後のＦＳＳ内のＰＬＳを伝達する最後のセルの直後のセルを称する。ＥＡＣが送信され、ＦＩＣがその該当フレームにない場合、アドレス０は、ＥＡＣを伝達する最後のセルの直後のセルを称する。ＦＩＣが該当フレームで送信されると、アドレス０は、ＦＩＣを伝達する最後のセルの直後のセルを称する。タイプ１  ＤＰに対するアドレス０は、（ａ）に示したように、２つの異なるケース（場合）（cases）を考慮して算出することができる。（ａ）に示した例において、ＰＬＳ、ＥＡＣ及びＦＩＣは全て送信されると仮定する。ＥＡＣ及びＦＩＣのうち一つ又は二つとも省略される場合への拡張は容易である。（ａ）の左側に示したように、ＦＩＣまでの全てのセルをマッピングした後、ＦＳＳ内に残りのセルが残っている。
【０３６７】
タイプ２  ＤＰ（０，…，ＤDP2−１）をマッピングするＯＦＤＭセルのアドレッシングは、タイプ２  ＤＰのアクティブデータセルのために定義される。アドレッシング方式は、タイプ２  ＤＰのそれぞれに対するＴＩからのセルがアクティブデータセルに割り当てられる順序を定義する。また、これは、ＰＬＳ２の動的部分内のＤＰの位置をシグナリングするのに使用される。
【０３６８】
（ｂ）に示したように、３つの少し異なるケースが可能である。（ｂ）の左側上に示した第１ケースでは、最後のＦＳＳ内のセルはタイプ２  ＤＰマッピングに用いられる。中央に示した第２ケースでは、ＦＩＣが通常（正常）（normal）シンボルのセルを占めるが、そのシンボル上のＦＩＣセルの数はＣFSSより小さい。（ｂ）の右側に示した第３ケースは、そのシンボル上にマッピングされたＦＩＣセルの数がＣFSSを超えることを除いては第２ケースと同一である。
【０３６９】
ＰＬＳ、ＥＡＣ及びＦＩＣは、タイプ１  ＤＰと同一の「タイプ１のマッピング規則」に従うので、タイプ１  ＤＰがタイプ２  ＤＰに先行する場合への拡張は簡単である。
【０３７０】
データパイプ単位（ＤＰＵ）は、データセルをフレーム内のＤＰに割り当てる基本単位である。
【０３７１】
ＤＰＵは、フレーム内にＤＰを配置するシグナリング単位として定義される。セルマッパ７０１０は、ＤＰのそれぞれに対するＴＩによって生成されたセルをマッピングすることができる。時間インターリーバ５０５０は、一連のＴＩブロックを出力し、それぞれのＴＩブロックは、セルのセットで構成される可変数（variable number）のＸＦＥＣＢＬＯＣＫを含む。ＸＦＥＣＢＬＯＣＫ内のセルの数（Ｎcells）は、ＦＥＣＢＬＯＣＫサイズ（Ｎldpc）及びコンステレーションシンボル当たりの送信ビット数に依存する。ＤＰＵは、与えられたＰＨＹプロファイルでサポートされるＸＦＥＣＢＬＯＣＫ内のセルの数の全ての可能な値の最大公約数（最も大きい共通除数）（greatest common divisor）（Ｎcells）として定義される。セル内のＤＰＵの長さはＬDPUとして定義される。各ＰＨＹプロファイルがＦＥＣＢＬＯＣＫサイズ及びコンステレーションシンボル当たりに異なる数の異なる組み合わせをサポートするので、ＬDPUはＰＨＹプロファイルに基づいて定義される。
【０３７２】
図２２は、本発明の実施例に係るＦＥＣ構造を示す図である。
【０３７３】
図２２は、ビットインターリーブ前の本発明の実施例に係るＦＥＣ構造を示す。上述したように、データＦＥＣエンコーダは、入力ＢＢＦに対してＦＥＣエンコーディングを行い、アウタコーディング（ＢＣＨ）及びインナコーディング（ＬＤＰＣ）を用いてＦＥＣＢＬＯＣＫ手続を生成することができる。図示したＦＥＣ構造はＦＥＣＢＬＯＣＫに対応する。また、ＦＥＣＢＬＯＣＫ及びＦＥＣ構造は、ＬＤＰＣコードワードの長さに対応する同一の値を有する。
【０３７４】
図２２に示したように、ＢＣＨエンコーディングはそれぞれのＢＢＦ（Ｋbchビット）に適用され、ＬＤＰＣエンコーディングはＢＣＨエンコーディングＢＢＦ（Ｋldpcビット＝Ｎbchビット）に適用される。
【０３７５】
Ｎldpcの値は、６４８００ビット（長いＦＥＣＢＬＯＣＫ）又は１６２００ビット（短いＦＥＣＢＬＯＣＫ）である。
【０３７６】
以下の表２８及び表２９は、それぞれ長いＦＥＣＢＬＯＣＫ及び短いＦＥＣＢＬＯＣＫに対するＦＥＣエンコーディングパラメータを示す。
【０３７７】
〔表２８〕
【表２８】
0006453460.tif 000031
【０３７８】
〔表２９〕
【表２９】
0006453460.tif 000032
【０３７９】
ＢＣＨエンコーディング及びＬＤＰＣエンコーディングの動作の詳細事項は次の通りである。
【０３８０】
１２−誤り訂正ＢＣＨコード（12-error correcting BCH code）は、ＢＢＦのアウタエンコーディングに使用される。短いＦＥＣＢＬＯＣＫ及び長いＦＥＣＢＬＯＣＫに対するＢＣＨ生成器多項式は、全ての多項式を共に乗じることによって得られる。
【０３８１】
ＬＤＰＣコードは、アウタＢＣＨエンコーディングの出力をエンコードするのに使用される。完成したＢldpc（ＦＥＣＢＬＯＣＫ）を生成するために、Ｐldpc（パリティビット）は、各Ｉldpc（ＢＣＨエンコーディングＢＢＦ）からシステマティックに（体系的）（systematically）にエンコードされ、Ｉldpcに添付される。完成したＢldpc（ＦＥＣＢＬＯＣＫ）は次の数式として表現される。
【０３８２】
〔数式３〕
【数３】
0006453460.tif 000033
【０３８３】
長いＦＥＣＢＬＯＣＫ及び短いＦＥＣＢＬＯＣＫに対するパラメータは、それぞれ上記表２８及び表２９で与えられる。
【０３８４】
長いＦＥＣＢＬＯＣＫに対するＮldpc−Ｋldpcを算出する詳細（細部）手続は次の通りである。
【０３８５】
１）パリティビット初期化
【０３８６】
〔数式４〕
【数４】
0006453460.tif 000034
【０３８７】
２）パリティチェックマトリックスのアドレスの第１行に特定されたパリティビットアドレスで第１情報ビット（ｉ0）を累算する（accumulate）。パリティチェックマトリックスのアドレスの詳細事項については後で説明する。例えば、レート１３／１５に対して、
【０３８８】
〔数式５〕
【数５】
0006453460.tif 000035
【０３８９】
３）次の３５９個の情報ビット（ｉs）（ｓ＝１、２、…、３５９）が次の数式を用いてパリティビットで累算される。
【０３９０】
〔数式６〕
【数６】
0006453460.tif 000036
【０３９１】
ここで、ｘは、第１ビット（ｉ0）に対応するパリティビット累算器のアドレスを示し、Ｑldpcは、パリティチェックマトリックスのアドレスで特定されたコードレート従属定数である。継続して、例えば、レート１３／１５に対してＱldpc＝２４であって、よって、情報ビット（ｉ1）に対して次の動作が行われる。
【０３９２】
〔数式７〕
【数７】
0006453460.tif 000037
【０３９３】
４）３６１番目の情報ビット（ｉ360）に対して、パリティビット累算器のアドレスは、パリティチェックマトリックスのアドレスの第２行に与えられる。類似する方式で、次の３５８個の情報ビット（ｉs）（ｓ＝３６１、３６２、…、７１９）に対するパリティビット累算器のアドレスは数式６を用いて得られ、ここで、ｘは、情報ビット（ｉ360）に対応するパリティビット累算器のアドレス、パリティチェックマトリックスのアドレスの第２行内のエントリを示す。
【０３９４】
５）類似する方式で、３６０個の新たな情報ビットの全てのグループに対して、パリティチェックマトリックスのアドレスからの新たな行がパリティビット累算器のアドレスを探すのに使用される。
【０３９５】
情報ビットが全部使い尽くされた（消尽した）（exhausted）後、最終パリティが次のように得られる。
【０３９６】
６）ｉ＝１から開始する次の動作を順次行う。
【０３９７】
〔数式８〕
【数８】
0006453460.tif 000038
【０３９８】
ここで、ｐi（ｉ＝０、１、…、Ｎldpc−Ｋldpc−１）の最終内容は、パリティビット（ｐi）と同一である。
【０３９９】
〔表３０〕
【表３０】
0006453460.tif 000039
【０４００】
短いＦＥＣＢＬＯＣＫに対するこのＬＤＰＣエンコーディング手続は、表３０及び表３１に置き換え、長いＦＥＣＢＬＯＣＫに対するパリティチェックマトリックスのアドレスを短いＦＥＣＢＬＯＣＫに対するパリティチェックマトリックスのアドレスに置き換えることを除いては、長いＦＥＣＢＬＯＣＫに対するｔ  ＬＤＰＣエンコーディング手続に従う。
【０４０１】
〔表３１〕
【表３１】
0006453460.tif 000040
【０４０２】
図２３は、本発明の実施例に係るビットインターリーブを示す図である。
【０４０３】
ＬＤＰＣエンコーダの出力はビットインターリーブされ、これは、パリティインターリーブ、その後のＱＣＢ（Quasi-Cyclic Block）インターリーブ及び内部グループインターリーブで構成される。
【０４０４】
（ａ）は、ＱＣＢインターリーブを示し、（ｂ）は、内部グループ（inner-group）インターリーブを示す。
【０４０５】
ＦＥＣＢＬＯＣＫはパリティインターリーブされ得る。パリティインターリーブの出力において、ＬＤＰＣコードワードは、長いＦＥＣＢＬＯＣＫ内の１８０個の隣接したＱＣブロック及び短いＦＥＣＢＬＯＣＫ内の１８０個の隣接したＱＣブロックで構成される。長い又は短いＦＥＣＢＬＯＣＫ内のそれぞれのＱＣブロックは３６０ビットで構成される。パリティインターリーブされたＬＤＰＣコードワードは、ＱＣＢインターリーブによってインターリーブされる。ＱＣＢインターリーブの単位はＱＣブロックである。パリティインターリーブの出力におけるＱＣブロックは、図２３に示したように、ＱＣＢインターリーブによって並べ替えられ、ここで、ＦＥＣＢＬＯＣＫ長さによってＮcells＝６４８０／ηｍｏｄ又は１６２００／ηｍｏｄである。ＱＣＢインターリーブのパターンは、変調タイプ及びＬＤＰＣコードレートの各組み合わせに固有である。
【０４０６】
ＱＣＢインターリーブ後、内部グループインターリーブは、以下の表３２に定義された変調タイプ及び順序（order）（ηｍｏｄ）に従って行われる。また、一つの内部グループに対するＱＣブロックの数（ＮQCB_IG）が定義される。
【０４０７】
〔表３２〕
【表３２】
0006453460.tif 000041
【０４０８】
内部グループインターリーブプロセスは、ＱＣＢインターリーブ出力のＮQCB-IG個のＱＣブロックで行われる。内部グループインターリーブは、３６０個の列及びＮQCB_IG個の行を用いて内部グループのビットを書き込む（記入）（writing）及び読み取る（reading）（判読する）プロセスを有する。書き込み動作において、ＱＣＢインターリーブ出力からのビットが行方向に書き込まれる。読み取り動作は列方向に行われ、各行からｍ個のビットを読み取り、ここで、ｍは、ＮＵＣに対して１と同一であり、ＮＣＱに対して２と同一である。
【０４０９】
図２４は、本発明の実施例に係るセル−ワード逆多重化（デマルチプレキシング）（demultiplexing）を示す図である。
【０４１０】
（ａ）は、８及び１２  ｂｐｃｕ  ＭＩＭＯに対するセル−ワード逆多重化を示し、（ｂ）は、１０  ｂｐｃｕ  ＭＩＭＯに対するセル−ワード逆多重化を示す。
【０４１１】
【化１】
0006453460.tif 000042
【０４１２】
【化２】
0006453460.tif 000043
【０４１３】
図２５は、本発明の実施例に係る時間インターリーブを示す図である。
【０４１４】
（ａ）〜（ｃ）は、ＴＩモードの例を示す。
【０４１５】
時間インターリーバはＤＰレベルで動作する。時間インターリーブ（ＴＩ）のパラメータは、各ＤＰに対して異なるように設定することができる。
【０４１６】
ＰＬＳ２−ＳＴＡＴデータの一部で表れる次のパラメータはＴＩを構成する。
【０４１７】
ＤＰ＿ＴＩ＿ＴＹＰＥ（可能な（許容）（allowed）値：０又は１）：ＴＩモードを示す。「０」は、ＴＩグループ当たり複数のＴＩブロック（１より多いＴＩブロック）を有するモードを示す。この場合、一つのＴＩグループは一つのフレームに直接マッピングされる（インターフレームインターリーブではない）。「１」は、ＴＩグループ当たり一つのみのＴＩブロックを有するモードを示す。この場合、ＴＩブロックは、１より多いフレームに拡散され得る（インターフレームインターリーブ）。
【０４１８】
ＤＰ＿ＴＩ＿ＬＥＮＧＴＨ：ＤＩ＿ＴＩ＿ＴＹＰＥ＝「０」である場合、このパラメータは、ＴＩグループ当たりのＴＩブロックの数（ＮＴＩ）である。ＤＰ＿ＴＩ＿ＴＹＰＥ＝「１」に対して、このパラメータは、一つのＴＩグループから拡散されたフレームの数（ＰＩ）である。
【０４１９】
ＤＰ＿ＮＵＭ＿ＢＬＯＣＫ＿ＭＡＸ（可能な値：０〜１０２３）：ＴＩグループ当たりのＸＦＥＣＢＬＯＣＫの最大数を示す。
【０４２０】
ＤＰ＿ＦＲＡＭＥ＿ＩＮＴＥＲＶＡＬ（可能な値：１、２、４、８）：与えられたＰＨＹプロファイルの同一のＤＰを伝達する２個の連続するフレーム間のフレームの数（ＩＪＵＭＰ）を示す。
【０４２１】
ＤＰ＿ＴＩ＿ＢＹＰＡＳＳ（可能な値：０又は１）：時間インターリーブがＤＰに使用されない場合、このパラメータは「１」に設定される。時間インターリーブが使用される場合、「０」に設定される。
【０４２２】
さらに、ＰＬＳ２−ＤＹＮデータからのパラメータ（ＤＰ＿ＮＵＭ＿ＢＬＯＣＫ）は、ＤＰの一つのＴＩグループによって伝達されたＸＦＥＣＢＬＯＣＫの数を示すのに使用される。
【０４２３】
時間インターリーブがＤＰに使用されない場合、次のＴＩグループ、時間インターリーブ動作及びＴＩモードは考慮されない。しかし、スケジューラからの動的構成情報に対する補償ブロックは依然として必要である。各ＤＰにおいて、ＳＳＤ／ＭＩＭＯエンコーディングから受信されたＸＦＥＣＢＬＯＣＫはＴＩグループにグループ化される。すなわち、それぞれのＴＩグループは、整数（個）のＸＦＥＣＢＬＯＣＫのセット（a set of an integer number of XFECBLOCKs）であり、動的に可変な数のＸＦＥＣＢＬＯＣＫを含む。インデックスのＴＩグループ内のＸＦＥＣＢＬＯＣＫの数（ｎ）はＮｘＢＬＯＣＫ＿Ｇｒｏｕｐ＿（ｎ）で示され、ＰＬＳ２−ＤＹＮデータのＤＰ＿ＮＵＭ＿ＢＬＯＣＫとしてシグナリングされる。ＮｘＢＬＯＣＫ＿Ｇｒｏｕｐ＿（ｎ）は、０の最小値から最も大きい値が１０２３である最大値（NxBLOCK_Group_MAX）（ＤＰ＿ＮＵＭ＿ＢＬＯＣＫ＿ＭＡＸに対応）まで変わり得る。
【０４２４】
各ＴＩグループは、一つのフレームに直接マッピングされたり、ＰＩフレームにわたって拡散される。また、それぞれのＴＩグループは、１より多いＴＩブロック（ＮＴＩ）に分割され、それぞれのＴＩブロックは、時間インターリーバメモリの一つの用途（使用）（usage）に対応する。ＴＩグループ内のＴＩブロックは、少し異なる数のＸＦＥＣＢＬＯＣＫを含むことができる。ＴＩグループが複数のＴＩブロックに分割されると、一つのフレームのみに直接マッピングされる。以下の表３３に示したように（時間インターリーブをスキップする追加のオプションを除いて）、時間インターリーブのための３つのオプションが存在する。
【０４２５】
〔表３３〕
【表３３】
0006453460.tif 000044
【化３】
0006453460.tif 000045
【０４２６】
【化４】
0006453460.tif 000046
【０４２７】
【化５】
0006453460.tif 000047
【０４２８】
一般に、時間インターリーバは、フレーム構築プロセスの前にＤＰデータのためのバッファとして動作する。これは、それぞれのＤＰに対する２個のメモリバンクによって実現される。第１ＴＩブロックは第１バンクに書き込まれる。第１バンクが読み取られる間、第２ＴＩブロックが第２バンクに書き込まれる。
【０４２９】
ＴＩは、ツイスト行列ブロック（twisted row-column block）インターリーバである。ｎ番目のＴＩグループのｓ番目のＴＩブロックに対して、ＴＩメモリの行（Ｎr）の数はセルの数（Ｎcell）と同一である。すなわち、Ｎr＝Ｎcellであるが、列の数（Ｎc）は数（ＮxBLOCK_TI（ｎ，ｓ））と同一である。
【０４３０】
図２６は、本発明の一実施例に係るツイスト行列ブロックインターリーバの基本動作を示す図である。
【０４３１】
【化６】
0006453460.tif 000048
【０４３２】
〔数式９〕
【数９】
0006453460.tif 000049
【０４３３】
【化７】
0006453460.tif 000050
【０４３４】
〔数式１０〕
【数１０】
0006453460.tif 000051
【０４３５】
【化８】
0006453460.tif 000052
【０４３６】
図２７は、本発明の一実施例に係るツイスト行列ブロックインターリーバの動作を示す図である。
【０４３７】
【化９】
0006453460.tif 000053
【０４３８】
【化１０】
0006453460.tif 000054
【０４３９】
〔数式１１〕
【数１１】
0006453460.tif 000055
【０４４０】
【化１１】
0006453460.tif 000056
【０４４１】
図２８は、本発明の実施例に係るツイスト行列ブロックインターリーバの対角線方向読み取りパターンを示す図である。
【０４４２】
【化１２】
0006453460.tif 000057
【０４４３】
図２９は、本発明の実施例に係るそれぞれのインターリーブ配列からインターリーブされたＸＦＥＣＢＬＯＣＫを示す図である。
【０４４４】
【化１３】
0006453460.tif 000058
【０４４５】
図３０には、本発明の一実施例に係るプロトコルスタックを示す。図３０の（ａ）に示すように、リンク層は、リンク層シグナリング、カプセル化及び／又はオーバーヘッド削減を含むことができる。リンク層は、上位層から受信したパケットに対してオーバーヘッド削減及びカプセル化を実行して物理層に伝達することができる。本発明では、プロトコルスタックの中でもリンク層の構造を提案し、上位層から伝達されるＭＰＥＧ−２ＴＳパケットを物理層に伝達する方式（方案）を提案する。本発明において、放送信号送信装置は、リンク層においてＭＰＥＧ−２ＴＳパケットをカプセル化（encapsulation）して物理層に伝達することができる。放送信号送信装置は、リンク層においてＭＰＥＧ−２ＴＳパケットに対するオーバーヘッド削減を行い、無線リソースを効率的に用いることができる。
【０４４６】
リンク層は、カプセル化層又はレイヤ２と称することもできる。以下では、リンク層をリンク層と称するが、実際の本発明の適用時には、上記の用語に言い換えてもよく、新しい名称にしてもよい。
【０４４７】
図３０の（ｂ）には、放送信号送信装置及び放送信号受信装置内のレイヤ間におけるデータの流れを示す。放送信号送信装置は、デジタル放送において用いるＩＰ及び／又はＭＰＥＧ−２ＴＳパケットを入力データとして用いることができる。
【０４４８】
放送信号送信装置に入力されたＩＰ及び／又はＭＰＥＧ−２ＴＳパケットは、リンク層を経て物理層に伝達され得る。物理層にとっては、様々なプロトコルに対する適応的なパケット処理がし難しいことがある。このため、放送信号送信装置のリンク層は、互いに異なるプロトコルを用いるパケットを、一定のフォーマットを有するパケットの形態にカプセル化して物理層に伝達することができる。これをカプセル化として定義することができる。カプセル化処理（過程）（process）において、無線リソースの効率的な使用のために、リンク層は、各パケットに対応する上位層プロトコルに適したオーバーヘッド削減技法を用いることができる。リンク層においてカプセル化されたデータ及びリンク層シグナリングは、物理層に伝達され、物理層において前述の処理を経て放送信号を送出することができる。ここで、リンク層シグナリングは次の３つのシグナリング情報を含むことができる。その第一は、上位層からリンク層に伝達され、放送信号受信装置の上位層に伝達されるべきシグナリング情報である。第二は、リンク層で生成され、放送信号受信装置のリンク層のデータ処理に情報を与えるためのシグナリング情報である。第三は、上位層又はリンク層で生成されるが、物理層における迅速な放送信号検出のために伝達されるシグナリング情報である。
【０４４９】
放送信号受信装置は、物理層から伝達されたデータ及びシグナリングを、上位層で処理可能なデータの形態に復元して伝達することができる。このとき、パケットのヘッダを読んだりその他の方法を用いて、物理層から伝達されるパケットがシグナリングか又はデータかを区別することができる。また、オーバーヘッドを削減したパケットをオリジナルパケットに復元（復旧）する（restore）ために伝達されたシグナリングを活用することができる。
【０４５０】
図３１は、本発明の一実施例に係る放送信号送信装置に含まれたリンク層のインターフェース及び動作を示す図である。ＩＰパケットの場合、オーバーヘッド削減機能の後にカプセル化（encapsulation）されて物理層に伝達されてもよく、オーバーヘッド削減機能無しで直接カプセル化されて物理層に伝達されてもよい。
【０４５１】
ＭＰＥＧ−２ＴＳパケットの場合にはオーバーヘッド削減機能の後に再カプセル化されて物理層に伝達される。ＭＰＥＧ−２ＴＳパケットの場合にもオーバーヘッド削減機能を省いてカプセル化されてもよいが、パケットの先頭に位置するｓｙｎｃ  ｂｙｔｅ（０ｘ４７）などの固定したオーバーヘッドを除く方が、無線区間のリソースを効率的に用いることに役だつ。次に説明するオーバーヘッド削減機能を、図３で説明したヘッダ圧縮ブロック（header compression block）３０４０に適用することができる。
【０４５２】
リンク層に伝達されるパケットがＩＰ又はＭＰＥＧ−２ＴＳ以外のものである場合にも、ＩＰと類似の処理を経て物理層に伝達することができる。このとき、当該パケットに対してオーバーヘッド削減機能を適用するか否かは、当該パケットの特性によればいい。
【０４５３】
放送信号送信装置は、オーバーヘッド削減処理では、入力されたパケットに対して、当該パケットに対応する方法を用いてパケットのサイズを減らす（ようになる）。放送信号送信装置は、オーバーヘッド削減処理においてオーバーヘッド削減に関連した特定情報を抽出及び生成し、これをシグナリングによって伝送（送信）する（transmit）ことができる。当該シグナリングは、受信器が、オーバーヘッド削減処理において変更された事項を、そもそも（元々）伝送しようとした（オリジナル）パケット（形態）に復元することを可能にする。
【０４５４】
放送送信装置のリンク層においては、シグナリングの伝送及び当該伝送に対する管理を行うことができる。また、放送送信装置の物理層において、物理的、論理的に区分された（separated）伝送パスに従うシグナリング伝送モジュールを構成することができ、特定の伝送パスで伝送されないシグナリングは、カプセル化の後にＰＬＰ（Physical Layer Pipe）を介して伝送することができる。ＰＬＰは、物理層でデータが伝送される論理的単位であり、前述したデータパイプと称することもできる。リンク層で管理するシグナリングは、前述したように、上位層から伝達される情報、システムパラメータ、リンク層で生成されたシグナリングなどの情報を含むことができる。
【０４５５】
図３２に、本発明の一実施例に係る放送信号送信装置を示す。放送信号送信装置は、Ｌ２（link layer）エンカプセレータ（encapsulator）３２０１０、入力（インプット）（input）フォーマッタ３２０２０、インターリーバ及びエンコーダ（（ビットインターリーブされた）符号化及び変調）３２０３０、フレームビルダ（フレーム構造）３２０４０及び／又は変調器（モジュレータ、波形形成）（modulator）３２０５０を備えることができる。本発明において、Ｌ２（link layer）エンカプセレータ３２０１０は、上位層から伝達されたパケットに対してオーバーヘッド削減を行った後、物理層に属する入力フォーマッタ３２０２０に出力することができる。入力フォーマッタ３２０２０は、入力されたストリームをＰＬＰ単位で出力することができ、インターリーバ及びエンコーダ３２０３０は、入力されたＰＬＰデータをインターリーブしてエンコードすることができる。また、フレームビルダ３２０４０は、エンコードされたＰＬＰデータを用いてフレームを構成することができ、モジュレータ３２０５０は、ＯＦＤＭ変調（モジュレーション）（modulation）方法を用いて放送信号を生成して伝送することができる。放送信号送信装置はトランスミッタを用いて放送信号を伝送することができる。
【０４５６】
入力フォーマッタ３２０２０に入力される入力信号は、トランスポート（伝送）ストリーム（Transport stream；ＴＳ）ストリーム、ＩＰストリーム、ＧＳ（General Stream）ストリームであってもよい。Ｌ２エンカプセレータ３２０１０は、Ｌ２構造（L2 structure）によって入力信号をカプセル化してＧＳストリームを生成することができる。
【０４５７】
本発明の放送信号送信装置に備えられたＬ２エンカプセレータ３２０１０は、ＴＳストリームを受信して、ＴＳヘッダ圧縮及びヌルパケットを削除する技術を用いてＧＳストリームを生成することができる。これによって、放送信号送信装置は、ＴＳストリームを入力フォーマッタ３２０２０に直接入力する方式に比べて効率的な伝送を行うことができる。
【０４５８】
図３３には、本発明の一実施例に係るリンク層パケットの構造を示す。
【０４５９】
リンク層は、物理層の上位にあるレイヤであり、放送システムではＧＳＥ（Generic Stream Encapsulation）、ＴＬＶ（Type-Length-Value）構造、ＢＢＰ（Basic Broadcast Protocol）がそれに当たる。リンク層パケットは、固定したサイズの固定ヘッダを有し、パケットの構成によって可変サイズの拡張ヘッダを持つ構造を有し得る。リンク層パケットの基本ヘッダ及び拡張ヘッダの後には、上位層から受信されたデータを含むペイロードが位置し得る。
【０４６０】
リンク層パケットのヘッダは、パケットが含むペイロードの種類を示すフィールドを有することができる。固定ヘッダにおいて、先頭の３ビットは上位層のパケットタイプを（に対して）指定することができる。すなわち、図３３の（ａ）に示すように、リンク層パケットは、Ｔｙｐｅフィールド（３ビット）から始まり、図３３の（ｂ）に示すように、Ｔｙｐｅフィールドは、リンク層がカプセル化するストリームの種類をシグナリングすることができる。
【０４６１】
例えば、リンク層パケットがＩＰｖ４パケットをカプセル化した場合、Ｔｙｐｅフィールドは０００の値に設定され、ＭＰＥＧ−２ＴＳをカプセル化する場合、Ｔｙｐｅフィールドは０１０の値に設定され得る。
【０４６２】
図３４に、本発明の一実施例に係るリンク層パケットの構造を示す。
【０４６３】
放送信号送信装置は、ＭＰＥＧ−２ＴＳストリームを伝送するために、図３４の（ａ）のようなリンク層パケット構造を用いることができる。リンク層パケットは、ｔｙｐｅフィールド、ＨＣ＿ｍｏｄｅフィールド、ＮＰＤ  ｍｏｄｅフィールド、ＩＳＳＹＩフィールド、Ｎｕｍ＿ＴＳフィールド、ＩＳＳＹフィールド及び／又はペイロードを含むことができる。放送信号送信装置は、ＴＳストリームを伝送するリンク層パケットのｔｙｐｅフィールドを０１０に設定することができる。すなわち、ｔｙｐｅフィールドは、リンク層パケットで伝送されるペイロードがＴＳパケットであることを示すことができる。リンク層パケットは、ｔｙｐｅフィールドの次に位置するフィールドを、ＴＳストリーム伝送のためのフィールドで構成することができる。すなわち、リンク層パケットは、ＴＳストリーム伝送のためのフィールドである、ＨＣ＿ｍｏｄｅ、ＮＰＤ＿ｍｏｄｅ、Ｎｕｍ＿ＴＳを含むことができる。
【０４６４】
ＨＣ＿ｍｏｄｅは、２ビットで構成され、ペイロードで伝送されるＴＳパケットのヘッダ圧縮（Header compression）モードに関する情報を含むことができる。図３４の（ｂ）に示すように、ヘッダ圧縮モードとしては４つのモードを含むことができる。ＨＣ＿ｍｏｄｅの値が００である場合、ＨＣ＿ｍｏｄｅ１を意味し、１８８バイトのＴＳストリームのヘッダに含まれたＳｙｎｃ  ｂｙｔｅ（０ｘ４７）を除去してヘッダを圧縮することができる。放送信号送信装置は、ＨＣ＿ｍｏｄｅ１によって１８８バイトであるヘッダの長さを１８７バイトに圧縮することができる。ＨＣ＿ｍｏｄｅの値が０１である場合、ＨＣ＿ｍｏｄｅ２を意味し、ＰＩＤ（１３ビット）を圧縮する方式によってヘッダを圧縮することができる。ＨＣ＿ｍｏｄｅ２は、ＨＣ＿ｍｏｄｅ１においてＳｙｎｃ  ｂｙｔｅ（０ｘ４７）を除去する方式を含むことができる。放送信号送信装置はＨＣ＿ｍｏｄｅ２によって、１８８バイトであるヘッダの長さを１８６バイトに圧縮することができる。ＨＣ＿ｍｏｄｅの値が１０である場合、ＨＣ＿ｍｏｄｅ３を意味し、伝送しようとするＴＳストリームのＰＩＤが同一である場合、ＰＩＤ（１３ビット）を削除する方式によってヘッダを圧縮することができる。ＨＣ＿ｍｏｄｅ３は、ＨＣ＿ｍｏｄｅ１においてＳｙｎｃ  ｂｙｔｅ（０ｘ４７）を除去する方式を含むことができる。放送信号送信装置はＨＣ＿ｍｏｄｅ３によって、１８８バイトであるヘッダの長さを１８５バイトに圧縮することができる。ＨＣ＿ｍｏｄｅの値が１１である場合、ＨＣ＿ｍｏｄｅ４を意味し、伝送しようとするＴＳストリームのＰＩＤだけでなく他のｆｉｅｌｄ（フィールド）もすべて同一である場合、ＴＳヘッダを削除する方式によってヘッダを圧縮することができる。ＨＣ＿ｍｏｄｅ４は、ＨＣ＿ｍｏｄｅ１においてＳｙｎｃ  ｂｙｔｅ（０ｘ４７）を除去する方式を含むことができる。放送信号送信装置はＨＣ＿ｍｏｄｅ４によって、１８８バイトであるヘッダの長さを１８４バイトに圧縮することができる。
【０４６５】
ＮＰＤ＿ｍｏｄｅは、２ビットで構成され、ペイロードで伝送されるＴＳストリームに対するヌルパケット削除モードの情報を含むことができる。図３４の（ｃ）に示すように、ヌルパケット削除モードとしては４つのモードを含むことができる。ＮＰＤ＿ｍｏｄｅ値が００である場合、ヌルパケットは削除されることなく伝送され得る。ＮＰＤ＿ｍｏｄｅ値が０１である場合、ヌルパケットは削除され、削除されたヌルパケットの数を、各ＴＳパケットの後にＤＮＰ（８ビット）を挿入して示すことができる。ＮＰＤ＿ｍｏｄｅ値が１０である場合、ヌルパケットが出現するまで一連のＴＳパケットを伝送し、ヌルパケットが出現するとヌルパケットを削除し、Ｌ２ペイロードの末尾に１バイトのＤＮＰを挿入することができる。この方式は、ヌルパケットの頻度が低いときに用いることができる。ＮＰＤ＿ｍｏｄｅ値が１１である場合、ヌルパケットが出現するまで一連のＴＳパケットを伝送し、ヌルパケットが出現するとヌルパケットを削除し、Ｌ２ペイロードの末尾に２バイトのＤＮＰを挿入することができる。この方式もヌルパケットの頻度が低いときに用いることができる。
【０４６６】
ＩＳＳＹＩは、１ビットで構成され、ＩＳＳＹフィールドが使用されるか否かを示す情報を含むことができる。ＩＳＳＹＩの値が０である場合、ＩＳＳＹフィールドは用いられず、Ｌ２ヘッダは２バイトを有することができる。ＩＳＳＹＩの値が１である場合、ＩＳＳＹフィールドが存在し、ＩＳＳＹフィールドはＤＶＢ−Ｔ２において用いられるＩＳＳＹフィールド規則にしたがって最初のＴＳパケットのＩＳＳＹ値を伝送することができる。
【０４６７】
Ｎｕｍ＿ＴＳは８ビットで構成され、リンク層でカプセル化するＴＳパケットの個数をシグナリングすることができる。
【０４６８】
図３５には、本発明の一実施例に係る第一のヘッダ圧縮方法を示す。第一のヘッダ圧縮モードは、ＨＣ＿ｍｏｄｅ１と表現することができる。リンク層パケットに用いられたヘッダ圧縮モードがＨＣ＿ｍｏｄｅ１である場合、ＨＣ＿ｍｏｄｅフィールドの値を００に設定することができる。また、リンク層パケットのペイロードには１８８バイトのＴＳパケットからＳｙｎｃ  ｂｙｔｅを除外した（excluding）１８７バイトのＴＳパケットを含むことができる。この場合、ペイロードの長さは１８７＊Ｎｕｍ＿ＴＳとなり、リンク層パケットの全長は、ペイロードとＬ２ヘッダ（２又は５バイト）とを含む長さを有することができる。すなわち、ペイロードで伝送される情報のうちＴＳパケットヘッダは、４バイトから３バイトに圧縮されて伝送され得る。Ｎｕｍ＿ＴＳは、前述したように、リンク層においてカプセル化するＴＳパケットの個数を示すことができる。
【０４６９】
図３６に、本発明の一実施例に係る第一のヘッダ圧縮モードによって圧縮されたＴＳパケットヘッダを示す。同図に示すように、ヘッダ圧縮前のＴＳパケットヘッダは、Ｓｙｎｃ  Ｂｙｔｅ、ＴＥ（Transports Error indicator）、ＳＩ（payload unit Start Indicator）、ＴＰ（Transport Priority）、ＰＩＤ、ＳＣ（Scrambling Control）、ＡＦ（Adaptation Field control）及び／又はＣＣ（Continuity Counter）フィールドを含むことができる。本発明の放送信号送信装置は、第一のヘッダ圧縮モードであるＨＣ＿ｍｏｄｅ１を用いてＳｙｎｃ  Ｂｙｔｅを削除することができる。したがって、ヘッダ圧縮後のＴＳパケットヘッダは、ＴＥ、ＳＩ、ＴＰ、ＰＩＤ、ＳＣ、ＡＦ及び／又はＣＣフィールドを含むことができる。すなわち、放送信号送信装置は、ＨＣ＿ｍｏｄｅ１の場合にＳｙｎｃ  Ｂｙｔｅを伝送せず、よって、４バイトのＴＳパケットヘッダを３バイトに圧縮することができる。
【０４７０】
図３７には、本発明の一実施例に係る第二のヘッダ圧縮方法を示す。第二のヘッダ圧縮モードは、ＨＣ＿ｍｏｄｅ２と表現することができる。リンク層パケットに用いられたヘッダ圧縮モードがＨＣ＿ｍｏｄｅ２である場合、ＨＣ＿ｍｏｄｅフィールドの値を０１に設定することができる。また、リンク層パケットのペイロードには、１８８バイトのＴＳパケットからＳｙｎｃ  ｂｙｔｅを除外した１８７ｂｙｔｅを有する１番目のＴＳパケットを含むことができる。ペイロードに含まれた２番目のＴＳパケット以降は、２バイトのＴＳヘッダを含む計１８６バイトの長さを有することができる。すなわち、ＨＣ＿ｍｏｄｅ２において放送信号送信器は、ペイロードに含まれた１番目のＴＳパケット以外のＴＳパケットに対してＰＩＤをＳｕｂ  ＰＩＤに圧縮することができる。放送信号送信器は、１３ビットのＰＩＤを８ビットのＳｕｂ  ＰＩＤに圧縮することができる。
【０４７１】
この場合、ペイロードの長さは、１８６＊Ｎｕｍ＿ＴＳ＋１バイトとなり、リンク層パケットの全長は、ペイロード及びＬ２ヘッダ（２又は５バイト）を含む長さを有することができる。すなわち、ペイロードで伝送される情報のうち、最初のＴＳパケットヘッダは４バイトから３バイトに圧縮され、残りのＴＳパケットヘッダは４バイトから２バイトに圧縮されて伝送され得る。Ｎｕｍ＿ＴＳは、前述したように、リンク層でカプセル化するＴＳパケットの個数を示すことができる。
【０４７２】
図３８には、本発明の一実施例に係る第二のヘッダ圧縮モードによって圧縮されたＴＳパケットヘッダを示す。同図に示すように、ヘッダ圧縮前のＴＳパケットヘッダは、Ｓｙｎｃ  Ｂｙｔｅ、ＴＥ（Transports Error indicator）、ＳＩ（payload unit Start Indicator）、ＴＰ（Transport Priority）、ＰＩＤ、ＳＣ（Scrambling Control）、ＡＦ（Adaptation Field control）及び／又はＣＣ（Continuity Counter）フィールドを含むことができる。本発明の放送信号送信装置は、第二のヘッダ圧縮モードであるＨＣ＿ｍｏｄｅ２を用いてＳｙｎｃ  Ｂｙｔｅを削除し、ＰＩＤを圧縮することができる。したがって、ヘッダ圧縮後のＴＳパケットヘッダは、ＴＥ、ＳＩ、ＴＰ、Ｓｕｂ  ＰＩＤ、ＳＣ、ＡＦ及び／又はＳＦ（continuity counter Sync Flag）フィールドを含むことができる。すなわち、放送信号送信装置は、ＨＣ＿ｍｏｄｅ２のときにＳｙｎｃ  Ｂｙｔｅを伝送せず、ＰＩＤを圧縮し、これによって、４バイトのＴＳパケットヘッダを２バイトに圧縮することができる。放送信号送信装置は、１３ビットであるＰＩＤを圧縮する際にインジケータ及びインデックス値を用いることができる。すなわち、放送信号送信装置は、Ｓｕｂ  ＰＩＤを１ビットのＰＳＩ  Ｉｎｄｉｃａｔｏｒ（インジケータ）及び７ビットのインデックスで構成することができる。すなわち、１３ビットのＰＩＤをヘッダ圧縮によって８ビットのＳｕｂ  ＰＩＤに圧縮することができる。また、放送信号送信装置は、ＨＣ＿ｍｏｄｅ２のとき、ＣＣをＳＦ（continuity counter Sync Flag）に置き換えることができる。放送信号送信装置は、４ビットのＣＣを１ビットのＳＦ（continuity counter Sync Flag）に置き換えることによって、３ビットをさらに圧縮することができる。放送信号送信装置は、ＴＳパケットヘッダに対して、Ｓｙｎｃ  Ｂｙｔｅの除去によって８ビット、ＰＩＤの圧縮によって５ビット、及びＣＣの置き換えによって３ビットを削減することによって、圧縮前のＴＳパケットヘッダに比べて２バイト（１６ビット）減らすことができる。すなわち、４バイトのＴＳパケットヘッダを２バイトに圧縮することができる。
【０４７３】
図３９は、本発明の一実施例に係る第二のヘッダ圧縮モードの圧縮方法を示す図である。Ｓｕｂ  ＰＩＤは、１ビットのＰＳＩ  ｉｎｄｉｃａｔｏｒと７ビットのインデックスとで構成することができる。図３９の（ａ）に示すように、Ｓｕｂ  ＰＩＤのＰＳＩ  ｉｎｄｉｃａｔｏｒが１である場合は、７ビットのインデックスがあらかじめ定義されたＰＳＩ  ｐａｃｋｅｔのＰＩＤを有することができる。例えば、伝送しようとするパケットがＰＡＴである場合（ＰＩＤ＝０）、放送信号送信装置は、Ｓｕｂ  ＰＩＤに含まれたＰＳＩ  ｉｎｄｉｃａｔｏｒを１に設定し、インデックスは００００００に設定して伝送することができる。この場合、放送信号受信装置は、あらかじめ定められたテーブルを用いてＳｕｂ  ＰＩＤ  １００００００をＰＡＴのＰＩＤである０ｘ００００に圧縮解除することができる。すなわち、ＰＳＩ  ｉｎｄｉｃａｔｏｒが１である場合は、インデックスの値を用いて、パケットに含まれた情報がどのＰＳＩ又はＰＳＩＰテーブルであるかを直接導出することができる。
【０４７４】
これと違い、データＰＩＤを圧縮する場合、放送信号送信装置は、ＰＳＩ  ｉｎｄｉｃａｔｏｒを０に設定し、インデックスは最初の３バイトで伝送されるＰＩＤとのオフセットを７ビットのｓｉｇｎ（符号付き）ビットで表現する。例えば、ＰＩＤが１００（video）及び１０２（Audio）番からなるＴＳストリームである場合、リンク層パケット内に含まれた最初の３バイトのＴＳヘッダにＰＩＤが１００として伝送されると、後続するＰＩＤ１００、１０２のＴＳパケットは、Ｓｕｂ  ＰＩＤに含まれたインデックスがそれぞれ０及び２と表現されてもよい。
【０４７５】
放送信号受信装置は、リンク層パケット内で最初に受信されたＰＩＤとｉｎｄｅｘ（インデックス）値とを合算して、実際に所望するＰＩＤを得ることができる。
【０４７６】
Ｃｏｎｔｉｎｕｉｔｙ  ｃｏｕｎｔｅｒは、４バイトを有するが、最初に１回だけ送り、２番目のパケット以降は１ビットのｃｏｎｔｉｎｕｉｔｙ  ｃｏｕｎｔｅｒ  ｓｙｎｃ  ｆｌａｇに圧縮することができる。図３９の（ｂ）に示すように、ｃｏｎｔｉｎｕｉｔｙ  ｃｏｕｎｔｅｒ  ｓｙｎｃ  ｆｌａｇは、ｃｏｎｔｉｎｕｉｔｙ  ｃｏｕｎｔｅｒがＡ００００であるときにのみ１と表現し、残りの場合には０と表現することができる。
【０４７７】
図４０には、本発明の一実施例に係る第三のヘッダ圧縮方法を示す。第三のヘッダ圧縮モードは、ＨＣ＿ｍｏｄｅ３と表現することができる。リンク層パケットに用いられたヘッダ圧縮モードがＨＣ＿ｍｏｄｅ３である場合、ＨＣ＿ｍｏｄｅフィールドの値を１０に設定することができる。また、リンク層パケットのペイロードは、１８８バイトのＴＳパケットからＳｙｎｃ  ｂｙｔｅを除外した１８７バイトの１番目のＴＳパケットを含むことができる。ペイロードに含まれた２番目のＴＳパケット以降は、１バイトのＴＳヘッダを含む計１８５バイトの長さを有することができる。すなわち、ＨＣ＿ｍｏｄｅ３において、放送信号送信器は、ペイロードに含まれた最初のＴＳパケット以外のＴＳパケットに対してＰＩＤを削除することができる。このような方式は、リンク層パケット内に含まれたＴＳパケットが同一のＰＩＤを有する場合に用いることができる。すなわち、ＴＳヘッダが有している複数のフィールドのうちＰＩＤは同一であるが、残りのフィールドが互いに異なる値を有する場合に用いることができる。
【０４７８】
この場合、ペイロードの長さは１８５＊Ｎｕｍ＿ＴＳ＋２バイトとなり、リンク層パケットの全長は、ペイロード及びＬ２ヘッダ（２または５バイト）を含む長さを有することができる。すなわち、ペイロードで伝送される情報のうち、最初のＴＳパケットヘッダは４バイトから３バイトに圧縮され、残りのＴＳパケットヘッダは４バイトから１バイトに圧縮されて伝送され得る。Ｎｕｍ＿ＴＳは、前述したように、リンク層においてカプセル化するＴＳパケットの個数を示すことができる。
【０４７９】
図４１には、本発明の一実施例に係る第三のヘッダ圧縮モードによって圧縮されたＴＳパケットヘッダを示す。同図に示すように、ヘッダ圧縮前のＴＳパケットヘッダは、Ｓｙｎｃ  Ｂｙｔｅ、ＴＥ（Transports Error indicator）、ＳＩ（payload unit Start Indicator）、ＴＰ（Transport Priority）、ＰＩＤ、ＳＣ（Scrambling Control）、ＡＦ（Adaptation Field control）及び／又はＣＣ（Continuity Counter）フィールドを含むことができる。本発明の放送信号送信装置は、第三のヘッダ圧縮モードであるＨＣ＿ｍｏｄｅ３を用いてＳｙｎｃ  Ｂｙｔｅを削除し、ＰＩＤを削除することができる。したがって、ヘッダ圧縮後のＴＳパケットヘッダは、ＴＥ、ＳＩ、ＴＰ、ＳＣ、ＡＦ及び／又はＳＦ（continuity counter Sync Flag）フィールドを含むことができる。すなわち、放送信号送信装置は、ＨＣ＿ｍｏｄｅ３のときに、Ｓｙｎｃ  Ｂｙｔｅ及びＰＩＤを伝送せず、よって、４バイトのＴＳパケットヘッダを１バイトに圧縮することができる。放送信号送信装置は、１３ビットのＰＩＤを削除することができる。また、放送信号送信装置はＨＣ＿ｍｏｄｅ３のときに、ＣＣをＳＦ（continuity counter Sync Flag）に置き換えることができる。放送信号送信装置は、４ビットのＣＣを１ビットのＳＦに置き換えることによって、３ｂｉｔをさらに圧縮することができる。放送信号送信装置は、ＴＳパケットヘッダに対して、Ｓｙｎｃ  Ｂｙｔｅの除去によって８ビット、ＰＩＤの除去によって１３ビット、及びＣＣの置き換えによって３ビットを削減することによって、圧縮前のＴＳパケットヘッダに比べて３バイト（２４ビット）を減らすことができる。すなわち、４バイトのＴＳパケットヘッダを１バイトに圧縮することができる。
【０４８０】
図４２には、本発明の一実施例に係る第四のヘッダ圧縮方法を示す。第四のヘッダ圧縮モードは、ＨＣ＿ｍｏｄｅ４と表現することができる。リンク層パケットに用いられたヘッダ圧縮モードがＨＣ＿ｍｏｄｅ４である場合、ＨＣ＿ｍｏｄｅフィールドの値を１１に設定することができる。また、リンク層パケットのペイロードは、１８８バイトのＴＳパケットからＳｙｎｃ  バイトを除外した１８７バイトの１番目のＴＳパケットを含むことができる。ペイロードに含まれた２番目のＴＳパケット以降は、ＴＳヘッダを含まなくてもよく、計１８４バイトの長さを有することができる。すなわち、ＨＣ＿ｍｏｄｅ４において、放送信号送信器は、ペイロードに含まれた最初のＴＳパケット以外のＴＳパケットに対してＴＳヘッダを削除することができる。このような方式は、リンク層パケット内に含まれたＴＳパケットが同一のＴＳヘッダを有する場合に用いることができる。すなわち、ＴＳヘッダが有している複数のフィールドがいずれも同一の値を有する場合に用いることができる。
【０４８１】
この場合、ペイロードの長さは、１８４＊Ｎｕｍ＿ＴＳ＋３バイトとなり、リンク層パケットの全長は、ペイロード及びＬ２ヘッダ（２又は５バイト）を含む長さを有することができる。すなわち、ペイロードで伝送される情報のうち、最初のＴＳパケットヘッダは４バイトから３バイトに圧縮され、残りのＴＳパケットヘッダは除去されて伝送され得る。Ｎｕｍ＿ＴＳは、前述したように、リンク層においてカプセル化するＴＳパケットの個数を示すことができる。
【０４８２】
次に、ヌルパケット削除について述べる。一部のＴＳ入力ストリーム又は分割されたＴＳストリームは、ＶＢＲ（Variable Bit-Rate）サービスをＣＢＲ  ＴＳストリームにおいて収容するために存在する複数のヌルパケットを有することができる。この場合、不要な伝送オーバーヘッドを避けるために、ヌルパケットは確認されて伝送されなくてもよい。受信器において、除去されたヌルパケットは、伝送（中）に（during transmission）挿入されたＤＮＰ（Deleted Null-Packet；削除されたヌルパケット）カウンタを参照して、元の正確な箇所に再挿入され得るため、ＣＢＲが保証（保障）され（ensured）、タイムスタンプ（ＰＣＲ）更新が不要になる。次に説明するヌルパケット削除方法は、図３で説明したヌルパケット削除ブロック３０３０に適用されてもよい。
【０４８３】
図４３に、本発明の一実施例に係る第一のヌルパケット削除方法を示す。第一のヌルパケット削除モードは、ＮＰＤ＿ｍｏｄｅ１と表現することができる。リンク層パケットに用いられたヌルパケット削除モードがＮＰＤ＿ｍｏｄｅ１である場合、ＮＰＤ＿ｍｏｄｅフィールドの値を００に設定することができる。ＮＰＤ＿ｍｏｄｅ１はヌルパケット削除をしないモードであり、ヌルパケットがＬ２ペイロードで伝送され、ＤＮＰ（Deleted Null Packet）が存在しなくてもよい。
【０４８４】
図４４には本発明の一実施例に係る第二のヌルパケット削除方法を示す。第二のヌルパケット削除モードは、ＮＰＤ＿ｍｏｄｅ２と表現することができる。リンク層パケットに用いられたヌルパケット削除モードがＮＰＤ＿ｍｏｄｅ２である場合、ＮＰＤ＿ｍｏｄｅフィールドの値を０１に設定することができる。ＮＰＤ＿ｍｏｄｅ２は、ヌルパケットの頻度が高い場合に用いることができる。放送送信装置はＮＰＤ＿ｍｏｄｅ２を用いてヌルパケットを削除し、削除されたヌルパケットの個数を８ビットのＤＮＰでシグナリングすることができる。ＤＮＰは、Ｌ２ペイロードに含まれたＴＳパケットの間に挿入することができる。すなわち、放送送信装置は、Ｌ２パケット内に含まれる個別（個々）の（separate）ＴＳパケットの終わりにＤＮＰをそれぞれ挿入することができる。ここで、ＤＮＰは、各ＴＳと後続するＴＳとの間に削除されたヌルパケットが存在するか否か、及び削除されたヌルパケットの個数を示すことができる。したがって、第１ＴＳパケットと第２ＴＳパケットとの間に位置しているＤＮＰは、第１ＴＳパケットと第２ＴＳパケットとの間に削除されたヌルパケットがない場合は、０の値を有し、ヌルパケットが削除された場合は、削除されたヌルパケットの個数を示す値を有することができる。ＤＮＰは、１バイトで表現される０から２５５の値を有することができる。
【０４８５】
放送送信装置はＴＳパケット及びヌルパケットのうちヌルパケットを削除し、Ｌ２パケットに含まれるペイロードを、削除されたヌルパケットのサイズだけ減らすことができる。また、放送送信装置は、Ｌ２パケットに含まれるＴＳパケットの間に８ビット（１バイト）のＤＮＰを挿入することができ、Ｌ２パケットの全長は、挿入されたＤＮＰのサイズだけ増加し得る。すなわち、Ｌ２パケットの全長は、Ｎｕｍ＿ＴＳ＊１バイトだけ増加し得る。同図に示すように、１番目のＴＳパケットから３番目のＴＳパケットまではヌルパケットが存在しない。３番目のＴＳパケット後に１個のヌルパケットが発生すると、放送信号送信装置は３番目のＴＳパケット後に位置しているＤＮＰの値を１に設定することができる。また、４番目のＴＳパケット後に２個のヌルパケットが発生すると、放送信号送信装置は４番目のＴＳパケット後に位置しているＤＮＰの値を２に設定することができる。放送信号送信装置は、このように、削除されたヌルパケットの個数をＤＮＰを用いて各ＴＳパケットの後でシグナリングすることによって、削除されたヌルパケットの個数を知らせることができ、受信器は、ＤＮＰ値を用いて、削除されたヌルパケットを復元することができる。
【０４８６】
図４５には、本発明の一実施例に係る第三のヌルパケット削除方法を示す。第三のヌルパケット削除モードは、ＮＰＤ＿ｍｏｄｅ３と表現することができる。リンク層パケットに用いられたヌルパケット削除モードがＮＰＤ＿ｍｏｄｅ３である場合、ＮＰＤ＿ｍｏｄｅフィールドの値を１０に設定することができる。ＮＰＤ＿ｍｏｄｅ３は、ヌルパケットの頻度が低い場合に用いることができる。放送送信装置は、ＮＰＤ＿ｍｏｄｅ３を用いて、ヌルパケットが発生するまで複数のＴＳをマージ（併合）し（merge）、その後に発生したヌルパケットの個数をカウントして、Ｌ２パケットのペイロード後に位置する８ビットのＤＮＰフィールドを用いてシグナリングすることができる。ここで、ＤＮＰフィールドは最大で２５５個のヌルパケットが削除されたことをシグナリングすることができる。
【０４８７】
放送信号送信装置がＮＰＤ＿ｍｏｄｅ３を用いる場合、Ｌ２パケットの全長はＤＮＰフィールドのサイズである１バイトだけ増加し得る。
【０４８８】
図４６には本発明の一実施例に係る第四のヌルパケット削除方法を示す。第四のヌルパケット削除モードは、ＮＰＤ＿ｍｏｄｅ４と表現することができる。リンク層パケットに用いられたヌルパケット削除モードがＮＰＤ＿ｍｏｄｅ４である場合、ＮＰＤ＿ｍｏｄｅフィールドの値を１１に設定することができる。ＮＰＤ＿ｍｏｄｅ４は、ヌルパケットの頻度が低い場合に用いることができる。放送送信装置はＮＰＤ＿ｍｏｄｅ４を用いて、ヌルパケットが発生するまで複数のＴＳをマージし、その後に発生したヌルパケットの個数をカウントして、Ｌ２パケットのペイロードの後に位置する１６ビットのＤＮＰフィールドを用いてシグナリングすることができる。ここで、ＤＮＰフィールドは最大で６５５３５個のヌルパケットが削除されたことをシグナリングすることができる。
【０４８９】
放送信号送信装置がＮＰＤ＿ｍｏｄｅ４を用いる場合、Ｌ２パケットの全長は、ＤＮＰフィールドのサイズである２バイトだけ増加し得る。
【０４９０】
次に、ベースバンドフレームのヘッダ構造について述べる。以下、ベースバンドフレームをベースバンドパケットと称することもできる。従来のベースバンドフレームのヘッダ構造は、放送信号送信装置が常に送るべきオプションデータがある場合にデータ伝送効率が減少するという短所があった。本発明のベースバンドフレームのヘッダ構造は、各ベースバンドフレームにオプションデータを挿入する場合、独立した拡張フィールド（extension field）を用いて効率的なベースバンドフレームを構成できるという長所がある。
【０４９１】
図４７に、本発明の他の実施例に係る入力フォーマッティングブロックを示す。
【０４９２】
図４７に示す入力フォーマッティングブロックは、図１を参照して説明した入力フォーマッティングブロック１０００の一実施例に該当し得る。次に説明する本発明のベースバンドフレームのヘッダ構造は、図４７で説明する入力フォーマッティングブロックの他、前述した入力フォーマッティングブロック又は一般的な入力フォーマッティングブロックにも同一に（同様に）適用することができる。
【０４９３】
図４７には、本発明の一実施例に係る放送信号送信装置の入力フォーマッティングブロックのモード適応（mode adaptation）ブロックを示す。
【０４９４】
複数の入力ストリーム（multi input stream）を処理するための入力フォーマッティングブロックのモード適応ブロックは、複数の入力ストリームを独立して処理することができる。
【０４９５】
図４７に示すように、複数の入力ストリームをそれぞれ処理するためのモード適応ブロックは、入力ストリームスプリッタ（input stream splitter）（前処理（スプリット））４７０１０、入力インターフェース４７０２０、入力ストリーム同期化器（input stream synchronizer）４７０３０、遅延補償（compensation delay）ブロック４７０４０、ヘッダ圧縮ブロック（header compression block）４７０５０、ヌルデータ再利用ブロック（null data reuse）４７０６０、ヌルパケット削除ブロック（null packet deletion block）４７０７０、及び／又はベースバンドヘッダ挿入ブロック（BB header insertion block）４７０８０を含むことができる。本明細書においてベースバンドヘッダ挿入ブロックは、ベースバンドフレーミング（framing）ブロック又はベースバンドフォーマッタに含まれてもよい。ベースバンドフレーミングブロック又はベースバンドフォーマッタは、ベースバンドパケット生成ブロック、ベースバンドヘッダ挿入ブロック及びベースバンドスクランブルブロックを含むことができる。各ブロックに関する説明は、図２及び図３で前述した内容を同一に適用できるため省略する。次に説明するベースバンドフレームのヘッダ構造は、モード適応ブロックのベースバンドヘッダ挿入ブロック４７０８０の動作に適用することができる。すなわち、以下ではベースバンドヘッダの生成方法について説明する。
【０４９６】
図４８に、本発明の一実施例に係る放送信号受信装置を示す。
【０４９７】
放送信号受信装置は、ベースバンドフレームヘッダパーサ（BB frame header parser）４８０１０、ヌルパケット挿入ブロック（Null packet insertion）４８０２０、ヌルデータ再生成ブロック（Null data regenerator）４８０３０、ヘッダ解凍（デコンプレッション）ブロック（header De-compression）４８０４０、デジッタバッファブロック（De-jitter Buffer）４８０５０、ＴＳリコンバイニング（再結合）ブロック（Recombining）４８０６０、及びＴＳクロック再生成ブロック（ＴS clock Regeneration）４８０７０を含むことができる。本発明のベースバンドフレームのヘッダ構造は、ベースバンドヘッダパーサがベースバンドフレームヘッダをパースするために用いることができる。放送信号受信装置は、ベースバンドフレームヘッダパーサ４８０１０を用いて、提案されたヘッダ構造をパースすることができる。ヌルパケット挿入ブロック（Null packet insertion）４８０２０は、送信側において削除されたヌルパケットを再び挿入することができる。ヌルデータ再生成ブロック（Null data regenerator）４８０３０は、削除されたヌルデータを再生成することができ、ヘッダ解凍（デコンプレッション）ブロック（header De-compression）４８０４０は、圧縮されたヘッダ情報を解凍（逆圧縮）し（decompress）て抽出することができる。デジッタバッファブロック（De-jitter Buffer）４８０５０は、ＴＳクロック再生成ブロック４８０７０を用いてジッタを補償することができ、ＴＳリコンバイニングブロック（Recombining）４８０６０を用いて、複数のＴＳパケットにパケット化されたＴＳデータを再びコンバイニング（結合）することができる。放送信号受信装置は、このような処理を用いてデータストリームを復元して出力することができる。上述したように、本発明のベースバンドフレームのヘッダ構造は、ベースバンドフレームヘッダパーサ（BB frame header parser）４８０１０がパースするヘッダの構造を表すことができる。
【０４９８】
図４９に、本発明の一実施例に係るベースバンドフレームのパケット構造を示す。ベースバンドフレームヘッダは、物理層で伝送される信号（input stream：ＴＳ、ＩＰ、ＧＳ）を、ＢＩＣＭに入力するのに適した長さ及び構造を有し得るようにベースバンドフレーム単位でパケット化する役割を担う。以下、ベースバンドフレームヘッダをベースフィールド（base field）と称することもできる。ベースバンドフレームは、ヘッダ部分、オプショナル部分、及び入力（Input stream）が伝送されるペイロード（Payload）部分で構成することができる。ベースバンドヘッダ（ベースフィールド）は、スタッフバイト（Stuff byte）がなく、ＳＹＮＣＤの値が１２８より小さい場合、１バイトモード（byte mode）が用いられ、スタッフバイトがあるか、又はＳＹＮＣＤが１２８より大きい又は等しい場合、２バイトモードを有する（が用いられる）ことができる。１バイトモードは、１ビットのＭＯＤＥフィールド及び７ビットのＳＹＮＣＤ＿ＬＳＢフィールドで構成することができる。２バイトモードは、１バイトモードに加えて、６ビットのＳＹＮＣＤ＿ＭＳＢフィールド及び２ビットのＯＰＴＩフィールドで構成することができる。本明細書においてＯＰＴＩフィールドをＯＦＩフィールドと称することもできる。
【０４９９】
オプションフィールド（Option field）は、スタッフィング（Stuffing）、帯域内シグナリング（In-band signaling）、ＩＳＳＹなどのように間欠的に発生するフィールドである。ＯＰＴＩフィールドはオプションフィールドの構成を定義することができる。
【０５００】
オプションフィールドが存在する場合、１バイト又は２バイトのＯＰＴ  ｈｅａｄｅｒを含むことができる。ＯＰＴ  ｈｅａｄｅｒは、Ｔｙｐｅを示す３ビットのＯＰＴ＿ＴＹＰＥと、オプションフィールドの長さを示すＯＰＴ＿ＬＥＮ＿ＬＳＢ及びＯＰＴ＿ＬＥＮ＿ＭＳＢを含むことができる。ここで、ＯＰＴ＿ＴＹＰＥによってＯＰＴ＿ＬＥＮの構成を決定することができる。
【０５０１】
図５０及び図５１には、本発明の一実施例に係るベースバンドフレームの構造を示す。
【０５０２】
放送信号送信装置の生成するベースバンドフレームは、ケースによって異なる構造を含むことができる。
【０５０３】
第１ケースは、ＯＰＴフィールドがなく、ＳＹＮＣＤが１２８バイト以下である場合のベースバンドフレーム構造を表すことができる（５００１０）。第１ケースのベースバンドフレームは、ＭＯＤＥ、ＳＹＮＣＤ＿ＬＳＢ及びペイロードフィールドを含むことができる。ここで、ＭＯＤＥフィールドは‘０’に設定され、ＳＹＮＣＤ＿ＬＳＢフィールドは０〜１２７バイトのＳＹＮＣＤ値を表現することができる。この場合、ベースバンドフレームヘッダは１バイトを有する。すなわち、図５１に示すように、ＭＯＤＥフィールドが‘０’に設定された場合、１バイトのベースバンドヘッダモードであることを示すことができる。
【０５０４】
第２ケースは、ＯＰＴフィールドが存在したり、又はＯＰＴフィールドがないが、ＳＹＮＣＤが１２８バイトより大きいか等しい場合のベースバンドフレーム構造を表すことができる（５００２０）。ここで、ＭＯＤＥフィールドは‘１’に設定され、ＳＹＮＣＤ値はＳＹＮＣＤ＿ＬＳＢフィールド及びＳＹＮＣＤ＿ＭＳＢフィールドを用いることができる。また、２ビットのＯＰＴＩフィールドが存在し、ＯＰＴＩによってＯＰＴフィールドが決定され得る。図５１に示すように、ＭＯＤＥフィールドが‘１’に設定された場合、２バイトのベースバンドヘッダモードであることを示すことができる。
【０５０５】
次に、第２ケースの細部ケースを説明する。
【０５０６】
第２−１ケースは、２バイトモードにおいてＯＰＴフィールドがない場合のベースバンドフレーム構造を表すことができる（５００２１）。ＯＰＴＩフィールドは‘００’に設定され、この場合、ベースバンドフレームはＯＰＴフィールドを含まない。図５１に示すように、ＯＰＴＩフィールドは‘００’に設定された場合、ＯＰＴフィールドを含まないベースバンドヘッダモードであることを示すことができる。
【０５０７】
ＳＹＮＣＤが１２８バイトより大きい又は等しい場合、ベースバンドフレームヘッダは２バイトを有することができる。このとき、ベースバンドフレームはＯＰＴフィールドを含まず、ベースバンドフレームヘッダの次にＰａｙｌｏａｄが位置すればよい。
【０５０８】
ＯＰＴＩが‘００’でない場合、ベースバンドフレームはＯＰＴフィールドを含むことができる。ＯＰＴフィールドは、ベースバンドフレームの構成時に、入力ストリームデータを伝送するペイロード以外に他の用途のデータを伝送したり、データレート（data rate）を合わせるのにスタッフィングフィールド（stuffing field）を挿入するために用いることができる。上記他の用途のデータは、同期のためのＩＳＳＹフィールド、Ｌ１（ＰＬＳ；Physical layer signaling）を補助するためのＩｎｂａｎｄ−ｓｉｇｎａｌｉｎｇ  ｔａｂｌｅなどを含むことができ、これらのデータはベースバンドフレームごとに伝送されず、必要な場合に伝送されればよい。次に、ベースバンドフレームがオプションフィールドを含む場合について説明する。
【０５０９】
第２−２ケースは、１バイトのスタッフィング（Dummy：０ｘ００又は０ｘｆｆ）バイトが存在する場合のベースバンドフレーム構造を表すことができる（５００２２）。ここで、ＯＰＴＩフィールドは“０１”に設定され、これは、１バイトのＯＰＴヘッダがスタッフィングに用いられることをシグナリングすることができる。図５１に示すように、ＯＰＴＩフィールドが‘０１’に設定された場合、１バイトのスタッフィングを含むベースバンドフレームであることを示すことができる。放送信号送信装置は、ベースバンドフレームに１バイトのスタッフィングを挿入するために、ＯＰＴフィールドを用いなくて済み、ＯＰＴ  ｔｙｐｅフィールドを“０００”に設定し、ＯＰＴ＿ＬＥＮＧＴＨ＿ＬＳＢも“０００００”に設定して１バイトのスタッフィングを挿入することができる。
【０５１０】
第２−３ケースは、２バイトのスタッフィングバイトが存在する場合のベースバンドフレーム構造を表すことができる（５００２３）。ここで、ＯＰＴＩは“１０”に設定され、これは、２バイトのＯＰＴヘッダがスタッフィングに用いられることをシグナリングすることができる。図５１に示すように、ＯＰＴＩフィールドが‘１０’に設定された場合、２バイトのスタッフィングを含むベースバンドフレームであることを示すことができる。放送信号送信装置は、ベースバンドフレームに２バイトのスタッフィングを挿入するために、ＯＰＴフィールドを用いなくて済み、ＯＰＴ  ｔｙｐｅフィールドは“０００”に設定し、ＯＰＴ＿ＬＥＮＧＴＨ＿ＬＳＢ及びＯＰＴ＿ＬＥＮ＿ＭＳＢフィールドもそれぞれ“００００００００”に設定して、２バイトのスタッフィングを挿入することができる。
【０５１１】
第２−４−１ケースは、２バイト以上３１バイト以下のスタッフィングが存在する場合のベースバンドフレーム構造を表すことができる（５００２４−１）。ここで、ＯＰＴＩが“１１”に設定され、放送信号送信装置は、２バイトのＯＰＴヘッダ、及びＯＰＴフィールドをスタッフィングバイト（ダミーバイト）で埋めることができる。図５１に示すように、ＯＰＴＩフィールドが‘１１’に設定された場合、ＯＰＴフィールド及びスタッフィングを含むベースバンドフレームであることを示すことができる。放送信号送信装置は、ベースバンドフレームに２バイト以上３１バイト未満のスタッフィングを挿入するために、ＯＰＴ  ｔｙｐｅを“０００”に設定し、ＯＰＴ＿ＬＥＮＧＴＨ＿ＬＳＢを用いてＯＰＴフィールドの長さを示し、ＯＰＴフィールドに該当する長さのスタッフィングバイトを挿入することができる。
【０５１２】
第２−４−２ケースは、３２バイト以上のスタッフィングが存在する場合のベースバンドフレーム構造を表すことができる（５００２４−２）。ここで、ＯＰＴＩが“１１”に設定され、放送信号送信装置は、２バイトのＯＰＴ ｈｅａｄｅｒ、及びＯＰＴフィールドをスタッフィングバイト（ダミーバイト）で埋めることができる。放送信号送信装置は、ベースバンドフレームに３２バイト以上のスタッフィングバイトを挿入するために、ＯＰＴ  ｔｙｐｅを“０００”に設定し、ＯＰＴ＿ＬＥＮＧＴＨでＯＰＴフィールドの長さを示し、ＯＰＴフィールドに該当する長さのスタッフィングバイトを挿入することができる。
【０５１３】
ＯＰＴフィールドの長さは、ＯＰＴ＿ＬＥＮ＿ＬＳＢ及びＯＰＴ＿ＬＥＮ＿ＭＳＢを用いて表現することができる。
【０５１４】
第２−４−１ケース及び第２−４−２ケースのベースバンドフレームに含まれるＯＰＴフィールドは、複数のスタッフィングバイトを含むことができる他、ＯＰＴ＿ＴＹＰＥによって、ＩＳＳＹ、帯域内シグナリングなどの、ベースバンドフレームに必要な情報を含むこともできる。
【０５１５】
図５２には、本発明の他の実施例に係るベースバンドフレームのパケット構造を示す。前述したベースバンドフレーム構造は、ヘッダ構造を最小化して効率的なデータ伝送を行うことができる。前述したベースバンドフレーム構造は、スタッフィング及びオプション情報（ＩＳＳＹ、Ｉｎｂａｎｄ  ｓｉｇｎａｌｉｎｇなど）がない場合、２バイトのヘッダとすることができる。特に、ＳＹＮＣＤが１２７以下である場合、放送信号送信装置はベースバンドフレームヘッダを１バイトで運営することができる。また、ＯＰＴ＿ＴＹＰＥを用いて、所望のベースバンドフレームのＯＰＴフィールドに、Ｏｐｔｉｏｎ情報であるＩＳＳＹ、帯域内シグナリングを挿入することができる。
【０５１６】
しかし、前述したベースバンドフレームヘッダ構造は、各ベースバンドフレームのＯＰＴフィールドにデータが伝送される場合、非効率的なデータ伝送が発生しうる。この場合、ＳＹＮＣＤのサイズにかかわらず、全てのベースバンドフレームヘッダが２バイトのＯｐｔｉｏｎ  ｆｉｅｌｄ（option field of 2 bytes）を有する（ようになる）。仮に、毎回挿入されるべきデータの他にもＯｐｔｉｏｎ情報が存在する場合、放送信号送信装置は８つの場合しか表現できない３ビットのＯＰＴ＿ＴＹＰＥの運用（operating）に困難が発生しうる。
【０５１７】
このような問題点を解決するために、図５２のように，ベースバンドフレーム内にＥｘｔｅｎｓｉｏｎ  ｆｉｅｌｄを含むことができる。すなわち、ベースバンドパケットのヘッダは、ベースフィールド、オプションフィールド及び拡張（Extension）フィールドを含むことができる。
【０５１８】
Ｅｘｔｅｎｓｉｏｎ  ｆｉｅｌｄは、各ベースバンドフレームに挿入されるべきデータが存在する場合に用いることができる。すなわち、放送信号送信装置は、ベースバンドフレームにＥｘｔｅｎｓｉｏｎ  ｆｉｅｌｄを位置付け、ベースバンドフレームごとに挿入されるべきデータをｅｘｔｅｎｓｉｏｎ  ｆｉｅｌｄで伝送することによって、Ｏｐｔｉｏｎ  ｆｉｅｌｄと独立して運用することができる。ここで、ベースバンドフレームごとに挿入されるべきデータは、チャネルボンディング（channel bonding）情報を含むことができる。
【０５１９】
Ｅｘｔｅｎｓｉｏｎ  ｆｉｅｌｄは、ベースバンドフレームにおいてベースバンドフレームヘッダの次に位置し得る。Ｅｘｔｅｎｓｉｏｎ  ｆｉｅｌｄは、ベースバンドフレームにおいてオプションフィールド又はペイロードの前に位置してもよい。
【０５２０】
図５３に、本発明の一実施例に係るベースバンドフレーム構造をシグナリングするシグナリングフィールドを示す。
【０５２１】
下記では、ＰＬＳ（Physical Layer Signaling）を用いるシグナリング方式を説明する。独立したＥｘｔｅｎｓｉｏｎ  ｆｉｅｌｄをベースバンドフレームヘッダに挿入する位置は、１又は２バイトの基本となるベースバンドフレームヘッダの次とすることができる。これによって、オプションフィールドの影響無しで、放送信号を受信した受信装置はＥｘｔｅｎｓｉｏｎ  ｆｉｅｌｄを直接パースすることができる。
【０５２２】
本発明において、放送信号送信装置がＥｘｔｅｎｓｉｏｎ  ｆｉｅｌｄを独立して運用するためには、Ｅｘｔｅｎｓｉｏｎ  ｆｉｅｌｄの存在の有無、ｅｘｔｅｎｓｉｏｎ  ｆｉｅｌｄのタイプ、長さの情報を示すことができる。放送信号送信装置は、これに該当する情報をＰＬＳ（Physical Layer Signaling）を用いて伝送することができる。前述したベースバンドフレーム方式においても１〜２バイトヘッダのためにペイロードで伝送されるデータのタイプを定義することができる。
【０５２３】
図５３の（ａ）に第１タイプのシグナリングテーブルを示す。
【０５２４】
入力フォーマッティングのためのシグナリングフィールドは、データタイプ（data type）、Ｅｘｔｅｎｓｉｏｎ  ｆｉｅｌｄインジケータ、Ｅｘｔｅｎｓｉｏｎ  ｆｉｅｌｄタイプ、及び／又はＥｘｔｅｎｓｉｏｎ  ｆｉｅｌｄの長さに関する情報を含むことができる。
【０５２５】
データタイプシグナリングは、ｄａｔａ＿ｔｙｐｅとして定義でき、３ビットを割り当てることができる。データタイプシグナリングは、伝送されるｄａｔａが、ＭＰＥＧ２−ＴＳ、ＩＰ（ｖ４、ｖ６）、Ｇｅｎｅｒｉｃ  ｓｔｒｅａｍのいずれであるかをシグナリングすることができる。
【０５２６】
シグナリングテーブルは、データタイプの次にｅｘｔｅｎｓｉｏｎ  ｆｉｅｌｄのためのシグナリングフィールドを含むことができる。Ｅｘｔｅｎｓｉｏｎ  ｆｉｅｌｄを用いるために必要な情報には、Ｅｘｔｅｎｓｉｏｎ  ｆｉｅｌｄの使用の有無を示す情報と、Ｅｘｔｅｎｓｉｏｎ  ｆｉｅｌｄのフィールドタイプ及びフィールド長を示す情報と、がある。
【０５２７】
Ｅｘｔｅｎｓｉｏｎ  ｆｉｅｌｄの使用の有無を示す情報は、Ｅｘｔｅｎｓｉｏｎ＿ｆｉｅｌｄ＿ｉｎｄｉｃａｔｏｒとして定義でき、１ビットを割り当てることができる。このフィールドは、ベースバンドフレームにｅｘｔｅｎｓｉｏｎ  ｆｉｅｌｄが存在するか否かをシグナリングする役割を担う。Ｅｘｔｅｎｓｉｏｎ  ｆｉｅｌｄが使用されない場合、当該フィールドは‘０’に設定され、使用される場合、当該フィールドは‘１’に設定され得る。
【０５２８】
Ｅｘｔｅｎｓｉｏｎ  ｆｉｅｌｄのフィールドタイプに関する情報は、Ｅｘｔｅｎｓｉｏｎ＿ｆｉｅｌｄ＿ｔｙｐｅとして定義でき、４ビットを割り当てることができる。Ｅｘｔｅｎｓｉｏｎ＿ｆｉｅｌｄ＿ｔｙｐｅは、ｅｘｔｅｎｓｉｏｎ＿ｆｉｅｌｄで伝送される情報のタイプを示す（ようになる）。Ｅｘｔｅｎｓｉｏｎ＿ｆｉｅｌｄ＿ｔｙｐｅは、ベースバンドフレームに毎回伝送されるべきＩＳＳＹ、ＣＲＣ、チャネルボンディング（channel bonding）情報などを示すことができる。
【０５２９】
Ｅｘｔｅｎｓｉｏｎ  ｆｉｅｌｄのフィールド長に関する情報は、Ｅｘｔｅｎｓｉｏｎ＿ｆｉｅｌｄ＿ｌｅｎｇｔｈとして定義でき、１３ビットを割り当てることができる。Ｅｘｔｅｎｓｉｏｎ＿ｆｉｅｌｄ＿ｌｅｎｇｔｈは、ｅｘｔｅｎｓｉｏｎ  ｆｉｅｌｄの長さを示すことができる。
【０５３０】
例えば、各ベースバンドフレームに４バイトのＩＳＳＹデータが伝送される場合、Ｅｘｔｅｎｓｉｏｎ＿ｆｉｅｌｄ＿ｉｎｄｉｃａｔｏｒは‘１’に設定され、ｅｘｔｅｎｓｉｏｎ＿ｆｉｅｌｄ＿ｔｙｐｅはＩＳＳＹを示す‘０’に設定され、ｅｘｔｅｎｓｉｏｎ＿ｆｉｅｌｄ＿ｌｅｎｇｔｈは４バイトを示す‘４’に設定され得る。
【０５３１】
図５３の（ｂ）には第２タイプのシグナリングテーブルを示す。
【０５３２】
第２タイプは、前述した４ビットのｅｘｔｅｎｓｉｏｎ＿ｆｉｅｌｄ＿ｔｙｐｅだけを用いる方法であり、放送信号送信装置がｅｘｔｅｎｓｉｏｎ＿ｆｉｅｌｄを使用しない場合、ｅｘｔｅｎｓｉｏｎ＿ｆｉｅｌｄ＿ｔｙｐｅを‘０’に設定してｅｘｔｅｎｓｉｏｎ＿ｆｉｅｌｄ＿ｉｎｄｉｃａｔｏｒ機能を代行する（replace）ことができる。放送信号送信装置がｅｘｔｅｎｓｉｏｎ＿ｆｉｅｌｄを使用する場合、使用するｅｘｔｅｎｓｉｏｎ＿ｆｉｅｌｄ＿ｔｙｐｅはＥｘｔｅｎｓｉｏｎ  ｆｉｅｌｄのタイプを示すことができ、Ｅｘｔｅｎｓｉｏｎ  ｆｉｅｌｄの長さは、Ｅｘｔｅｎｓｉｏｎ  ｆｉｅｌｄのタイプによって、あらかじめ定義された長さに設定することができる。
【０５３３】
前述した第１タイプは、ｅｘｔｅｎｓｉｏｎ  ｆｉｅｌｄが存在しない場合、ＰＬＳにおいてｅｘｔｅｎｓｉｏｎ＿ｆｉｅｌｄ＿ｉｎｄｉｃａｔｏｒが１ビットだけを占有するようになり、効率的な運用が可能である。
【０５３４】
しかし、Ｅｘｔｅｎｓｉｏｎ  ｆｉｅｌｄの有無によってフィールドの構成が変わるため、流動的な（variable）ＰＬＳ構造に向いている。すなわち、Ｅｘｔｅｎｓｉｏｎ  ｆｉｅｌｄが存在する場合には、当該フィールドが１８ビットを占有するが、Ｅｘｔｅｎｓｉｏｎ  ｆｉｅｌｄが存在しない場合には１ビットだけを占有する。
【０５３５】
前述した第２タイプは、ＰＬＳに位置するｅｘｔｅｎｓｉｏｎ  ｆｉｅｌｄの有無にかかわらずに同一のＰＬＳフィールドサイズ（４ビット）を有するという効果がある。したがって、固定したサイズのＰＬＳ構造に適する。
【０５３６】
図５４は、本発明の一実施例に係るベースバンドフレームの構造を示す図である。
【０５３７】
Ｅｘｔｅｎｓｉｏｎ  ｆｉｅｌｄを使用しない方式では、各ベースバンドフレームに挿入されるべきデータをオプションフィールドに挿入することができる。この場合、全てのベースバンドフレームのヘッダは２バイトを有することになり、他のオプションフィールドを挿入する上で困難が発生しうる。
【０５３８】
しかし、本発明のＥｘｔｅｎｓｉｏｎ  ｆｉｅｌｄを用いる場合、Ｅｘｔｅｎｓｉｏｎ  ｆｉｅｌｄがオプションフィールドと分離されているため、データの効率的な運用が可能である。
【０５３９】
図５４に示す第１のベースバンドフレーム、第２のベースバンドフレーム及び第３のベースバンドフレームのようにＳＹＮＣＤが１２７バイト以下である場合、ｅｘｔｅｎｓｉｏｎ  ｆｉｅｌｄが含まれても、１バイトのベースバンドフレームヘッダを用いることができる。
【０５４０】
第４のベースバンドフレーム及び第５のベースバンドフレームは、ＳＹＮＣＤが１２７バイトより大きい場合であり、ベースバンドフレームヘッダは、Ｅｘｔｅｎｓｉｏｎ  ｆｉｅｌｄを使用しない方式と同様に、２バイトを有する。
【０５４１】
第６のベースバンドフレーム及び第７のベースバンドフレームは、Ｏｐｔｉｏｎ  ｆｉｅｌｄとｅｘｔｅｎｓｉｏｎ  ｆｉｅｌｄとが共存できる。
【０５４２】
上述したように、本発明のベースバンドフレーム構造は、各ベースバンドフレームに挿入されるべきデータが存在する場合、オプションフィールドを用いず、Ｅｘｔｅｎｓｉｏｎ  ｆｉｅｌｄを用いて伝送することができる。したがって、ＩＳＳＹモード、チャネルボンディング情報又はベースバンドフレームのヘッダにＣＲＣを挿入する場合、独立して存在するＥｘｔｅｎｓｉｏｎ  ｆｉｅｌｄを用いてデータ伝送効率を上げることができる。
【０５４３】
図５５は、本発明の一実施例に係る放送信号を送信する方法を示す図である。放送信号送信装置は、入力データを入力フォ−マッティングすることができる（Ｓ５５０１０）。
【０５４４】
放送信号送信装置は、入力データをカプセル化することができる。放送信号送信装置は、カプセル化処理において前述のＴＳヘッダ圧縮方法を用いることができる。すなわち、放送信号送信装置は、前述したように、シンクバイトを削除したり、ＰＩＤを圧縮したり、ＰＩＤを削除したり、又はＴＳヘッダを削除する方法を用いてＴＳヘッダを圧縮することができる。
【０５４５】
また、放送信号送信装置は、カプセル化処理において前述のヌルパケット削除方法を用いることができる。すなわち、放送信号送信装置は、前述したように、ヌルパケットを削除し、ＴＳパケットごとにＤＮＰを追加してペイロードを構成したり、ヌルパケットが発生するときに限ってＤＮＰを追加してヌルパケットを削除することができる。ＤＮＰは、前述したように、削除されたヌルパケットの個数をシグナリングすることができる。
【０５４６】
放送信号送信装置は、カプセル化された入力データを含むベースバンドフレームを構築（ビルド）する（build）ことができる。本明細書において、ベースバンドフレームをベースバンドパケットと表現することができる。放送信号送信装置は、ベースバンドフレーム生成処理において前述のベースバンドフレーム構造を用いることができる。すなわち、放送信号送信装置は、前述したように、Ｅｘｔｅｎｓｉｏｎ  ｆｉｅｌｄを定義して、ベースバンドフレームに位置付ける（position）ことができる。放送信号送信装置は、Ｅｘｔｅｎｓｉｏｎ  ｆｉｅｌｄを用いて、ベースバンドフレームごとに挿入されるべきデータを伝送することができる。これによって、放送信号送信装置は、オプションフィールドで伝送すべきデータをＥｘｔｅｎｓｉｏｎ  ｆｉｅｌｄで伝送することができ、データ伝送効率を上げることができる。
【０５４７】
放送信号送信装置は、フォーマットされた入力データをエンコードすることができる（Ｓ５５０２０）。
【０５４８】
放送信号送信装置は、前述したＢＩＣＭブロックを用いてエンコードすることができる。入力フォーマッタからＢＩＣＭブロックに伝達される入力データは、前述したＰＬＰデータフォーマットに入力され得る。
【０５４９】
放送信号送信装置は、エンコードされたデータを変調することができる（Ｓ５５０３０）。
【０５５０】
放送信号送信装置は、前述のＯＦＤＭ生成ブロックを用いて変調することができる。エンコードされたデータをＯＦＤＭ変調方式を用いて変調することができる。
【０５５１】
放送信号送信装置は、変調されたデータを含む放送信号を伝送することができる（Ｓ５５０４０）。放送信号送信装置は、変調されたデータを、出力アンテナを用いて伝送することができる。
【０５５２】
図５６は、本発明の一実施例に係る放送信号を受信する方法を示す図である。
【０５５３】
放送信号受信装置は放送信号を受信することができる（Ｓ５６０１０）。放送信号受信装置はチューナを用いて放送信号を受信することができる。受信された放送信号は、放送信号送信装置によってカプセル化されたデータを含むことができる。受信された放送信号は、カプセル化処理において前述のＴＳヘッダ圧縮方法が用いられたものであってもよい。すなわち、受信された放送信号は、シンクバイトを削除したり、ＰＩＤを圧縮したり、ＰＩＤを削除したり、ＴＳヘッダを削除する方法によって圧縮されたＴＳヘッダを含むことができる。
【０５５４】
また、受信された放送信号は、カプセル化処理において前述のヌルパケット削除方法が適用されたものであってもよい。すなわち、受信された放送信号は、前述したように、ヌルパケットを削除し、ＴＳパケットごとにＤＮＰを追加してペイロードを構成したり、ヌルパケットが発生するときに限ってＤＮＰを追加し、ヌルパケットを削除した放送信号であってもよい。ＤＮＰは、前述したように、削除されたヌルパケットの個数をシグナリングすることができる。
【０５５５】
受信された放送信号は、ベースバンドフレームを含むことができ、ベースバンドフレーム生成処理において前述のベースバンドフレーム構造を用いることができる。すなわち、受信された放送信号は、Ｅｘｔｅｎｓｉｏｎ  ｆｉｅｌｄを有するベースバンドフレームを含むことができる。受信された放送信号は、Ｅｘｔｅｎｓｉｏｎ  ｆｉｅｌｄにベースバンドフレームごとに挿入されるべきデータを含むことができる。これによって、受信された放送信号は、オプションフィールドに含まれるべきであったデータをＥｘｔｅｎｓｉｏｎ  ｆｉｅｌｄに含むことによって、データ伝送効率を上げることができる。
【０５５６】
放送信号受信装置は、放送信号に含まれたデータを復調することができる（Ｓ５６０２０）。放送信号受信装置はＯＦＤＭ復調方式を用いてデータを復調することができる。
【０５５７】
放送信号受信装置は、復調されたデータをデコードすることができる（Ｓ５６０３０）。
【０５５８】
放送信号受信装置は、前述のデコーディングモジュールを用いて、復調されたデータをデコードすることができる。
【０５５９】
放送信号受信装置は、デコードされたデータを出力処理（output processing）してデータストリームを得ることができる（Ｓ５６０４０）。放送受信装置は、前述した出力プロセッサを用いてデータストリームを取得して出力することができる。放送信号受信装置は、出力プロセッサを用いてデコードされたデータを出力処理（アウトプットプロセシング）（output-processing）できる。出力プロセッサは、前述した図９の出力プロセッサに対応し得る。また、出力プロセッサは、図４８で説明したブロックを含むことができる。すなわち、出力プロセッサは、ベースバンドフレームヘッダパーサ、ヌルパケット挿入部、ヌルデータ生成部、ヘッダ解凍ブロック、デジッタバッファ及び／又はＴＳコンバイニングブロックのうち少なくとも一つを含むことができる。ベースバンドフレームパーサは、前述したベースバンドフレームヘッダ内の拡張フィールドをパースすることができる。ここで、ベースバンドフレームパーサは、前述した拡張フィールドの有無を示す（indicate）情報を用いて、ヘッダ内の拡張フィールドをパースすることができる。前述したように、ベースバンドフレームは、ベースバンドパケットと表現することができる。また、ヌルパケット挿入部は、前述したヌルパケット削除方法に対応して、削除されたヌルパケットを受信装置において復元することができる。ヌルパケット挿入部は、前述したように、削除されたヌルパケットの個数を示すＤＮＰ情報から、削除されたヌルパケットの個数を確認し、削除されたヌルパケットを挿入することができる。また、ヘッダ解凍ブロックは、前述したヘッダ圧縮方法の逆の処理によって、ヘッダ圧縮前のヘッダ情報を受信装置において復元することができる。ヘッダ解凍ブロックは、前述したヘッダ圧縮モードに関する情報からヘッダ圧縮モードを確認し、モードによってヘッダ解凍（De-compression）動作を実行することができる。
【０５６０】
前述したように、本発明のヘッダ圧縮、ヌルパケット削除、拡張フィールド生成方法を用いて、データ伝送効率を上げることができる。
【０５６１】
本発明の思想や範囲から逸脱することなく、本発明において様々な変更及び変形が可能であることは、当業者に理解される。したがって、本発明は、添付する請求項及びその同等範囲内で提供される本発明の変更及び変形を含むことが意図される。
【０５６２】
本明細書において装置の発明及び方法の発明の両方が述べられ、装置及び方法の両発明の説明は互いに補完して適用され得る。
【実施例１】
【０５６３】
様々な実施例を、本発明を実施するための形態において説明した。
【産業上の利用可能性】
【０５６４】
本発明は、一連の放送信号提供の分野において利用される。
【０５６５】
本発明の思想や範囲から逸脱することなく、本発明において様々な変更及び変形が可能であることが、当業者にとって明らかである。したがって、本発明は、添付の請求項及びその同等範囲内で提供される本発明の変更及び変形を含むことが意図される。
【図１】
0006453460.tif 000059
【図２】
0006453460.tif 000060
【図３】
0006453460.tif 000061
【図４】
0006453460.tif 000062
【図５】
0006453460.tif 000063
【図６】
0006453460.tif 000064
【図７】
0006453460.tif 000065
【図８】
0006453460.tif 000066
【図９】
0006453460.tif 000067
【図１０】
0006453460.tif 000068
【図１１】
0006453460.tif 000069
【図１２】
0006453460.tif 000070
【図１３】
0006453460.tif 000071
【図１４】
0006453460.tif 000072
【図１５】
0006453460.tif 000073
【図１６】
0006453460.tif 000074
【図１７】
0006453460.tif 000075
【図１８】
0006453460.tif 000076
【図１９】
0006453460.tif 000077
【図２０】
0006453460.tif 000078
【図２１】
0006453460.tif 000079
【図２２】
0006453460.tif 000080
【図２３】
0006453460.tif 000081
【図２４】
0006453460.tif 000082
【図２５】
0006453460.tif 000083
【図２６】
0006453460.tif 000084
【図２７】
0006453460.tif 000085
【図２８】
0006453460.tif 000086
【図２９】
0006453460.tif 000087
【図３０】
0006453460.tif 000088
【図３１】
0006453460.tif 000089
【図３２】
0006453460.tif 000090
【図３３】
0006453460.tif 000091
【図３４】
0006453460.tif 000092
【図３５】
0006453460.tif 000093
【図３６】
0006453460.tif 000094
【図３７】
0006453460.tif 000095
【図３８】
0006453460.tif 000096
【図３９】
0006453460.tif 000097
【図４０】
0006453460.tif 000098
【図４１】
0006453460.tif 000099
【図４２】
0006453460.tif 000100
【図４３】
0006453460.tif 000101
【図４４】
0006453460.tif 000102
【図４５】
0006453460.tif 000103
【図４６】
0006453460.tif 000104
【図４７】
0006453460.tif 000105
【図４８】
0006453460.tif 000106
【図４９】
0006453460.tif 000107
【図５０】
0006453460.tif 000108
【図５１】
0006453460.tif 000109
【図５２】
0006453460.tif 000110
【図５３】
0006453460.tif 000111
【図５４】
0006453460.tif 000112
【図５５】
0006453460.tif 000113
【図５６】
0006453460.tif 000114